(57)【特許請求の範囲】
【請求項１】
通信チャネルを介した送信のための、第１の通信プロトコルに準拠する物理層データユニット（ＰＨＹデータユニット）を生成する方法であって、
前記方法は、
第１の通信デバイスにおいて、前記ＰＨＹデータユニットに対するＰＨＹプリアンブルを生成する段階と、
前記第１の通信デバイスにおいて、前記ＰＨＹプリアンブルおよびＰＨＹペイロードを含むように前記ＰＨＹデータユニットを生成する段階と、
を備え、
前記ＰＨＹプリアンブルを生成する段階は、
信号フィールドを生成する段階と、
前記ＰＨＹプリアンブルに前記信号フィールドおよび前記信号フィールドの複製を含める段階であり、前記信号フィールドの複製の存在が、前記ＰＨＹデータユニットが前記第１の通信プロトコルに準拠していることを示す、段階と、
第２の通信プロトコルに準拠するが、前記第１の通信プロトコルには準拠しない第２の通信デバイスによって前記ＰＨＹプリアンブルの第１の部分がデコード可能になるように前記ＰＨＹプリアンブルをフォーマットして、前記ＰＨＹプリアンブルの前記第１の部分に基づいて前記ＰＨＹデータユニットの持続時間を決定する段階と、
を有する、方法。
【請求項２】
前記信号フィールドは、前記第２の通信デバイスによりデコード可能なレガシ信号フィールドであり、
前記レガシ信号フィールドは、前記ＰＨＹプリアンブルの前記第１の部分に含まれ、
前記レガシ信号フィールドは、前記ＰＨＹデータユニットの前記持続時間を示す情報を含む、請求項１に記載の方法。
【請求項３】
前記ＰＨＹデータユニットに対する前記ＰＨＹプリアンブルを生成する段階は、
前記第１の通信プロトコルに準拠する更なる信号フィールドを生成する段階と、
前記ＰＨＹプリアンブルの第２の部分に前記更なる信号フィールドを含める段階とを更に有する、請求項２に記載の方法。
【請求項４】
前記ＰＨＹプリアンブルの前記第２の部分は、前記第２の通信デバイスによりデコード可能でない、請求項３に記載の方法。
【請求項５】
前記ＰＨＹデータユニットに対する前記ＰＨＹプリアンブルを生成する段階は、前記ＰＨＹプリアンブルの前記第２の部分に前記更なる信号フィールドの複製を含める段階を更に有する、請求項３または４に記載の方法。
【請求項６】
前記ＰＨＹデータユニットに対する前記ＰＨＹプリアンブルを生成する段階は、前記ＰＨＹプリアンブルの第２の部分に更なる信号フィールドの複製を含める段階を更に有する、請求項１に記載の方法。
【請求項７】
前記信号フィールドは、第１の信号フィールドであり、
前記ＰＨＹデータユニットに対する前記ＰＨＹプリアンブルを生成する段階は、
前記第２の通信デバイスによりデコード可能な第２の信号フィールドを生成する段階と、
前記ＰＨＹプリアンブルの前記第１の部分に前記第２の信号フィールドを含める段階と、
前記ＰＨＹプリアンブルの第２の部分に前記第１の信号フィールドを含める段階とを更に有し、
前記第２の信号フィールドは、前記ＰＨＹデータユニットの前記持続時間を示す情報を含む、請求項１に記載の方法。
【請求項８】
前記ＰＨＹプリアンブルの前記第２の部分は、前記第２の通信デバイスによりデコード可能でない、請求項７に記載の方法。
【請求項９】
前記ＰＨＹデータユニットに対する前記ＰＨＹプリアンブルは、前記ＰＨＹプリアンブルの前記第１の部分における複数の直交周波数分割（ＯＦＤＭ）シンボルの間にそれぞれの第１のガードインターバルを含むように生成され、
前記方法は、前記第１の通信デバイスにおいて、前記ＰＨＹペイロードにおける複数のＯＦＤＭシンボルの間にそれぞれの第２のガードインターバルを含むように前記ＰＨＹペイロードを生成する段階を更に備え、
各々の第２のガードインターバルは、各々の第１のガードインターバルよりも長い持続時間を有する、請求項１〜８のいずれか１項に記載の方法。
【請求項１０】
前記ＰＨＹデータユニットに対する前記ＰＨＹプリアンブルは、前記ＰＨＹプリアンブルの第２の部分における複数のＯＦＤＭシンボルの間に各々の第３のガードインターバルを含むように生成される、請求項９に記載の方法。
【請求項１１】
第１の通信プロトコルに準拠する物理層データユニット（ＰＨＹデータユニット）に対するＰＨＹプリアンブルを生成し、
前記ＰＨＹプリアンブルおよびＰＨＹペイロードを含むように前記ＰＨＹデータユニットを生成する
１または複数の集積回路を有するネットワークインターフェースデバイスを備え、
前記ＰＨＹプリアンブルを生成することは、
信号フィールドを生成することと、
前記ＰＨＹプリアンブルに前記信号フィールドおよび前記信号フィールドの複製を含めることであり、前記信号フィールドの複製の存在が、前記ＰＨＹデータユニットが前記第１の通信プロトコルに準拠していることを示す、前記複製を含めることと、
第２の通信プロトコルに準拠するが、前記第１の通信プロトコルに準拠しない第２の通信デバイスによって前記ＰＨＹプリアンブルの第１の部分がデコード可能となるように、前記ＰＨＹプリアンブルをフォーマットして、前記ＰＨＹプリアンブルの前記第１の部分に基づいてＰＨＹデータユニットの持続時間を決定することとを含む、第１の通信デバイス。
【請求項１２】
前記信号フィールドは、前記第２の通信デバイスによりデコード可能なレガシ信号フィールドであり、
前記１または複数の集積回路は、前記ＰＨＹプリアンブルの前記第１の部分に前記レガシ信号フィールドを含め、
前記レガシ信号フィールドは、前記ＰＨＹデータユニットの前記持続時間を示す情報を含む、請求項１１に記載の第１の通信デバイス。
【請求項１３】
前記１または複数の集積回路は、
前記第１の通信プロトコルに準拠する更なる信号フィールドを生成し、
前記ＰＨＹプリアンブルの第２の部分に前記更なる信号フィールドを含める、請求項１２に記載の第１の通信デバイス。
【請求項１４】
前記ＰＨＹプリアンブルの前記第２の部分は、前記第２の通信デバイスによりデコード可能でない、請求項１３に記載の第１の通信デバイス。
【請求項１５】
前記１または複数の集積回路は、前記ＰＨＹプリアンブルの前記第２の部分に前記更なる信号フィールドの複製を含める、請求項１３または１４に記載の第１の通信デバイス。
【請求項１６】
前記１または複数の集積回路は、前記ＰＨＹプリアンブルの第２の部分に更なる信号フィールドの複製を含める、請求項１１に記載の第１の通信デバイス。
【請求項１７】
前記信号フィールドは、第１の信号フィールドであり、
前記１または複数の集積回路は、
前記第２の通信デバイスによりデコード可能な第２の信号フィールドを生成し、
前記ＰＨＹプリアンブルの前記第１の部分に前記第２の信号フィールドを含め、
前記ＰＨＹプリアンブルの第２の部分に前記第１の信号フィールドを含め、
前記第２の信号フィールドは、前記ＰＨＹデータユニットの前記持続時間を示す情報を含む、請求項１１に記載の第１の通信デバイス。
【請求項１８】
前記ＰＨＹプリアンブルの前記第２の部分は、前記第２の通信デバイスによりデコード可能でない、請求項１７に記載の第１の通信デバイス。
【請求項１９】
前記１または複数の集積回路は、
前記ＰＨＹプリアンブルの前記第１の部分における複数の直交周波数分割（ＯＦＤＭ）シンボルの間にそれぞれの第１のガードインターバルを含むように前記ＰＨＹデータユニットに対する前記ＰＨＹプリアンブルを生成し、
前記ＰＨＹペイロードにおける複数のＯＦＤＭシンボルの間にそれぞれの第２のガードインターバルを含むように前記ＰＨＹペイロードを生成し、
各々の第２のガードインターバルは、各々第１のガードインターバルよりも長い持続時間を有する、請求項１１〜１８のいずれか１項に記載の第１の通信デバイス。
【請求項２０】
前記１または複数の集積回路は、前記ＰＨＹプリアンブルの第２の部分における複数のＯＦＤＭシンボルの間に各々の第３のガードインターバルを含むように前記ＰＨＹプリアンブルを生成する、請求項１９に記載の第１の通信デバイス。
【発明の詳細な説明】
【技術分野】
【０００１】
関連出願の相互参照
本開示は、２０１４年１０月２４日に出願された「Ｒａｎｇｅ  Ｅｘｔｅｎｓｉｏｎ  Ｍｏｄｅ  ｆｏｒ  ＷｉＦｉ」という名称の米国特許出願第１４／５２３，６７８号の一部継続出願であり、２０１３年１０月２５日に出願された「Ｒａｎｇｅ  Ｅｘｔｅｎｓｉｏｎ  ＰＨＹ」という名称の米国仮特許出願第６１／８９５，５９１号、２０１４年１月９日に出願された「Ｒａｎｇｅ  Ｅｘｔｅｎｓｉｏｎ  ＰＨＹ」という名称の米国仮特許出願第６１／９２５，３３２号、２０１４年３月１０日に出願された「Ｒａｎｇｅ  Ｅｘｔｅｎｓｉｏｎ  ＰＨＹ」という名称の米国仮特許出願第６１／９５０，７２７号、および２０１４年５月２日に出願された「Ｒａｎｇｅ  Ｅｘｔｅｎｓｉｏｎ  ＰＨＹ」という名称の米国仮特許出願第６１／９８７，７７８号の利益を主張し、これらの全ての開示はその全体が、参照により本明細書に組み込まれる。
【０００２】
更に、本開示は、２０１４年１月７日に出願された「Ｐｈｙｓｉｃａｌ  Ｌａｙｅｒ  Ｆｒａｍｅ  Ｆｏｒｍａｔ  ｆｏｒ  ＷＬＡＮ」という名称の米国仮特許出願第６１／９２４，４６７号、２０１４年７月２９日に出願された「Ｐｈｙｓｉｃａｌ  Ｌａｙｅｒ  Ｆｒａｍｅ  Ｆｏｒｍａｔ  ｆｏｒ  ＷＬＡＮ」という名称の米国仮特許出願第６２／０３０，４２６号、２０１４年８月７日に出願された「Ｐｈｙｓｉｃａｌ  Ｌａｙｅｒ  Ｆｒａｍｅ  Ｆｏｒｍａｔ  ｆｏｒ  ＷＬＡＮ」という名称の米国仮特許出願第６２／０３４，５０９号、２０１４年９月３日に出願された「Ｐｈｙｓｉｃａｌ  Ｌａｙｅｒ  Ｆｒａｍｅ  Ｆｏｒｍａｔ  ｆｏｒ  ＷＬＡＮ」という名称の米国仮特許出願第６２／０４５，３６３号、２０１４年９月１７日に出願された「Ｐｈｙｓｉｃａｌ  Ｌａｙｅｒ  Ｆｒａｍｅ  Ｆｏｒｍａｔ  ｆｏｒ  ＷＬＡＮ」という名称の米国仮特許出願第６２／０５１，５３７号、および２０１４年１２月８日に出願された「Ｐｈｙｓｉｃａｌ  Ｌａｙｅｒ  Ｆｒａｍｅ  Ｆｏｒｍａｔ  ｆｏｒ  ＷＬＡＮ」という名称の米国仮特許出願第６２／０８９，０３２号の利益を主張し、これらの全ての開示はその全体が、参照により本明細書に組み込まれる。
【０００３】
本開示は、概ね無線通信ネットワークに関し、より具体的には無線ローカルエリアネットワークにおけるレガシデバイスとの共存を容易にする物理層（ＰＨＹ）フレームフォーマットに関する。
【背景技術】
【０００４】
通常、インフラストラクチャモードで動作する場合、無線ローカルエリアネットワーク（ＷＬＡＮ）は、アクセスポイント（ＡＰ）および１または複数のクライアント局を含む。ＷＬＡＮは、過去十年で急速に進化した。米国電気電子学会（ＩＥＥＥ）８０２．１１ａ、８０２．１１ｂ、８０２．１１ｇおよび８０２．１１ｎ規格等のＷＬＡＮ規格の発展により、シングルユーザピークデータスループットは、改善されてきている。例えば、ＩＥＥＥ８０２．１１ｂ規格は１１メガビット／秒（Ｍｂｐｓ）のシングルユーザピークスループットを規定し、ＩＥＥＥ８０２．１１ａおよび８０２．１１ｇ規格は、５４Ｍｂｐｓのシングルユーザピークスループットを規定し、ＩＥＥＥ８０２．１１ｎ規格は、６００Ｍｂｐｓのシングルユーザピークスループットを規定し、ＩＥＥＥ８０２．１１ａｃ規格は、ギガビット／秒（Ｇｂｐｓ）範囲のシングルユーザピークスループットを規定する。将来的な規格は、数十Ｇｂｐｓの範囲のスループット等、より大きいスループットを提供することを保証する。
【発明の概要】
【０００５】
一実施形態において、方法は通信チャネルを介した送信のための物理層（ＰＨＹ）データユニットを生成するものであって、ＰＨＹデータユニットは、第１の通信プロトコルに準拠する。本方法は、第１の通信デバイスにおいてＰＨＹデータユニットに対するＰＨＹプリアンブルを生成する段階を備え、この段階は、ＰＨＹプリアンブルに信号フィールドおよび信号フィールドの複製を含むように信号フィールドを生成する段階と、第２の通信プロトコルに準拠するが第１の通信プロトコルには準拠しない第２の通信デバイスによってＰＨＹプリアンブルの第１の部分がデコード可能となるようにＰＨＹプリアンブルをフォーマットして、ＰＨＹプリアンブルの第１の部分に基づいてＰＨＹデータユニットの持続時間を決定する段階とを有する。また、本方法は、第１の通信デバイスにおいてＰＨＹプリアンブルおよびＰＨＹペイロードを含むようにＰＨＹデータユニットを生成する段階を備える。
【０００６】
様々な他の実施形態において本方法は、以下の特徴の２またはそれより多いもののうちの１つ、あるいは任意の好適な組み合せを更に含む。
【０００７】
信号フィールドは、第２の通信デバイスによりデコード可能なレガシ信号フィールドであり、レガシ信号フィールドは、ＰＨＹプリアンブルの第１の部分に含まれ、レガシ信号フィールドは、ＰＨＹデータユニットの持続時間を示す情報を含む。
【０００８】
ＰＨＹデータユニットに対するＰＨＹプリアンブルを生成する段階は、第２の通信プロトコルに準拠する更なる信号フィールドを生成する段階と、ＰＨＹプリアンブルの第２の部分に更なる信号フィールドを含める段階とを更に有する。
【０００９】
ＰＨＹプリアンブルの第２の部分は、第２の通信デバイスによりデコード可能でない。
【００１０】
ＰＨＹデータユニットに対するＰＨＹプリアンブルを生成する段階は、ＰＨＹプリアンブルの第２の部分に更なる信号フィールドの複製を含める段階を更に有する。
【００１１】
ＰＨＹデータユニットに対するＰＨＹプリアンブルを生成する段階は、ＰＨＹプリアンブルの第２の部分に更なる信号フィールドの複製を含める段階を更に有する。
【００１２】
信号フィールドは、第１の信号フィールドであり、ＰＨＹデータユニットに対するＰＨＹプリアンブルを生成する段階は、第２の通信デバイスによりデコード可能な第２の信号フィールドを生成する段階と、ＰＨＹプリアンブルの第１の部分に第２の信号フィールドを含める段階と、ＰＨＹプリアンブルの第２の部分に第１の信号フィールドを含める段階とを更に有し、第２の信号フィールドは、ＰＨＹデータユニットの持続時間を示す情報を含む。
【００１３】
ＰＨＹプリアンブルの第２の部分は、第２の通信デバイスによりデコード可能でない。
【００１４】
ＰＨＹデータユニットに対するＰＨＹプリアンブルは、ＰＨＹプリアンブルの第１の部分における複数の直交周波数分割（ＯＦＤＭ）シンボルの間にそれぞれの第１のガードインターバルを含むように生成され、方法は、第１の通信デバイスにおいて、ＰＨＹペイロードにおける複数のＯＦＤＭシンボルの間にそれぞれの第２のガードインターバルを含むようにＰＨＹペイロードを生成する段階を更に備え、各々の第２のガードインターバルは、各々の第１のガードインターバルよりも長い持続時間を有する。
【００１５】
ＰＨＹデータユニットに対するＰＨＹプリアンブルは、ＰＨＹプリアンブルの第２の部分における複数のＯＦＤＭシンボルの間にそれぞれの第２のガードインターバルを含むように生成される。
【００１６】
別の実施形態において、第１の通信デバイスは、信号フィールドを生成することと、物理層（ＰＨＹ）プリアンブルに信号フィールドおよび信号フィールドの複製を含めることと、第２の通信プロトコルに準拠するが、第１の通信プロトコルに準拠しない第２の通信デバイスによってＰＨＹプリアンブルの第１の部分がデコード可能となるように、ＰＨＹプリアンブルをフォーマットして、ＰＨＹプリアンブルの第１の部分に基づいてＰＨＹデータユニットの持続時間を決定することとを含めて、第１の通信プロトコルに準拠するＰＨＹデータユニットに対するＰＨＹプリアンブルを生成するように構成された１または複数の集積回路を有するネットワークインターフェースデバイスを備える。また、１または複数の集積回路は、ＰＨＹプリアンブルおよびＰＨＹペイロードを含むＰＨＹデータユニットを生成するように構成される。
【００１７】
様々な他の実施形態において第１の通信デバイスは、以下の特徴の２またはそれより多いもののうちの１つ、あるいは任意の好適な組み合せを更に含む。
【００１８】
信号フィールドは、第２の通信デバイスによりデコード可能なレガシ信号フィールドであり、１または複数の集積回路は、ＰＨＹプリアンブルの第１の部分にレガシ信号フィールドを含めるように構成され、レガシ信号フィールドは、ＰＨＹデータユニットの持続時間を示す情報を含む。
【００１９】
１または複数の集積回路は、第２の通信プロトコルに準拠する更なる信号フィールドを生成し、ＰＨＹプリアンブルの第２の部分に更なる信号フィールドを含めるように構成される。
【００２０】
ＰＨＹプリアンブルの第２の部分は、第２の通信デバイスによりデコード可能でない。
【００２１】
１または複数の集積回路は、ＰＨＹプリアンブルの第２の部分に更なる信号フィールドの複製を含めるように構成される。
【００２２】
１または複数の集積回路は、ＰＨＹプリアンブルの第２の部分に更なる信号フィールドの複製を含めるように構成される。
【００２３】
信号フィールドは、第１の信号フィールドであり、１または複数の集積回路は、第２の通信デバイスによりデコード可能な第２の信号フィールドを生成し、ＰＨＹプリアンブルの第１の部分に第２の信号フィールドを含めるように構成され、ＰＨＹプリアンブルの第２の部分に第１の信号フィールドを含め、第２の信号フィールドは、ＰＨＹデータユニットの持続時間を示す情報を含む。
【００２４】
ＰＨＹプリアンブルの第２の部分は、第２の通信デバイスによりデコード可能でない。
【００２５】
１または複数の集積回路は、ＰＨＹプリアンブルの第１の部分における複数の直交周波数分割（ＯＦＤＭ）シンボルの間にそれぞれの第１のガードインターバルを含むＰＨＹデータユニットに対するＰＨＹプリアンブルを生成し、ＰＨＹペイロードにおける複数のＯＦＤＭシンボルの間にそれぞれの第２のガードインターバルを含むＰＨＹペイロードを生成するように構成され、各々の第２のガードインターバルは、各々第１のガードインターバルよりも長い持続時間を有する。
【００２６】
１または複数の集積回路は、ＰＨＹプリアンブルの第２の部分における複数のＯＦＤＭシンボルの間にそれぞれの第２のガードインターバルを含むようにＰＨＹプリアンブルを生成するように構成される。
【図面の簡単な説明】
【００２７】
【図１】一実施形態による、例示的な無線ローカルエリアネットワーク（ＷＬＡＮ）のブロック図である。
【００２８】
【図２Ａ】従来技術のデータユニットフォーマットの図である。
【図２Ｂ】従来技術のデータユニットフォーマットの図である。
【００２９】
【図３】別の従来技術のデータユニットフォーマットの図である。
【００３０】
【図４】別の従来技術のデータユニットフォーマットの図である。
【００３１】
【図５】別の従来技術のデータユニットフォーマットの図である。
【００３２】
【図６Ａ】従来技術のデータユニットにおいて複数のシンボルを変調するのに用いられる変調の図のグループである。
【００３３】
【図６Ｂ】一実施形態による、例示的なデータユニットにおいて複数のシンボルを変調するのに用いられる複数の変調の図のグループである。
【００３４】
【図７Ａ】一実施形態による、直交周波数分割多重（ＯＦＤＭ）データユニットの図である。
【００３５】
【図７Ｂ】一実施形態による、図７Ａに図示されるデータユニットにおいてシンボルを変調するのに用いられる複数の変調の図のグループである。
【００３６】
【図８】一実施形態によるＯＦＤＭシンボルのブロック図である。
【００３７】
【図９Ａ】一実施形態による、標準符号化スキームがデータユニットのプリアンブルに用いられる例示的なデータユニットを図示する図である。
【００３８】
【図９Ｂ】一実施形態による、標準符号化スキームがデータユニットのプリアンブルの一部のみに用いられる例示的なデータユニットを図示する図である。
【００３９】
【図１０Ａ】一実施形態による、トーンの間隔の調整がブロック符号化と組み合わせて用いられる例示的なデータユニットを図示する図である。
【００４０】
【図１０Ｂ】別の実施形態による、トーンの間隔の調整がブロック符号化と組み合わせて用いられる例示的なデータユニットを図示する図である。
【００４１】
【図１１Ａ】一実施形態による、標準モードデータユニットを図示する図である。
【００４２】
【図１１Ｂ】一実施形態による、距離延長モードデータユニットを図示する図である。
【００４３】
【図１２Ａ】２つの例示的な実施形態による、ロングトレーニングフィールドの２つの可能なフォーマットを各々図示する図である。
【図１２Ｂ】２つの例示的な実施形態による、ロングトレーニングフィールドの２つの可能なフォーマットを各々図示する図である。
【００４４】
【図１３Ａ】一実施形態による、図１１Ａの標準モードデータユニットの非レガシ信号フィールドを図示する図である。
【００４５】
【図１３Ｂ】一実施形態による、図１１Ｂの距離延長モードデータユニットの非レガシ信号フィールドを図示する図である。
【００４６】
【図１４Ａ】一実施形態による、距離延長モードデータユニットを図示するブロック図である。
【００４７】
【図１４Ｂ】一実施形態による、図１４Ａの距離延長モードデータユニットのレガシ信号フィールドを図示する図である。
【００４８】
【図１４Ｃ】一実施形態による、図１４Ｂのレガシ受信デバイスにおけるレガシ信号フィールド用の高速フーリエ変換（ＦＦＴ）ウィンドウを図示する図である。
【００４９】
【図１５】一実施形態による、非レガシ信号フィールドのフォーマットを図示するブロック図である。
【００５０】
【図１６】一実施形態による、標準符号化スキームを用いて複数の標準モードデータユニットを生成する例示的なＰＨＹ処理ユニットを図示するブロック図である。
【００５１】
【図１７Ａ】一実施形態による、距離延長符号化スキームを用いて、複数の距離延長モードデータユニットを生成する例示的なＰＨＹ処理ユニットのブロック図である。
【００５２】
【図１７Ｂ】別の実施形態による、複数の距離延長モードデータユニットを生成する例示的なＰＨＹ処理ユニットのブロック図である。
【００５３】
【図１８Ａ】別の実施形態による、距離延長符号化スキームを用いて、複数の距離延長モードデータユニットを生成する例示的なＰＨＹ処理ユニットのブロック図である。
【００５４】
【図１８Ｂ】別の実施形態による、複数の距離延長モードデータユニットを生成する例示的なＰＨＹ処理ユニットのブロック図である。
【００５５】
【図１９Ａ】別の実施形態による、複数の距離延長モードデータユニットを生成する例示的なＰＨＹ処理ユニットのブロック図である。
【００５６】
【図１９Ｂ】別の実施形態による、複数の距離延長モードデータユニットを生成する例示的なＰＨＹ処理ユニットのブロック図である。
【００５７】
【図２０Ａ】一実施形態による、距離延長モードデータユニットのプリアンブルにおける複数のＯＦＤＭシンボルの反復を示す図である。
【００５８】
【図２０Ｂ】一実施形態による、距離延長モードデータユニットのプリアンブルにおける複数のＯＦＤＭシンボルの反復を示す図である。
【００５９】
【図２０Ｃ】一実施形態による、複数のＯＦＤＭシンボルの時間領域反復スキームを示す図である。
【００６０】
【図２０Ｄ】別の実施形態による、複数のＯＦＤＭシンボルの反復スキームを示す図である。
【００６１】
【図２１】一実施形態による、データユニットを生成する例示的な方法のフロー図である。
【００６２】
【図２２Ａ】一実施形態による、１０ＭＨｚのサブバンドを有する距離延長データユニットの反復を伴った２０ＭＨｚ帯域幅全体の図である。
【００６３】
【図２２Ｂ】一実施形態による、１０ＭＨｚのサブバンドを有する距離延長データユニットの反復を伴った４０ＭＨｚ帯域幅全体の図である。
【００６４】
【図２２Ｃ】一実施形態による、３２点のＦＦＴモードの例示的なトーンプランの図である。
【００６５】
【図２３】一実施形態による、距離延長モードがデータユニットのプリアンブルに用いられる例示的なデータユニットの図である。
【００６６】
【図２４】別の実施形態による、複数の距離延長モードデータユニットを生成する例示的なＰＨＹ処理ユニットのブロック図である。
【００６７】
【図２５Ａ】一実施形態による、１／２のトーンの間隔を有する例示的な２０ＭＨｚの全帯域幅の図である。
【００６８】
【図２５Ｂ】一実施形態による、１／２のトーンの間隔を有する例示的な２０ＭＨｚの全帯域幅の図である。
【００６９】
【図２６Ａ】一実施形態による、サイズ６４のＦＦＴおよび１／２のトーンの間隔を有する距離延長モードの非レガシトーンプランの図である。
【００７０】
【図２６Ｂ】一実施形態による、サイズ１２８のＦＦＴおよび１／２のトーンの間隔を有する距離延長モードの非レガシトーンプランの図である。
【００７１】
【図２６Ｃ】一実施形態による、サイズ２５６のＦＦＴおよび１／２のトーンの間隔を有する距離延長モードの非レガシトーンプランを図示する図である。
【００７２】
【図２７】一実施形態による、データユニットを生成する例示的な方法のフロー図である。
【００７３】
【図２８】別の実施形態による、データユニットを生成する例示的な方法のフロー図である。
【００７４】
【図２９】一実施形態による、第１の通信プロトコルに準拠する例示的なＰＨＹプリアンブルの一部をレガシプロトコルに準拠するプリアンブルの一部と比較した図である。
【００７５】
【図３０】別の実施形態による、第１の通信プロトコルに準拠する別の例示的なＰＨＹプリアンブルの一部をレガシプロトコルに準拠するプリアンブルの一部と比較した図である。
【００７６】
【図３１】別の実施形態による、第１の通信プロトコルに準拠する別の例示的なＰＨＹプリアンブルの一部をレガシプロトコルに準拠するプリアンブルの一部と比較した図である。
【００７７】
【図３２】別の実施形態による、第１の通信プロトコルに準拠する別の例示的なＰＨＹプリアンブルの一部をレガシプロトコルに準拠するプリアンブルの一部と比較した図である。
【００７８】
【図３３】別の実施形態による、第１の通信プロトコルに準拠する別の例示的なＰＨＹプリアンブルの一部をレガシプロトコルに準拠するプリアンブルの一部と比較した図である。
【００７９】
【図３４】別の実施形態による、第１の通信プロトコルに準拠する別の例示的なＰＨＹプリアンブルの一部をレガシプロトコルに準拠するプリアンブルの一部と比較した図である。
【００８０】
【図３５】別の実施形態による、第１の通信プロトコルに準拠する別の例示的なＰＨＹプリアンブルの一部をレガシプロトコルに準拠するプリアンブルの一部と比較した図である。
【００８１】
【図３６】別の実施形態による、第１の通信プロトコルに準拠する別の例示的なＰＨＹプリアンブルの一部をレガシプロトコルに準拠するプリアンブルの一部と比較した図である。
【００８２】
【図３７】別の実施形態による、第１の通信プロトコルに準拠する別の例示的なＰＨＹプリアンブルの一部をレガシプロトコルに準拠するプリアンブルの一部と比較した図である。
【００８３】
【図３８Ａ】様々な実施形態による、図３７の例示的なＰＨＹプリアンブルと共に使用される自動検出シンボルの例を図示する図である。
【図３８Ｂ】様々な実施形態による、図３７の例示的なＰＨＹプリアンブルと共に使用される自動検出シンボルの例を図示する図である。
【図３８Ｃ】様々な実施形態による、図３７の例示的なＰＨＹプリアンブルと共に使用される自動検出シンボルの例を図示する図である。
【図３８Ｄ】様々な実施形態による、図３７の例示的なＰＨＹプリアンブルと共に使用される自動検出シンボルの例を図示する図である。
【００８４】
【図３９】別の実施形態による、第１の通信プロトコルに準拠する別の例示的なＰＨＹプリアンブルの一部をレガシプロトコルに準拠するプリアンブルの一部と比較した図である。
【００８５】
【図４０Ａ】別の実施形態による、第１の通信プロトコルに準拠する別の例示的なＰＨＹプリアンブルの一部の図である。
【００８６】
【図４０Ｂ】別の実施形態による、第１の通信プロトコルに準拠する別の例示的なＰＨＹプリアンブルの一部の図である。
【００８７】
【図４１】一実施形態による、第１の通信プロトコルの距離延長モードに準拠する別の例示的なＰＨＹプリアンブルの一部の図、および第１の通信プロトコルの標準モードに準拠する別の例示的なＰＨＹプリアンブルの一部をレガシプロトコルに準拠するプリアンブルの一部と比較した図である。
【００８８】
【図４２】一実施形態による、第１の通信プロトコルの距離延長モードに準拠する別の例示的なＰＨＹプリアンブルの一部の図、および第１の通信プロトコルの標準モードに準拠する別の例示的なＰＨＹプリアンブルの一部の図をレガシプロトコルに準拠するプリアンブルの一部と比較したである。
【００８９】
【図４３】一実施形態による、第１の通信プロトコルの距離延長モードに準拠する別の例示的なＰＨＹプリアンブルの一部、および第１の通信プロトコルの標準モードに準拠する別の例示的なＰＨＹプリアンブルの一部をレガシプロトコルに準拠するプリアンブルの一部と比較した図である。
【発明を実施するための形態】
【００９０】
下記の複数の実施形態において、無線ローカルエリアネットワーク（ＷＬＡＮ）のアクセスポイント（ＡＰ）等の無線ネットワークデバイスは、１または複数のクライアント局に複数のデータストリームを送信する。ＡＰは、少なくとも第１の通信プロトコルに準拠して、複数のクライアント局と動作するように構成される。第１の通信プロトコルは、本明細書において「高効率Ｗｉ‐Ｆｉ」、「ＨＥＷ」通信プロトコル、または８０２．１１ａｘ通信プロトコルと称される場合がある。いくつかの実施形態において、ＡＰ付近の異なる複数のクライアント局は、ＨＥＷ通信プロトコルと同一の周波数帯域であるが、一般により低いデータスループットによる動作を規定する１または複数の他の通信プロトコルに準拠して動作するように構成される。より低いデータスループットの通信プロトコル（例えば、ＩＥＥＥ８０２．１１ａ、ＩＥＥＥ８０２．１１ｎ、および／またはＩＥＥＥ８０２．１１ａｃ）は、本明細書において集合的に「レガシ」通信プロトコルと称される。少なくともいくつかの実施形態において、レガシ通信プロトコルは一般に、屋内通信チャネルで使用され、ＨＥＷ通信プロトコルは、少なくとも時々は屋外通信、距離延長通信、または送信信号の信号雑音比（ＳＮＲ）が低減された区域での通信において使用される。
【００９１】
一実施形態によれば、ＡＰにより送信される複数のシンボルは、シンボルまたはシンボル内でエンコードされた情報ビットの増大した冗長性を提供する距離延長符号化スキームにより生成される。冗長性は、特に低減されたＳＮＲの区域においてＡＰから複数のシンボルを受信するデバイスにより、シンボルが首尾良くデコードされる可能性を増大させる。一般に、低減されたＳＮＲを軽減するのに必要とされる冗長性の量は、遅延チャネル広がり（例えば、屋外通信チャネルに対する）、シンボルおよび／または他の要因に干渉する他の複数の信号に依存する。一実施形態において、ＨＥＷ通信プロトコルは、標準モードおよび距離延長モードを規定する。一実施形態において、標準モードは一般に、より短いチャネルの遅延広がり（例えば、屋内通信チャネル）または一般により高いＳＮＲ値を特徴とする複数の通信チャネルと共に用いられるが、距離延長モードは一般に、比較的長いチャネルの遅延広がり（例えば、屋外通信チャネル）または一般により低いＳＮＲ値を特徴とする通信チャネルと共に用いられる。一実施形態において、標準符号化スキームは、標準モードで用いられ、距離延長符号化スキームは、距離延長モードで用いられる。
【００９２】
一実施形態において、ＡＰにより送信されるデータユニットは、プリアンブルおよびデータ部分を含み、プリアンブルは、少なくとも部分的に、受信デバイスに対して、データ部分の送信に用いられる様々なパラメータをシグナリングするべく用いられる。様々な実施形態において、データユニットのプリアンブルは、受信デバイスに、データユニットの少なくともデータ部分を使用する特定の符号化スキームをシグナリングするべく用いられる。いくつかの実施形態において、距離延長モードと同一のプリアンブルフォーマットが標準モードにおいて用いられる。そのような一実施形態において、プリアンブルは、標準符号化スキームまたは距離延長符号化スキームがデータユニットの少なくともデータ部分に用いられているかを示す指示セットを含む。いくつかの実施形態において、示される標準符号化スキームまたは距離延長符号化スキームは、データユニットのデータ部分に加えて、データユニットのプリアンブルの少なくとも一部に用いられる。一実施形態において、受信デバイスは、データユニットのプリアンブルにおける指示に基づいて使用されている特定の符号化スキームを判断し、次に特定の符号化スキームを用いてデータユニットの適切な残りの部分（例えば、データ部分またはプリアンブルおよびデータ部分の一部）をデコードする。
【００９３】
別の実施形態において、距離延長モードで用いられるプリアンブルは、標準モードで用いられるプリアンブルとは異なるようにフォーマットされる。例えば、距離延長モードで用いられるプリアンブルは、データユニットが距離延長モードに対応することを、受信デバイスが（例えばデコーディング前に）自動的に検出し得るようにフォーマットされる。一実施形態において、データユニットが距離延長モードに対応することを受信デバイスが検出した場合、受信デバイスは、距離延長符号化スキームを用いてデータユニットのデータ部分をデコードし、少なくともいくつかの実施形態において、プリアンブルの少なくとも一部およびデータユニットのデータ部分をデコードする。他方、データユニットが距離延長モードに対応していないと受信デバイスが検出した場合、受信デバイスは一実施形態において、データユニットが標準モードに対応するものと想定する。次に、一実施形態において受信デバイスは、標準符号化スキームを用いてデータユニットの少なくともデータ部分をデコードする。
【００９４】
更に、少なくともいくつかの実施形態において、標準モードおよび／または距離延長モードデータユニットのプリアンブルは、ＨＥＷ通信プロトコルではなくレガシプロトコルに準拠して動作するクライアント局が、データユニットの持続時間等のデータユニットに関する特定の情報、および／またはデータユニットがレガシプロトコルに準拠していないことを判断することができるようにフォーマットされる。更に、データユニットのプリアンブルは、一実施形態において、ＨＥＷプロトコルに準拠して動作するクライアント局が、データユニットがＨＥＷ通信プロトコルに準拠していること、およびデータユニットが標準モードまたは距離延長モードに従ってフォーマットされているかを判断することができるようにフォーマットされる。同様に、ＨＥＷ通信プロトコルに準拠して動作するように構成されたクライアント局は、一実施形態において上記のような複数のデータユニットも送信する。
【００９５】
少なくともいくつかの実施形態において、例えば、複数の異なる通信プロトコルに準拠するクライアント局、および／または複数のクライアント局が複数の異なる通信プロトコルに準拠して動作する複数のＷＬＡＮと共に動作するように構成されたＡＰを有する上記のもの等のフォーマットされたデータユニットが有用である。上記の例を続けると、ＨＥＷ通信プロトコル（標準モードおよび距離延長モードを含む）およびレガシ通信プロトコルの双方に準拠して動作するように構成された通信デバイスは、所与のデータユニットがレガシ通信プロトコルではなくＨＥＷ通信プロトコルに準拠してフォーマットされていると判断することができ、データユニットが標準モードではなく距離延長モードに従ってフォーマットされていると更に判断することができる。同様に、ＨＥＷ通信プロトコルではなく、レガシ通信プロトコルに準拠して動作するように構成された通信デバイスは、データユニットがレガシ通信プロトコルに準拠してフォーマットされていないと判断し、および／またはデータユニットの持続時間を判断し得る。
【００９６】
図１は、一実施形態による、例示的な無線ローカルエリアネットワーク（ＷＬＡＮ）１０のブロック図である。ＡＰ１４は、ネットワークインターフェース１６に結合されたホストプロセッサ１５を含む。ネットワークインターフェース１６は、媒体アクセス制御（ＭＡＣ）処理ユニット１８および物理層（ＰＨＹ）処理ユニット２０を含む。ＰＨＹ処理ユニット２０は、複数のトランシーバ２１を含み、複数のトランシーバ２１は、複数のアンテナ２４に結合されている。３つのトランシーバ２１および３つのアンテナ２４が図１に図示されているが、複数の他の実施形態において、ＡＰ１４は他の好適な数（例えば、１、２、４、５等）のトランシーバ２１およびアンテナ２４を含む。一実施形態において、ＭＡＣ処理ユニット１８およびＰＨＹ処理ユニット２０は、第１の通信プロトコルの少なくとも第１のモードおよび第２のモードを含む第１の通信プロトコル（例えば、ＨＥＷ通信プロトコル）に準拠して動作するように構成される。いくつかの実施形態において、第１のモードは、距離延長符号化スキーム（例えば、ブロックエンコード、ビット様式のレプリケーション、もしくはシンボルレプリケーション）、信号変調スキーム（例えば、位相シフトキーイングもしくは直交振幅変調）、または距離延長符号化スキームおよび信号変調スキームの双方を用いる距離延長モードに対応する。距離延長モードは、第２のモード（例えば、標準符号化スキームを用いる標準モード）と比較して距離を増大させ、および／または信号雑音（ＳＮＲ）比を低減するように構成され、このＳＮＲで、距離延長モードに準拠するＰＨＹデータユニットの首尾良いデコーディングが実行される。様々な実施形態において、距離延長モードは、標準モードと比較して送信のデータレートを低減し、増大した距離および／または低減されたＳＮＲ比の首尾良いデコーディングを実現する。また、別の実施形態において、ＭＡＣ処理ユニット１８およびＰＨＹ処理ユニット２０は、第２の通信プロトコル（例えば、ＩＥＥＥ８０２．１１ａｃ規格）に準拠して動作するように構成される。なおも別の実施形態において、ＭＡＣ処理ユニット１８およびＰＨＹ処理ユニット２０は、第２の通信プロトコル、第３の通信プロトコル、および／または第４の通信プロトコル（例えば、ＩＥＥＥ８０２．１１ａ規格および／またはＩＥＥＥ８０２．１１ｎ規格）に準拠して動作するように更に構成される。
【００９７】
ＷＬＡＮ１０は、複数のクライアント局２５を含む。４つのクライアント局２５が図１に図示されているが、様々なシナリオおよび実施形態において、ＷＬＡＮ１０は他の好適な数（例えば、１、２、３、５、６等）のクライアント局２５を含む。複数のクライアント局２５のうち少なくとも１つ（例えば、クライアント局２５‐１）は、少なくとも第１の通信プロトコルに準拠して動作するように構成される。いくつかの実施形態において、複数のクライアント局２５のうち少なくとも１つは、第１の通信プロトコルに準拠して動作するように構成されないが、第２の通信プロトコル、第３の通信プロトコル、および／または第４の通信プロトコルのうち少なくとも１つに準拠して動作するように構成される（本明細書において「レガシクライアント局」と称される）。
【００９８】
クライアント局２５‐１は、ネットワークインターフェース２７に結合されたホストプロセッサ２６を含む。ネットワークインターフェース２７は、ＭＡＣ処理ユニット２８およびＰＨＹ処理ユニット２９を含む。ＰＨＹ処理ユニット２９は、複数のトランシーバ３０を含み、複数のトランシーバ３０は、複数のアンテナ３４に結合されている。３つのトランシーバ３０および３つのアンテナ３４が図１に図示されているが、複数の他の実施形態において、クライアント局２５‐１は他の好適な数（例えば、１、２、４、５等）のトランシーバ３０およびアンテナ３４を含む。
【００９９】
一実施形態によれば、クライアント局２５‐４はレガシクライアント局である。すなわち、クライアント局２５‐４が、第１の通信プロトコルに準拠してＡＰ１４または別のクライアント局２５により送信されるデータユニットを受信し、完全にデコードすることは可能とならない。同様に、一実施形態によれば、レガシクライアント局２５‐４が、第１の通信プロトコルに準拠して複数のデータユニットを送信することは可能とならない。他方、レガシクライアント局２５‐４は、第２の通信プロトコル、第３の通信プロトコル、および／または第４の通信プロトコルに準拠してデータユニットを受信して完全にデコードし、送信することが可能となる。
【０１００】
一実施形態において、クライアント局２５‐２および２５‐３の一方または双方は、クライアント局２５‐１と同一またはこれに類似する構造を有する。一実施形態において、クライアント局２５‐４は、クライアント局２５‐１に類似する構造を有する。これらの実施形態において、クライアント局２５‐１と同一または類似する構造の複数のクライアント局２５は、同一または異なる数のトランシーバおよびアンテナを有する。例えば、一実施形態によれば、クライアント局２５‐２は、２つのトランシーバおよび２つのアンテナ（図示せず）のみを有する。
【０１０１】
様々な実施形態において、ＡＰ１４のＰＨＹ処理ユニット２０は、第１の通信プロトコルに準拠し、本明細書に説明される複数のフォーマットを有する複数のデータユニットを生成するように構成される。トランシーバ２１は、アンテナ２４を介して複数の生成されたデータユニットを送信するように構成される。同様に、トランシーバ２１は、アンテナ２４を介して複数のデータユニットを受信するように構成される。様々な実施形態によれば、ＡＰ１４のＰＨＹ処理ユニット２０は、第１の通信プロトコルに準拠し、本明細書の以下に説明される複数のフォーマットを有する複数の受信されたデータユニットを処理し、複数のそのようなデータユニットが第１の通信プロトコルに準拠していると判断するように構成される。
【０１０２】
様々な実施形態において、クライアントデバイス２５‐１のＰＨＹ処理ユニット２９は、第１の通信プロトコルに準拠し、本明細書に説明される複数のフォーマットを有する複数のデータユニットを生成するように構成される。トランシーバ３０は、アンテナ３４を介して複数の生成されたデータユニットを送信するように構成される。同様に、トランシーバ３０は、アンテナ３４を介して複数のデータユニットを受信するように構成される。様々な実施形態によれば、クライアントデバイス２５‐１のＰＨＹ処理ユニット２９は、第１の通信プロトコルに準拠し、本明細書の以下に説明される複数のフォーマットを有する複数の受信されたデータユニットを処理し、複数のそのようなデータユニットが第１の通信プロトコルに準拠していると判断するように構成される。
【０１０３】
図２Ａは、一実施形態による、ＡＰ１４が直交周波数分割多重（ＯＦＤＭ）変調によりレガシクライアント局２５‐４に送信するように構成された従来技術のＯＦＤＭデータユニット２００の図である。また一実施形態において、レガシクライアント局２５‐４は、データユニット２００をＡＰ１４に送信するように構成される。データユニット２００は、ＩＥＥＥ８０２．１１ａ規格に準拠し、２０メガヘルツ（ＭＨｚ）帯域を占有する。データユニット２００は、一般にパケット検出、初期同期および自動利得制御等に用いられるレガシショートトレーニングフィールド（Ｌ‐ＳＴＦ）２０２、ならびに一般にチャネル推定および微同期に用いられるレガシロングトレーニングフィールド（Ｌ‐ＬＴＦ）２０４を有するプリアンブルを含む。また、データユニット２００は、レガシ信号フィールド（Ｌ‐ＳＩＧ）２０６も含み、これは例えば、データユニットを送信するべく用いられる変調タイプおよび符号化レート等、データユニット２００に関する特定の物理層（ＰＨＹ）パラメータを搬送するべく用いられる。データユニット２００は、データ部分２０８も含む。図２Ｂは、例示的なデータ部分２０８の図であり（低密度パリティ検査はエンコードされていない）、例示的なデータ部分２０８は、必要であればサービスフィールド、スクランブル物理層サービスデータユニット（ＰＳＤＵ）、テールビット、およびパディングビットを含む。データユニット２００は、シングル入力シングル出力（ＳＩＳＯ）チャネル構成の１つの空間または時空間ストリームを介する送信用に設計されている。
【０１０４】
図３は、一実施形態による、ＡＰ１４が直交周波数分割多重（ＯＦＤＭ）変調によりレガシクライアント局２５‐４に送信するように構成された従来技術のＯＦＤＭデータユニット３００の図である。また一実施形態において、レガシクライアント局２５‐４は、データユニット３００をＡＰ１４に送信するように構成される。データユニット３００はＩＥＥＥ８０２．１１ｎ規格に準拠し、２０ＭＨｚ帯域を占有し、混合モードの状況、すなわちＷＬＡＮがＩＥＥＥ８０２．１１ａ規格に準拠するが、ＩＥＥＥ８０２．１１ｎ規格には準拠しない１または複数のクライアント局を含む場合のために設計されている。データユニット３００は、Ｌ‐ＳＴＦ３０２、Ｌ‐ＬＴＦ３０４、Ｌ‐ＳＩＧ３０６、高スループット信号フィールド（ＨＴ‐ＳＩＧ）３０８、高スループットショートトレーニングフィールド（ＨＴ‐ＳＴＦ）３１０、およびＭ個のデータ高スループットロングトレーニングフィールド（ＨＴ‐ＬＴＦ）３１２を有するプリアンブルを含む。一般に、Ｍは、多入力多出力（ＭＩＭＯ）チャネル構成のデータユニット３００を送信するべく用いられる空間ストリームの数により決定される整数である。具体的には、ＩＥＥＥ８０２．１１ｎ規格に準拠して、データユニット３００は、データユニット３００が２つの空間ストリームを用いて送信される場合に２つのＨＴ‐ＬＴＦ３１２を含み、データユニット３００が３つまたは４つの空間ストリームを用いて送信される場合には、４つのＨＴ‐ＬＴＦ３１２を含む。使用される特定の数の空間ストリームの指示は、ＨＴ‐ＳＩＧフィールド３０８に含まれる。データユニット３００は、データ部分３１４も含む。
【０１０５】
図４は、一実施形態による、ＡＰ１４が直交周波数分割多重（ＯＦＤＭ）変調によりレガシクライアント局２５‐４に送信するように構成された従来技術のＯＦＤＭデータユニット４００の図である。また一実施形態において、レガシクライアント局２５‐４は、データユニット４００をＡＰ１４に送信するように構成される。データユニット４００は、ＩＥＥＥ８０２．１１ｎ規格に準拠し、２０ＭＨｚ帯域を占有し、「グリーンフィールド」の状況、すなわちＷＬＡＮがＩＥＥＥ８０２．１１ａ規格に準拠するクライアント局を全く含まず、ＩＥＥＥ８０２．１１ｎ規格に準拠するクライアント局のみを含む場合のために設計されている。データユニット４００は、高スループットグリーンフィールドショートトレーニングフィールド（ＨＴ‐ＧＦ‐ＳＴＦ）４０２、第１の高スループットロングトレーニングフィールド（ＨＴ‐ＬＴＦ１）４０４、ＨＴ‐ＳＩＧ４０６およびＭ個のデータＨＴ‐ＬＴＦ４０８を有するプリアンブルを含む。一般に、Ｍは、多入力多出力（ＭＩＭＯ）チャネル構成のデータユニット４００を送信するべく用いられる空間ストリームの数に対応する整数である。データユニット４００は、データ部分４１０も含む。
【０１０６】
図５は、一実施形態による、ＡＰ１４が直交周波数分割多重（ＯＦＤＭ）変調によりレガシクライアント局２５‐４に送信するように構成された従来技術のＯＦＤＭデータユニット５００の図である。また一実施形態において、レガシクライアント局２５‐４は、データユニット５００をＡＰ１４に送信するように構成される。データユニット５００は、ＩＥＥＥ８０２．１１ａｃ規格に準拠し、「混合フィールド」の状況のために設計されている。データユニット５００は、２０ＭＨｚ帯域幅を占有する。複数の他の実施形態またはシナリオにおいて、データユニット５００に類似するデータユニットは、４０ＭＨｚ、８０ＭＨｚまたは１６０ＭＨｚ帯域幅等、異なる帯域幅を占有する。データユニット５００は、Ｌ‐ＳＴＦ５０２、Ｌ‐ＬＴＦ５０４、Ｌ‐ＳＩＧ５０６、第１の超高スループット信号フィールド（ＶＨＴ‐ＳＩＧＡ１）５０８‐１および第２の超高スループット信号フィールド（ＶＨＴ‐ＳＩＧＡ２）５０８‐２を含む２つの第１の超高スループット信号フィールド（ＶＨＴ‐ＳＩＧＡ）５０８、超高スループットショートトレーニングフィールド（ＶＨＴ‐ＳＴＦ）５１０、Ｍ個の超高スループットロングトレーニングフィールド（ＶＨＴ‐ＬＴＦ）５１２、および第２の超高スループット信号フィールド（ＶＨＴ‐ＳＩＧ‐Ｂ）５１４を有するプリアンブルを含む。Ｍは、整数である。データユニット５００は、データ部分５１６も含む。
【０１０７】
図６Ａは、ＩＥＥＥ８０２．１１ｎ規格により規定される、図３におけるデータユニット３００のＬ‐ＳＩＧ、ＨＴ‐ＳＩＧ１およびＨＴ‐ＳＩＧ２フィールドの変調を図示する１セットの図である。Ｌ‐ＳＩＧフィールドは、二位相シフトキーイング（ＢＰＳＫ）により変調され、ＨＴ‐ＳＩＧ１およびＨＴ‐ＳＩＧ２フィールドは、ＢＰＳＫによるが、直交軸上で変調される（Ｑ‐ＢＰＳＫ）。換言すれば、ＨＴ‐ＳＩＧ１およびＨＴ‐ＳＩＧ２フィールドの変調は、Ｌ‐ＳＩＧフィールドの変調と比較して９０°回転される。
【０１０８】
図６Ｂは、ＩＥＥＥ８０２．１１ａｃ規格により規定された図５におけるデータユニット５００のＬ‐ＳＩＧ、ＶＨＴ‐ＳＩＧＡ１およびＶＨＴ‐ＳＩＧＡ２フィールドの変調を図示する１セットの図である。図６ＡにおけるＨＴ‐ＳＩＧ１フィールドと異なり、ＶＨＴ‐ＳＩＧＡ１フィールドは、Ｌ‐ＳＩＧフィールドの変調と同一のＢＰＳＫにより変調される。他方、ＶＨＴ‐ＳＩＧＡ２フィールドは、Ｌ‐ＳＩＧフィールドの変調と比較して９０°回転される。
【０１０９】
図７Ａは、一実施形態による、ＡＰ１４が直交周波数分割多重（ＯＦＤＭ）変調によりクライアント局２５‐１に送信するように構成されたＯＦＤＭデータユニット７００の図である。また一実施形態において、クライアント局２５‐１は、データユニット７００をＡＰ１４に送信するように構成される。データユニット７００は、第１の通信プロトコルに準拠し、２０ＭＨｚ帯域幅を占有する。複数の他の実施形態において、データユニット７００と同様に、第１の通信プロトコルに準拠する複数のデータユニットは、例えば４０ＭＨｚ、８０ＭＨｚ、１６０ＭＨｚ、３２０ＭＨｚ、６４０ＭＨｚ、または複数の他の好適な帯域幅等、他の好適な帯域幅を占有し得る。データユニット７００は、「混合モード」の状況、すなわちＷＬＡＮ１０がレガシ通信プロトコルに準拠するが、第１の通信プロトコルに準拠しないクライアント局（例えば、レガシクライアント局２５‐４）を含む場合に好適である。いくつかの実施形態において、データユニット７００は、複数の他の状況でも使用される。
【０１１０】
一実施形態において、データユニット７００は、Ｌ‐ＳＴＦ７０２、Ｌ‐ＬＴＦ７０４、Ｌ‐ＳＩＧ７０６、第１のＨＥＷ信号フィールド（ＨＥＷ‐ＳＩＧＡ１）７０８‐１および第２のＨＥＷ信号フィールド（ＨＥＷ‐ＳＩＧＡ２）７０８‐２を含む２つの第１のＨＥＷ信号フィールド（ＨＥＷ‐ＳＩＧＡ）７０８、ＨＥＷショートトレーニングフィールド（ＨＥＷ‐ＳＴＦ）７１０、Ｍ個のＨＥＷロングトレーニングフィールド（ＨＥＷ‐ＬＴＦ）７１２、および第３のＨＥＷ信号フィールド（ＨＥＷ‐ＳＩＧＢ）７１４を有するプリアンブル７０１を含み、Ｍは整数である。Ｌ‐ＳＴＦ７０２、Ｌ‐ＬＴＦ７０４、Ｌ‐ＳＩＧ７０６、ＨＥＷ‐ＳＩＧＡ７０８、ＨＥＷ‐ＳＴＦ７１０、Ｍ個のＨＥＷ‐ＬＴＦ７１２、およびＨＥＷ‐ＳＩＧＢ７１４の各々は、整数の１または複数のＯＦＤＭシンボルを含む。例えば、一実施形態において、ＨＥＷ‐ＳＩＧＡ７０８は、２つのＯＦＤＭシンボルを含み、ＨＥＷ‐ＳＩＧＡ１  ７０８‐１フィールドは第１のＯＦＤＭシンボルを含み、ＨＥＷ‐ＳＩＧＡ２は第２のＯＦＤＭシンボルを含む。例えば別の実施形態において、プリアンブル７０１は、第３のＨＥＷ信号フィールド（ＨＥＷ‐ＳＩＧＡ３、図示せず）を含み、ＨＥＷ‐ＳＩＧＡ７０８は、３つのＯＦＤＭシンボルを含み、ＨＥＷ‐ＳＩＧＡ１  ７０８‐１フィールドは、第１のＯＦＤＭシンボルを含み、ＨＥＷ‐ＳＩＧＡ２は、第２のＯＦＤＭシンボルを含み、ＨＥＷ‐ＳＩＧＡ３は、第３のＯＦＤＭシンボルを含む。少なくともいくつかの例において、複数のＨＥＷ‐ＳＩＧＡ７０８は集合的に、１つのＨＥＷ信号フィールド（ＨＥＷ‐ＳＩＧＡ）７０８と称される。いくつかの実施形態において、データユニット７００は、データ部分７１６も含む。複数の他の実施形態において、データユニット７００は、データ部分７１６を省略する。
【０１１１】
図７Ａの実施形態において、データユニット７００は、Ｌ‐ＳＴＦ７０２、Ｌ‐ＬＴＦ７０４、Ｌ‐ＳＩＧ７０６、複数のＨＥＷ‐ＳＩＧＡ１  ７０８の各々のうちの１つを含む。データユニット７００に類似するＯＦＤＭデータユニットが２０ＭＨｚ以外の累積帯域幅を占有する複数の他の実施形態において、Ｌ‐ＳＴＦ７０２、Ｌ‐ＬＴＦ７０４、Ｌ‐ＳＩＧ７０６、複数のＨＥＷ‐ＳＩＧＡ１  ７０８の各々は、一実施形態のデータユニットの全帯域幅の２０ＭＨｚサブバンドの対応する数にわたって反復される。例えば、一実施形態において、ＯＦＤＭデータユニットは、８０ＭＨｚ帯域幅を占有し、従って一実施形態においてＬ‐ＳＴＦ７０２、Ｌ‐ＬＴＦ７０４、Ｌ‐ＳＩＧ７０６、複数のＨＥＷ‐ＳＩＧＡ１  ７０８の各々の４つを含む。いくつかの実施形態において、異なる２０ＭＨｚのサブバンド信号の変調は、異なる角度で回転される。例えば一実施形態において、第１のサブバンドは０°回転し、第２のサブバンドは９０°回転し、第３のサブバンドは１８０°回転し、第４のサブバンドは２７０°回転する。複数の他の実施形態において、異なる好適な回転が使用される。少なくともいくつかの実施形態において、２０ＭＨｚのサブバンド信号の複数の異なる位相は、データユニット７００におけるＯＦＤＭシンボルのピーク対平均電力比（ＰＡＰＲ）の減少をもたらす。一実施形態において、第１の通信プロトコルに準拠するデータユニットが２０ＭＨｚ、４０ＭＨｚ、８０ＭＨｚ、１６０ＭＨｚ、３２０ＭＨｚ、６４０ＭＨｚ等の累積帯域幅を占有するＯＦＤＭデータユニットである場合、ＨＥＷ‐ＳＴＦ、複数のＨＥＷ‐ＬＴＦ、ＨＥＷ‐ＳＩＧＢおよびＨＥＷデータ部分は、データユニットの対応する全帯域幅を占有する。
【０１１２】
図７Ｂは、一実施形態による、図７Ａにおけるデータユニット７００のＬ‐ＳＩＧ７０６、ＨＥＷ‐ＳＩＧＡ１  ７０８‐１およびＨＥＷ‐ＳＩＧＡ２  ７０８‐２の変調を図示する１セットの図である。本実施形態において、Ｌ‐ＳＩＧ７０６、ＨＥＷ‐ＳＩＧＡ１  ７０８‐１およびＨＥＷ‐ＳＩＧＡ２  ７０８‐２フィールドは、ＩＥＥＥ８０２．１１ａｃ規格において規定され、図６Ｂに図示される対応するフィールドの変調と同一の変調を有する。従って、ＨＥＷ‐ＳＩＧＡ１フィールドは、Ｌ‐ＳＩＧフィールドと同様に変調される。他方、ＨＥＷ‐ＳＩＧＡ２フィールドは、Ｌ‐ＳＩＧフィールドの変調と比較して９０°回転される。第３のＨＥＷ‐ＳＩＧＡ３フィールドを有するいくつかの実施形態において、ＨＥＷ‐ＳＩＧＡ２フィールドは、Ｌ‐ＳＩＧフィールドおよびＨＥＷ‐ＳＩＧＡ１フィールドと同様に変調されるが、ＨＥＷ‐ＳＩＧＡ３フィールドは、Ｌ‐ＳＩＧフィールド、ＨＥＷ‐ＳＩＧＡ１フィールドおよびＨＥＷ‐ＳＩＧＡ２フィールドの変調と比較して、９０°だけ回転する。
【０１１３】
一実施形態において、データユニット７００のＬ‐ＳＩＧ７０６、ＨＥＷ‐ＳＩＧＡ１  ７０８‐１およびＨＥＷ‐ＳＩＧＡ２  ７０８‐２フィールドの変調は、ＩＥＥＥ８０２．１１ａｃ規格に準拠するデータユニット（例えば、図５のデータユニット５００）における複数の対応するフィールドの変調に対応するので、ＩＥＥＥ８０２．１１ａ規格および／またはＩＥＥＥ８０２．１１ｎ規格に準拠して動作するように構成された複数のレガシクライアント局は、少なくともいくつかの条件でデータユニット７００がＩＥＥＥ８０２．１１ａｃ規格に準拠すると想定し、これに応じてデータユニット７００を処理する。例えば、ＩＥＥＥ８０２．１１ａ規格に準拠するクライアント局は、データユニット７００のプリアンブルのレガシＩＥＥＥ８０２．１１ａ規格部分を理解し、Ｌ‐ＳＩＧ７０６に示された持続時間に従ってデータユニットの持続時間（またはデータユニット持続時間）を設定する。例えば一実施形態によれば、レガシクライアント局２５‐４は、Ｌ‐ＳＩＧフィールド７０６に示されたレートおよび長さ（例えばバイト数）に基づいてデータユニットに対する持続時間を算出する。一実施形態において、Ｌ‐ＳＩＧフィールド７０６におけるレートおよび長さは、レガシ通信プロトコルに準拠して動作するように構成されたクライアント局がレートおよび長さに基づいて、データユニット７００の実際の持続時間に対応するか、または少なくともこれに近いパケット持続時間（Ｔ）を算出するように設定される。一実施形態において、例えば、レートは、ＩＥＥＥ８０２．１１ａ規格により規定された最低レート（すなわち６Ｍｂｐｓ）を示すように設定され、長さは、最低レートを用いて計算されたパケット持続時間がデータユニット７００の実際の持続時間に少なくとも近くなるように計算された値に設定される。
【０１１４】
一実施形態において、ＩＥＥＥ８０２．１１ａ規格に準拠するレガシクライアント局は、データユニット７００を受信すると、例えばＬ‐ＳＩＧフィールド７０６のレートフィールドおよび長さフィールドを用いてデータユニット７００のパケット持続時間を計算し、一実施形態においてクリアチャネル評価（ＣＣＡ）を実行する前に、計算されたパケット持続時間の終わりまで待機する。従って、本実施形態において、通信媒体は、少なくともデータユニット７００の持続時間中にレガシクライアント局によるアクセスから保護される。一実施形態において、レガシクライアント局は、データユニット７００を継続してデコードするが、データユニット７００の終わりで（例えば、フレームチェックシーケンス（ＦＣＳ）を用いる）エラーチェックがフェールする。
【０１１５】
同様に、一実施形態において、ＩＥＥＥ８０２．１１ｎ規格に準拠して動作するように構成されたレガシクライアント局は、データユニット７００を受信すると、データユニット７００のＬ‐ＳＩＧ７０６において示されたレートおよび長さに基づいてデータユニット７００のパケット持続時間（Ｔ）を計算する。レガシクライアント局は、第１のＨＥＷ信号フィールド（ＨＥＷ‐ＳＩＧＡ１）７０８‐１（ＢＰＳＫ）の変調を検出し、データユニット７００がＩＥＥＥ８０２．１１ａ規格に準拠するレガシデータユニットであると想定する。一実施形態において、レガシクライアント局は、データユニット７００を継続してデコードするが、データユニットの最後で（例えば、フレームチェックシーケンス（ＦＣＳ）を用いる）エラーチェックがフェールする。いずれにせよ、ＩＥＥＥ８０２．１１ｎ規格に準拠して、レガシクライアント局は一実施形態において、クリアチャネル評価（ＣＣＡ）を実行する前に、計算されたパケット持続時間（Ｔ）が終了するまで待機する。従って、埋め込みにおいて通信媒体は、データユニット７００の持続時間中にレガシクライアント局によるアクセスから保護される。
【０１１６】
一実施形態において、第１の通信プロトコルではなくＩＥＥＥ８０２．１１ａｃ規格に準拠して動作するように構成されたレガシクライアント局は、データユニット７００を受信すると、データユニット７００のＬ‐ＳＩＧ７０６において示されたレートおよび長さに基づいてデータユニット７００のパケット持続時間（Ｔ）を計算する。しかし、一実施形態においてレガシクライアント局は、データユニット７００の変調に基づいて、データユニット７００がＩＥＥＥ８０２．１１ａｃ規格に準拠しないことを検出することができない。いくつかの実施形態において、データユニット７００の１または複数のＨＥＷ信号フィールド（例えば、ＨＥＷ‐ＳＩＧＡ１および／またはＨＥＷ‐ＳＩＧＡ２）は、意図的にデータユニット７００をデコードする場合にレガシクライアント局にエラーを検出させ、従ってデータユニット７００のデコーディングを中止させる（または「ドロップ」させる）ようにフォーマットされる。一実施形態において、例えば、データユニット７００のＨＥＷ‐ＳＩＧＡ７０８は、ＳＩＧＡフィールドがＩＥＥＥ８０２．１１ａｃ規格に準拠してレガシデバイスによりデコードされる場合に、意図的にエラーを生じさせるようにフォーマットされる。更に、実施形態において、ＩＥＥＥ８０２．１１ａｃ規格に準拠して、ＶＨＴ‐ＳＩＧＡフィールドをデコードするときにエラーが検出されると、クライアント局は、データユニット７００をドロップし、例えば、クリアチャネル評価（ＣＣＡ）を実行する前にデータユニット７００のＬ‐ＳＩＧ７０６に示されたレートおよび長さに基づいて算出された計算済みパケット持続時間（Ｔ）が終了するまで待機する。従って、一実施形態において通信媒体は、データユニット７００の持続時間中にレガシクライアント局によるアクセスから保護される。
【０１１７】
図８は、一実施形態によるＯＦＤＭシンボル８００の図である。一実施形態において、図７Ａのデータユニット７００は、ＯＦＤＭシンボル８００等のＯＦＤＭシンボルを含む。ＯＦＤＭシンボル８００は、ガードインターバル（ＧＩ）部分８０２および情報部分８０４を含む。一実施形態において、ガードインターバルは、ＯＦＤＭシンボルの最後の部分を反復するサイクリックプレフィックスを含む。一実施形態において、ガードインターバル部分８０２は、受信デバイス（例えばクライアント局２５‐１）におけるＯＦＤＭトーンの直交性を確実にして、ＯＦＤＭシンボル８００が送信デバイス（例えばＡＰ１４）から受信デバイスへと送信される通信チャネルでの多経路伝搬によるシンボル間干渉を最小化または除去するのに用いられる。一実施形態において、ガードインターバル部分８０２の長さは、送信デバイスと受信デバイスとの間の通信チャネルにおいて予期される最悪の場合のチャネルの遅延広がりに基づき、選択される。一実施形態において、例えば、より長いガードインターバルは、通常はより短いチャネルの遅延広がりにより特徴付けられる複数の屋内通信チャネルに対して選択されたより短いガードインターバルと比較して、通常はより長いチャネルの遅延広がりにより特徴付けられる複数の屋外通信チャネルに対して選択される。一実施形態において、ガードインターバル部分８０２の長さは、情報部分８０４が生成されたトーンの間隔（例えば、データユニットにおける全帯域幅の複数のサブキャリア周波数間の間隔）に基づいて選択される。例えば、より長いガードインターバルは、より広いトーンの間隔（例えば６４トーン）に対するより短いガードインターバルと比較して、より狭いトーンの間隔（例えば２５６のトーン）に対して選択される。
【０１１８】
一実施形態によれば、ガードインターバル部分８０２は、使用される送信モードに応じてショートガードインターバル、ノーマルガードインターバルまたはロングガードインターバルに対応している。一実施形態において、屋内通信チャネル、比較的短いチャネルの遅延広がりを伴う通信チャネルまたは好適な高いＳＮＲ比を有する通信チャネルには、ショートガードインターバルまたはノーマルガードインターバルが用いられ、屋外通信チャネル、比較的長い遅延広がりを伴う通信チャネル、または好適な高いＳＮＲ比を有しない通信チャネルには、ロングガードインターバルが用いられる。一実施形態において、ＨＥＷデータユニット（例えばＨＥＷデータユニット７００）が標準モードで送信される場合、ＨＥＷデータユニットのいくつか、または全てのＯＦＤＭシンボルに、ノーマルガードインターバルまたはショートガードインターバルが用いられ、ＨＥＷデータユニットが距離延長モードで送信される場合、ＨＥＷデータユニットのうち少なくともいくつかのＯＦＤＭシンボルに、ロングガードインターバルが用いられる。
【０１１９】
一実施形態において、ショートガードインターバル（ＳＧＩ）は０．４μｓの長さを有し、ノーマルガードインターバルは０．８μｓであり、ロングガードインターバル（ＬＧＩ）は１．２μｓまたは１．８μｓの長さを有する。一実施形態において、情報部分８０４は３．２μｓの長さを有する。複数の他の実施形態において、情報部分８０４は、情報部分８０４が生成されたトーンの間隔に対応する増大された長さを有する。例えば、情報部分８０４は、６４トーンの第１のトーンの間隔を用いる標準モードに対して３．２μｓの第１の長さを有し、１２８トーンの第２のトーンの間隔に対して６．４μｓの第２の長さを有し、第２のトーンの間隔および第２の長さは双方とも、第１のトーンの間隔および第１の長さと比較して２の整数倍、増大される。一実施形態において、情報部分８０４の残りの長さは、受信された時間領域信号のコピー（例えば、情報部分８０４は、受信された時間領域信号の２つのコピーを含む）で満たされる。複数の他の実施形態において、ＳＧＩ、ＮＧＩ、ＬＧＩおよび／または情報部分８０４の複数の他の好適な長さが使用される。いくつかの実施形態において、ＳＧＩは、ＮＧＩの長さの５０％の長さを有し、ＮＧＩは、ＬＧＩの長さの５０％の長さを有する。複数の他の実施形態において、ＳＧＩは、ＮＧＩの長さの７５％またはこれより小さい長さを有し、ＮＧＩは、ＬＧＩの長さの７５％またはこれより小さい長さを有する。複数の他の実施形態において、ＳＧＩは、ＮＧＩの長さの５０％またはこれより小さい長さを有し、ＮＧＩは、ＬＧＩの５０％またはこれより小さい長さを有する。
【０１２０】
複数の他の実施形態において、トーンの間隔が小さくなったＯＦＤＭ変調は、同一のトーンプラン（例えば、どのＯＦＤＭトーンがデータトーン、パイロットトーン、および／またはガードトーン用に指定されているかを示す予め定められた一連のインデックス）を用いる距離延長モードで用いられる。例えば、２０ＭＨｚ帯域幅のＯＦＤＭデータユニット用の標準モードは、６４点の離散フーリエ変換（ＤＦＴ）を用いて６４個のＯＦＤＭトーン（例えば、インデックス−３２〜＋３１）をもたらし、距離延長モードは、２０ＭＨｚのＯＦＤＭデータユニットに１２８点のＤＦＴを用いて、同一の帯域幅で１２８個のＯＦＤＭトーン（例えば、インデックス−６４〜＋６３）をもたらす。この場合、同一のトーンプランを用いつつ、距離延長モードＯＦＤＭシンボルにおけるトーンの間隔は、標準モードＯＦＤＭシンボルと比較して２分の１（１／２）だけ小さくされる。別の例として、２０ＭＨｚ帯域幅のＯＦＤＭデータユニット用の標準モードは、６４点の離散フーリエ変換（ＤＦＴ）を用いて６４個のＯＦＤＭトーンをもたらすが、距離延長モードは、２０ＭＨｚのＯＦＤＭデータユニットに２５６点のＤＦＴを用いて同一の帯域幅の２５６個のＯＦＤＭトーンをもたらす。この場合、距離延長モードＯＦＤＭシンボルにおけるトーンの間隔は、標準モードＯＦＤＭシンボルと比較して４分の１（１／４）だけ小さくされる。複数のそのような実施形態において、例えば、１．６μｓのロングＧＩ持続時間が用いられる。しかし、一実施形態において、距離延長モードＯＦＤＭシンボルにおける情報部分の持続時間は（例えば、３．２μｓから６．４μｓまで）増大し、ＧＩ部分の持続時間のＯＦＤＭシンボルの全持続時間に対するパーセンテージは、依然として同じである。従ってこの場合、少なくともいくつかの実施形態において、より長いＧＩシンボルに起因する効率性のロスが回避される。様々な実施形態において、本明細書において用いられる「ロングガードインターバル」という用語は、ガードインターバルの増大された持続時間およびガードインターバルの持続時間を実質的に増大させる小さくしたＯＦＤＭトーンの間隔を含む。
【０１２１】
図９Ａは、一実施形態による、標準モードまたは距離延長モードがデータユニットのプリアンブルに用いられる例示的なデータユニット９００を図示する図である。一般に、データユニット９００は、図７Ａのデータユニット７００と同一であり、図７Ａのデータユニット７００と同一の番号の要素を含む。データユニット９００のＨＥＷ‐ＳＩＧＡフィールド７０８（例えば、ＨＥＷ‐ＳＩＧＡ１  ７０８‐１またはＨＥＷ‐ＳＩＧＡ２  ７０８‐２）は、符号化指示（ＣＩ）９０２を含む。一実施形態によれば、ＣＩ指示９０２は、（ｉ）標準符号化スキームを用いる標準モード、または（ｉｉ）距離延長符号化スキームを用いる距離延長モードのうちの１つを示すように設定される。一実施形態において、ＣＩ指示９０２は１ビットを含み、当該ビットの第１の値は標準モードを示し、当該ビットの第２の値は距離延長モードを示す。いくつかの実施形態において、ＣＩ指示は、変調・符号化スキーム（ＭＣＳ）インジケータと組み合わされる。例えば一実施形態において、標準モードは、（例えば、ＩＥＥＥ８０２．１１ａｃプロトコルに準拠する）レガシレシーバデバイスにより有効であると判断されるＭＣＳ値に対応するが、距離延長モードは、（例えば、ＩＥＥＥ８０２．１１ａｃプロトコルに準拠しない）レガシレシーバデバイスにより無効である（またはサポートされない）と判断されるＭＣＳ値に対応する。複数の他の実施形態において、ＣＩ指示９０２は、複数の標準モードＭＣＳ値および複数の距離延長モードＭＣＳ値を示す複数のビットを有する。図９Ａに図示されるように、標準符号化スキームは、データユニット７００のプリアンブルの全てのＯＦＤＭシンボルに用いられ、図示された実施形態において、ＣＩ指示９０２により示される標準符号化スキームまたは距離延長符号化スキームのうちの１つが、データ部分７１６のＯＦＤＭシンボルに用いられる。
【０１２２】
例えば、一実施形態において、距離延長符号化スキームがデータ部分７１６のＯＦＤＭシンボルに用いられる場合、標準データユニットと比較して、ＰＨＹデータユニットを首尾良くデコードする距離および／またはＳＮＲは、一般に改善される（すなわち、より長い距離および／またはより低いＳＮＲで首尾良くデコードされる）。いくつかの実施形態において、改善された距離および／またはＳＮＲ性能は、必ずしもプリアンブル７０１のデコーディングのために得られるものではなく、これは標準符号化スキームを用いて生成される。複数のそのような実施形態において、送信パワーブーストを用いてプリアンブル７０１の少なくとも一部を送信すると、データ部分７１６の送信に用いられる送信電力と比較して、プリアンブル７０１の一部のデコード範囲を大きくする。いくつかの実施形態において、送信パワーブーストを用いて送信されるプリアンブル７０１の一部は、Ｌ‐ＳＴＦ７０２のようなレガシフィールド、Ｌ‐ＬＴＦ７０４、およびＬ‐ＳＩＧ７０８、ならびに／またはＨＥＷ‐ＳＴＦおよびＨＥＷ‐ＬＴＦ等の非レガシフィールドを含む。様々な実施形態において、送信パワーブーストは、３ｄＢ、６ｄＢ、または他の好適な値である。いくつかの実施形態において、送信パワーブーストは、「ブーストされる」プリアンブル７０１が同一位置における「ブーストされない」データ部分７１６と比較して類似の性能でデコード可能となるように決定される。いくつかの実施形態において、Ｌ‐ＳＴＦ７０２、Ｌ‐ＬＴＦ７０４および／またはＬ‐ＳＩＧ７０６の増大された長さが、送信パワーブーストと組み合わせて用いられる。複数の他の実施形態において、Ｌ‐ＳＴＦ７０２、Ｌ‐ＬＴＦ７０４および／またはＬ‐ＳＩＧ７０６の増大された長さが、送信パワーブーストに代えて用いられる。
【０１２３】
図９Ｂは、一実施形態による、距離延長符号化スキームがデータユニットのプリアンブルの一部のみに用いられる例示的なデータユニット９５０を図示する図である。一般に、データユニット９５０は、ＣＩ指示９０２により示される符号化スキームがプリアンブル７５１の一部の複数のＯＦＤＭシンボルおよびデータ部分７１６の複数のＯＦＤＭシンボルに適用されるプリアンブル７５１を、データユニット９５０が含むことを除き、図９Ａのデータユニット９００と同じである。具体的には、図示された実施形態において、標準符号化スキームは、プリアンブル７０１の第１の部分７５１‐１に用いられ、標準符号化スキームまたは距離延長符号化スキームのうちの１つは、ＣＩ指示９０２により示されるように、データ部分７１６の複数のＯＦＤＭシンボルに加えて、プリアンブル７５１の第２の部分７５１‐２の複数のＯＦＤＭシンボルに用いられる。従って、図示された実施形態において、ＣＩ指示９０２により示される符号化スキームは、ＨＥＷ‐ＳＴＦ７１０に対応するＯＦＤＭシンボルをスキップして、ＨＥＷ‐ＬＴＦ７１２‐１に対応するＯＦＤＭシンボルの始めに適用される。少なくともいくつかの実施形態において、ＨＥＷ‐ＳＴＦ７１０をスキップすることにより、データユニット９５０を受信するデバイスに、ＣＩ指示９０２をデコードしてレシーバを適切に設定することで、ＯＦＤＭシンボルを受信する前にＣＩ指示９０２により示された符号化スキームを用いて、そのような複数のＯＦＤＭシンボルのデコーディングを開始するのに十分な時間を許容する。
【０１２４】
図１０Ａは、一実施形態による、ＯＦＤＭトーンの間隔の調整が距離延長符号化スキームのビットおよび／またはシンボルの反復と組み合わせて用いられる例示的なデータユニット１０００を図示する図である。一般に、データユニット１０００は、データユニット１０００において距離延長符号化スキームが使用されていることをＣＩ指示９０２が示すときに、データユニット１０００の標準モードＯＦＤＭシンボルに用いられるトーンの間隔と比較して小さくしたトーンの間隔を有するＯＦＤＭ変調を用いてデータ部分７１６の複数のＯＦＤＭシンボルが生成されることを除き、図７Ａのデータユニット９００と同じである。
【０１２５】
図１０Ｂは、別の実施形態による、ＯＦＤＭトーンの間隔の調整が距離延長符号化スキームのビットおよび／またはシンボルの反復と組み合わせて用いられる例示的なデータユニット１０５０を図示する図である。一般に、データユニット１０５０は、データユニット１０５０において距離延長符号化スキームが使用されていることをＣＩ指示９０２が示すときに、データユニット１０５０の標準モードＯＦＤＭシンボルに用いられるトーンの間隔と比較して小さくしたトーンの間隔を有するＯＦＤＭ変調を用いて第２の部分７５１‐２の複数のＯＦＤＭシンボルおよびデータ部分７１６の複数のＯＦＤＭシンボルが生成されることを除き、図９Ｂのデータユニット９５０と同じである。図１０Ａにおいて示される実施形態において、２０ＭＨｚ帯域幅全体が用いられ、第１の部分７５１‐１における通常のトーンの間隔およびガードインターバル、ならびにトーンの間隔が２つ減らされ、ロングガードインターバルおよびサイズ６４のＦＦＴは、帯域幅全体にわたって２回反復される。いくつかの実施形態において、送信パワーブーストは、第１の部分７５１‐１に適用される。複数の他の実施形態において、４ｘ、８ｘ等の他の倍数、または複数の他の好適な値が小さくしたトーンの間隔、増大したガードインターバル、増大したシンボルの持続時間、または帯域幅全体における増大した反復のうちの１または複数に用いられる。
【０１２６】
いくつかの実施形態において、標準モードデータユニットに用いられるプリアンブルと比較して、異なるプリアンブルフォーマットが、距離延長モードデータユニットに用いられる。複数のそのような実施形態において、データユニットを受信するデバイスは、データユニットのプリアンブルのフォーマットに基づいて、データユニットが標準モードデータユニットか、または距離延長モードデータユニットかを自動的に検出し得る。図１１Ａは、一実施形態による、標準モードデータユニット１１００を図示する図である。標準モードデータユニット１１００は、標準モードプリアンブル１１０１を含む。一般に、標準モードプリアンブル１１０１は、図７Ａのデータユニット７００のプリアンブル７０１と同じである。一実施形態において、プリアンブル１１０１は、第１のＨＥＷ‐ＳＩＧＡ１フィールド１１０８‐１および第２のＨＥＷ‐ＳＩＧＡ２フィールド１１０８‐２を含む、ＨＥＷ‐ＳＩＧＡフィールド１１０８を含む。一実施形態において、プリアンブル１１０１のＨＥＷ‐ＳＩＧＡフィールド１１０８（例えば、ＨＥＷ‐ＳＩＧＡ１  １１０８‐１またはＨＥＷ‐ＳＩＧＡ２  １１０８‐２）は、ＣＩ指示１１０２を含む。一実施形態において、ＣＩ指示１１０２は、データユニット１１００におけるデータ部分７１６のＯＦＤＭシンボルに距離延長符号化スキームが用いられるか、または標準符号化スキームが用いられているかを示すように設定される。一実施形態において、ＣＩ指示１１０２は１ビットを含み、当該ビットの第１の値は標準符号化スキームを示し、当該ビットの第２の値は距離延長符号化スキームを示す。以下により詳細に説明されるように、一実施形態においてデータユニット１１００を受信するデバイスは、プリアンブル１１０１のフォーマットに基づいて、プリアンブル１１０１が延長モードプリアンブルではなく、標準モードプリアンブルであることを検出することができる。一実施形態において、プリアンブル１１０１が標準モードプリアンブルであることを検出すると、受信デバイスは、ＣＩ指示１１０２に基づいて、データ部分７１６の複数のＯＦＤＭシンボルに距離延長符号化スキームが用いられているか、または標準符号化スキームが用いられているかを判断し、これに応じてデータ部分７１６をデコードする。いくつかの実施形態において、距離延長符号化スキームが使用されていることをＣＩ指示１１０２が示すと、プリアンブル１１０１の一部の複数のＯＦＤＭシンボル（例えば、ＨＥＷ‐ＬＴＦおよびＨＥＷ‐ＳＩＧＢ）およびデータ部分７１６の複数のＯＦＤＭシンボルが、データユニット１０５０における複数の標準モードＯＦＤＭシンボルに用いられるトーンの間隔と比較して小さいトーンの間隔を伴うＯＦＤＭ変調を用いて生成される。
【０１２７】
図１１Ｂは、一実施形態による、距離延長モードデータユニット１１５０を図示する図である。距離延長モードデータユニット１１５０は、距離延長モードプリアンブル１１５１を含む。一般に、データユニット１１５０は、データユニット１１５０のプリアンブル１１５１がデータユニット１１００のプリアンブル１１０１とは異なるようにフォーマットされることを除き、図１１Ａのデータユニット１１００に類似する。一実施形態において、プリアンブル１１５１は、プリアンブル１１５１が標準モードプリアンブルではなく、距離延長モードプリアンブルであることを、ＨＥＷ通信プロトコルに準拠して動作する受信デバイスが判断することができるようにフォーマットされる。一実施形態において、距離延長モードプリアンブル１１５１は、Ｌ‐ＳＴＦ７０２、Ｌ‐ＬＴＦ７０４、およびＬ‐ＳＩＧ７０６、ならびに１または複数の第１のＨＥＷ信号フィールド（ＨＥＷ‐ＳＩＧＡ）１１５２を含む。一実施形態において、プリアンブル１１５０は、Ｌ‐ＳＩＧフィールド７０６に続く１または複数のセカンダリＬ‐ＳＩＧ１１５４を更に含む。いくつかの実施形態において、複数のセカンダリＬ‐ＳＩＧ１１５４の次には、第２のＬ‐ＬＴＦフィールド（Ｌ‐ＬＴＦ２）１１５６が続く。複数の他の実施形態において、プリアンブル１１５１は、Ｌ‐ＳＩＧ１１５４および／またはＬ‐ＬＴＦ２  １１５６を省略する。また、いくつかの実施形態において、プリアンブル１１５１は、ＨＥＷ‐ＳＴＦ１１５８、１もしくは複数のＨＥＷ‐ＬＴＦフィールド１１６０、および第２のＨＥＷ信号フィールド（ＨＥＷ‐ＳＩＧＢ）１１６２を含む。複数の他の実施形態において、プリアンブル１１５１は、ＨＥＷ‐ＳＴＦ１１５８、ＨＥＷ‐ＬＴＦ１１６０、および／またはＨＥＷ‐ＳＩＧＢ１１６２を省略している。一実施形態において、データユニット１１５０は、データ部分７１６（図１１Ｂに図示せず）も含む。いくつかの実施形態において、複数のＨＥＷ信号フィールド（ＨＥＷ‐ＳＩＧＡ）１１５２は、データフィールド７１６と同一の距離延長符号化スキームを用いて変調される。
【０１２８】
一実施形態において、ＨＥＷ‐ＳＩＧＡ１１５２の１または複数のシンボルは、例えばＢＰＳＫに代えてＱＢＰＳＫを用いて変調され、ＨＥＷ通信プロトコルに準拠して動作する受信デバイスによる標準モードと距離延長モードとの間の自動検出を可能にする。例えば一実施形態において、標準モードプリアンブルがＬ‐ＳＩＧ７０６のフィールドの後に２つのＢＰＳＫシンボルおよび１つのＱ‐ＢＰＳＫシンボルを含む場合、距離延長モードプリアンブルは、Ｌ‐ＳＩＧ７０６のフィールドの後に３つのＢＰＳＫシンボルおよび１つのＱ‐ＢＰＳＫシンボルを含む。例えば一実施形態においては、各６４点のＦＦＴ（２０ＭＨｚ）の４８個のデータトーンを有するＭＣＳ０の４ｘビット様式の反復を用いる場合である。例えばいくつかの実施形態において、自動検出が標準モードと距離延長モードを区別する場合、信号帯域幅を示すべく用いられたビット、ＭＣＳ値、または他の好適なビット等、いくつかのビットはＨＥＷ‐ＳＩＧＡ１１５２から省略される。
【０１２９】
プリアンブル１１５１が１または複数のセカンダリＬ‐ＳＩＧ１１５４を含む一実施形態において、Ｌ‐ＳＩＧ１１５４の各々の内容は、データユニット１１５０におけるＬ‐ＳＩＧ７０６の内容と同じである。一実施形態において、データユニット１１５０を受信する受信デバイスは、Ｌ‐ＳＩＧフィールド７０６、１１５４の反復を検出することにより、プリアンブル１１５１が距離延長モードプリアンブルに対応することを判断する。更に、一実施形態において、Ｌ‐ＳＩＧ７０６のレートサブフィールドおよび長さサブフィールドの双方が、従ってセカンダリＬ‐ＳＩＧ１１５４のレートサブフィールドおよび長さサブフィールドが（例えば、予め定められた）固定値に設定される。この場合、一実施形態において、複数のＬ‐ＳＩＧフィールド７０６、１１５４の反復を検出すると、受信デバイスは、反復する複数のＬ‐ＳＩＧフィールドの固定値を追加のトレーニング情報として用いて、チャネル推定を改善する。しかし、いくつかの実施形態において、Ｌ‐ＳＩＧ７０６の少なくとも長さサブフィールド、従ってセカンダリＬ‐ＳＩＧ１１５４の少なくとも長さフィールドは、固定値に設定されない。例えば、これに代えて一実施形態において、長さフィールドは、データユニット１１５０の実際の長さに基づいて判断された値に設定される。そのような一実施形態において、受信デバイスは、まずＬ‐ＳＩＧ７０６をデコードし、次にＬ‐ＳＩＧ７０６における長さサブフィールドの値を用いてＬ‐ＳＩＧフィールド７０６、１１５４の反復を検出する。別の実施形態において、受信デバイスは、まずＬ‐ＳＩＧフィールド７０６、１１５４の反復を検出し、次に検出された複数のＬ‐ＳＩＧフィールド７０６、１１５４を組み合わせてＬ‐ＳＩＧフィールド７０６、１１５４のデコーディングの信頼性を改善し、および／または複数のＬ‐ＳＩＧフィールド７０６、１１５４における冗長情報を用いてチャネル推定を改善する。
【０１３０】
プリアンブル１１５１がＬ‐ＬＴＦ２  １１５６を含む実施形態において、Ｌ‐ＬＴＦ２  １１５６のＯＦＤＭシンボルは、距離延長符号化スキームを用いて生成される。プリアンブル１１５１がＬ‐ＬＴＦ２  １１５６を含む別の実施形態において、Ｌ‐ＬＴＦ２  １１５６のＯＦＤＭシンボルは、標準符号化スキームを用いて生成される。例えば一実施形態において、Ｌ‐ＬＴＦ７０４において用いられるダブルガードインターバル（ＤＧＩ）が、データユニット１１５０が受信デバイスから送信デバイスへと通る通信チャネルにとり十分に長い場合、Ｌ‐ＬＴＦ２  １１５６の複数のＯＦＤＭシンボルは、標準符号化スキームを用いて生成され、あるいはプリアンブル１１５１は、Ｌ‐ＬＴＦ２  １１５６を省略する。
【０１３１】
別の実施形態において、プリアンブル１１５１は、セカンダリＬ‐ＳＩＧ１１５４を省略するが、Ｌ‐ＬＴＦ２  １１５６を含む。本実施形態において、受信デバイスは、Ｌ‐ＬＴＦ２  １１５６の存在を検出することにより、プリアンブル１１５１が距離延長モードプリアンブルであることを検出する。図１２Ａ〜図１２Ｂは、２つの例示的な実施形態による、Ｌ‐ＬＴＦ２  １１５６として用いるのに好適なＬＴＦの２つの可能なフォーマットを図示する図である。まず図１２Ａを参照すると、第１の例示的な実施形態において、Ｌ‐ＬＴＦ２  １２００は、Ｌ‐ＬＴＦ７０４と同様に、すなわちレガシ通信プロトコル（例えば、ＩＥＥＥ８０２．１１ａ／ｎ／ａｃ規格）により規定されたようにフォーマットされる。具体的には、図示された実施形態において、Ｌ‐ＬＴＦ２  １２００は、ダブルガードインターバル（ＤＧＩ）１２０２を含み、その次にロングトレーニングシーケンス１２０４、１２０６の２つの反復が続く。ここで図１２Ｂを参照すると、別の例示的な実施形態において、Ｌ‐ＬＴＦ２  １２０８は、Ｌ‐ＬＴＦ７０４とは異なるようにフォーマットされる。具体的には、図示された実施形態において、Ｌ‐ＬＴＦ２  １２０８は、第１のノーマルガードインターバル１２１０、ロングトレーニングシーケンス１２１２の第１の反復、第２のノーマルガードインターバル１２１４、およびロングトレーニングシーケンス１２１６の第２の反復を含む。
【０１３２】
再び図１１Ｂを参照すると、一実施形態においてＨＥＷ‐ＳＩＧＡ１１５２は、距離延長符号化スキームを用いて生成される。一実施形態において、ＨＥＷ‐ＳＩＧＡ１１５２の数は、標準モードプリアンブル１１０１のＨＥＷ‐ＳＩＧＡ１１０８の数と同じである。同様に、一実施形態においてＨＥＷ‐ＳＩＧＡ１１５２の内容は、標準モードプリアンブル１１０１のＨＥＷ‐ＳＩＧＡ１１０８の内容と同じである。複数の他の実施形態において、ＨＥＷ‐ＳＩＧＡ１１５２の数および／または内容は、標準モードプリアンブル１１０１のＨＥＷ‐ＳＩＧＡ１１０８の数および／または内容と異なる。一実施形態において、データユニット１１５０を受信するデバイスは、プリアンブル１１５１が距離延長モードプリアンブルに対応することを検出したことに基づいて、距離延長符号化スキームを用いてＨＥＷ‐ＳＩＧＡ１１５２をデコードして、距離延長モードに規定されたように適切にＨＥＷ‐ＳＩＧＡ１１５２を変換する。
【０１３３】
プリアンブル１１５１がＬ‐ＳＩＧ１１５４および／またはＬ‐ＬＴＦ２  １１５６を省略する実施形態において、受信デバイスは、距離延長符号化スキームおよび標準符号化スキームを用いるＨＥＷ‐ＳＩＧＡフィールドの自己相関に基づいて、距離延長符号化スキームまたは標準符号化スキームを用いてプリアンブルにおけるＨＥＷ‐ＳＩＧＡフィールドが生成されたかを検出することにより、プリアンブルが距離延長モードプリアンブル１１５１または標準モードプリアンブル１１０１に対応するかを判断する。図１３Ａ〜図１３Ｂは、一実施形態による、標準モードプリアンブル１１０１のＨＥＷ‐ＳＩＧＡ１１０８および距離延長モードプリアンブル１１５１のＨＥＷ‐ＳＩＧＡ１１５２の各々の図である。図示された実施形態において、標準モードプリアンブル１１０１のＨＥＷ‐ＳＩＧＡ１１０８は、第１のＮＧＩ１３０２、第１のＨＥＷ‐ＳＩＧＡフィールド１３０４、第２のＮＧＩ１３０６、および第２のＨＥＷ‐ＳＩＧＡフィールド１３０８を含む。他方、距離延長モードプリアンブル１１５１のＨＥＷ‐ＳＩＧＡ１１５２は、第１のＬＧＩ１３１０、第１のＨＥＷ‐ＳＩＧＡフィールド１３１２、第２のＬＧＩ１３１４、および第２のＨＥＷ‐ＳＩＧＡフィールド１３１２を含む。一実施形態において、受信デバイスは、図１３Ａに図示される構造のようなノーマルガードインターバル構造を用いてＨＥＷ‐ＳＩＧＡフィールドの第１の自己相関を実行し、図１３Ｂに図示される構造のようなロングガードインターバル構造を用いて第２の自己相関を実行し、自己相関結果の比較を実行する。一実施形態において、ロングガードインターバルを用いるＨＥＷ‐ＳＩＧＡフィールドの自己相関がノーマルガードインターバルを用いるＨＥＷ‐ＳＩＧＡフィールドの自己相関の結果と比較して大きい結果を生成した場合、受信デバイスは、プリアンブルが距離延長モードプリアンブル１１５１に対応するものと判断する。他方、一実施形態において、ノーマルガードインターバルを用いるＨＥＷ‐ＳＩＧＡフィールドの自己相関がロングガードインターバルを有するＨＥＷ‐ＳＩＧＡフィールドの自己相関の結果と比較して大きい結果を生成した場合、受信デバイスは、プリアンブルが標準モードプリアンブル１１０１に対応すると判断する。
【０１３４】
再び図１１Ｂを参照すると、一実施形態において、プリアンブル１１５１は、レガシクライアント局がデータユニット１１５０の持続時間および／またはデータユニットがレガシ通信プロトコルに準拠していないことを判断し得るようにフォーマットされる。更に、実施形態において、プリアンブル１１５１は、データユニットがＨＥＷ通信プロトコルに準拠することを、ＨＥＷプロトコルに準拠して動作するクライアント局が判断できるようにフォーマットされる。例えば、Ｌ‐ＳＩＧ１１５４および／またはＬ‐ＬＴＦ２  １１５６および／またはＨＥＷ‐ＳＩＧＡ１１５２等、プリアンブル１１５１のＬ‐ＳＩＧ７０６の直ぐ後の少なくとも２つのＯＦＤＭシンボルが、ＢＰＳＫ変調を用いて変調される。この場合、一実施形態において、レガシクライアント局は、データユニット１１５０をレガシデータユニットとして処理し、Ｌ‐ＳＩＧ７０６に基づいてデータユニットの持続時間を判断し、判断される持続時間中に媒体にアクセスするのを自制する。更に、一実施形態において、ＨＥＷ‐ＳＩＧ１１５２のうちの１または複数等、プリアンブル１１５１の１または複数の他のＯＦＤＭシンボルは、Ｑ‐ＢＰＳＫ変調を用いて変調され、データユニット１１５０がＨＥＷ通信プロトコルに準拠していることを、ＨＥＷ通信プロトコルに準拠して動作するクライアント局が検出することを可能にする。
【０１３５】
いくつかの実施形態において、ＨＥＷ通信プロトコルは、距離延長モードによるビームフォーミングおよび／またはマルチユーザＭＩＭＯ（ＭＵ‐ＭＩＭＯ）送信を可能にする。複数の他の実施形態において、ＨＥＷ通信プロトコルは、距離延長モードによるシングルストリームのみおよび／またはシングルユーザの送信のみを可能にする。引き続き図１１Ｂを参照すると、プリアンブル１１５１がＨＥＷ‐ＳＴＦ１１５８およびＨＥＷ‐ＬＴＦ１１６０を含む実施形態において、ＡＰ１４は、ＨＥＷ‐ＳＴＦ１１５８を開始するビームフォーミングおよび／またはマルチユーザ送信を適用する。換言すれば、一実施形態において、プリアンブル１１５１の複数のフィールドは、ＨＥＷ‐ＳＴＦ１１５８に先行し、オムニ指向性であり、マルチユーザモードでデータユニット１１５０の全ての意図された受信者により受信されることを意図するが、ＨＥＷ‐ＳＴＦフィールド１１５８、ならびにＨＥＷ‐ＳＴＦフィールド１１５８に続く複数のプリアンブルフィールド、およびプリアンブル１１５１に続くデータ部分はビームフォーミングされ、および／またはデータユニット１１５０の意図された異なる受信者により受信されることを意図した異なる複数の部分を含む。一実施形態において、ＨＥＷ‐ＳＩＧＢフィールド１１６２は、ＭＵ‐ＭＩＭＯモードのデータユニット１１５０の意図された複数の受信者についてのユーザ固有情報を含む。ＨＥＷ‐ＳＩＧＢフィールド１１６２は、実施形態に応じて、標準符号化スキームまたは距離延長符号化スキームを用いて生成される。同様に、ＨＥＷ‐ＳＴＦ１１５８は、実施形態に応じて、標準符号化スキームまたは距離延長符号化スキームを用いて生成される。一実施形態において、ＨＥＷ‐ＳＴＦ１１５８に用いられるトレーニングシーケンスは、ＩＥＥＥ８０２．１１ａｃプロトコル等、レガシ通信プロトコルにおいて規定されたシーケンスである。
【０１３６】
他方、プリアンブル１１５１がＨＥＷ‐ＳＴＦ１１５８およびＨＥＷ‐ＬＴＦ１１６０を省略する実施形態において、ビームフォーミングおよびＭＵＭＩＭＯは、延長ガードインターバルモードで可能とされない。本実施形態において、シングルユーザとシングルストリームのみによる送信は、延長ガードインターバルモードで可能とされる。一実施形態において、受信デバイスは、Ｌ‐ＬＴＦフィールド７０４に基づいてシングルストリームチャネル推定を取得し、Ｌ‐ＬＴＦフィールド７０４に基づいて取得されたチャネル推定に基づいて、データユニット１１５０のデータ部分を復調する。
【０１３７】
いくつかの実施形態において、レシーバデバイスは、ＨＥＷ‐ＳＴＦフィールド１１５８を用いて、データ部分７１６を受信する自動利得制御（ＡＧＣ）処理を再度開始する。一実施形態において、ＨＥＷ‐ＳＴＦは、ＶＨＴ‐ＳＴＦと同一の持続時間（すなわち４マイクロ秒）を有する。複数の他の実施形態において、ＨＥＷ‐ＳＴＦは、ＶＨＴ‐ＳＴＦよりも長い持続時間を有する。一実施形態において、ＨＥＷ‐ＳＴＦは、ＶＨＴ‐ＳＴＦと同一の時間領域の周期性を有し、従って周波数領域において４つのトーン毎に１つのゼロでないトーンが存在し、ＩＥＥＥ８０２．１１ａｃと同一のトーンの間隔を用いる。１／Ｎのトーンの間隔を有する複数の他の実施形態において、ＨＥＷ‐ＳＴＦは、４×Ｎトーン毎に１つのゼロでないトーンを有する。データユニットに対する帯域幅全体が２０ＭＨｚ（例えば、４０ＭＨｚ、８０ＭＨｚ等）よりも大きい実施形態において、ＨＥＷ‐ＳＴＦは、ＩＥＥＥ８０２．１１ａｃと同一のより広い帯域幅ＶＨＴ‐ＳＴＦを用いる（すなわち、４０ＭＨｚ、８０ＭＨｚ、１６０ＭＨｚ等の帯域幅全体に対する２０ＭＨｚのＶＨＴ‐ＳＴＦの複製）。
【０１３８】
図１４Ａは、一実施形態による、距離延長モードデータユニット１４００を図示するブロック図である。データユニット１４００は、距離延長モードプリアンブル１４０１を含む。一般に、距離延長モードプリアンブル１４０１は、プリアンブル１１５１のＬ‐ＳＩＧ７０６およびセカンダリＬ‐ＳＩＧ１１５４が組み合わされてプリアンブル１４０１における１つのＬ‐ＳＩＧフィールド１４０６となることを除き、図１１Ｂの距離延長モードプリアンブル１１５１と類似する。図１４Ｂは、一実施形態によるＬ‐ＳＩＧフィールド１４０６を図示する図である。図１４Ｂの実施形態において、Ｌ‐ＳＩＧフィールド１４０６は、ダブルガードインターバル１４１０と、プリアンブル１１５１におけるＬ‐ＳＩＧフィールド７０６の内容を含む第１のＬ‐ＳＩＧフィールド１４１２と、プリアンブル１１５１におけるセカンダリＬ‐ＳＩＧ２フィールド１１５４の内容を含む第２のＬ‐ＳＩＧフィールド１４１４とを含む。様々な実施形態において、Ｌ‐ＳＩＧフィールド１４０６は、図１１ＢのＬ‐ＳＩＧフィールド７０６、１１５４に関して上述されたように、固定値に設定されるか、または変数値に設定された長さサブフィールドを含む。様々な実施形態において、Ｌ‐ＳＩＧフィールド１４０６の冗長（反復される）ビットは、図１１ＢのＬ‐ＳＩＧフィールド７０６、１１５４に関する上述の改善されたチャネル推定に用いられる。
【０１３９】
一実施形態において、データユニット１４００を受信するレガシクライアント局は、Ｌ‐ＳＩＧフィールド１４０６がノーマルガードインターバルを含むものと想定する。図１４Ｃに図示されるように、本実施形態では、レガシクライアント局において想定されるＬ‐ＳＩＧ情報ビットのＦＦＴウィンドウは、実際のＬ‐ＳＩＧフィールド１４１２と比較してシフトされる。一実施形態において、レガシクライアント局により予期されたようにＦＦＴウィンドウ内のコンスタレーションポイントがＢＰＳＫ変調に対応することを確実にして、従ってレガシクライアント局がＬ‐ＳＩＧフィールド１４１２を適切にデコードすることを可能にするべく、Ｌ‐ＳＩＧフィールド１４１２の変調は、標準のＢＰＳＫ変調に対して位相シフトされる。例えば、２０ＭＨｚのＯＦＤＭシンボルにおいて、ノーマルガードインターバルが０．８μｓであり、ダブルガードインターバルが１．６μｓである場合、Ｌ‐ＳＩＧフィールド１４１２のＯＦＤＭトーンｋの変調は、次式から見られ得る元のＬ‐ＳＩＧの対応するＯＦＤＭトーンｋに対してシフトされる。
【数１】
0006464494.tif 000002
従って、一実施形態において、Ｌ‐ＳＩＧフィールド１４１２は、標準のＢＰＳＫではなく反転Ｑ‐ＢＰＳＫを用いて変調される。従って、一実施形態において、例えば値１のビットは−ｊに変調され、ビット値０はｊに変調されて、標準の｛１，−１｝ＢＰＳＫ変調ではなく｛ｊ，−ｊ｝変調をもたらす。一実施形態において、Ｌ‐ＳＩＧフィールド１４１２の反転Ｑ‐ＢＰＳＫ変調の結果として、レガシクライアント局は、Ｌ‐ＳＩＧフィールド１４１２を適切にデコードし、一実施形態において、Ｌ‐ＳＩＧ１４１２フィールドに基づいてデータユニット１４００の持続時間を判断し得る。他方、一実施形態においてＨＥＷプロトコルに準拠して動作するクライアント局は、Ｌ‐ＳＩＧフィールド１４１２の反復を検出するか、またはレガシクライアント局のＦＦＴウィンドウ内のＬ‐ＳＩＧフィールドの反転Ｑ‐ＢＰＳＫ変調を検出することにより、プリアンブル１４０１が距離延長モードプリアンブルであると自動検出し得る。あるいは、複数の他の実施形態において、ＨＥＷプロトコルに準拠して動作するクライアント局は、ＨＥＷ‐ＳＩＧＡフィールド１１５２の変調またはフォーマットに基づくなど、上述の他の複数の検出方法を用いて、プリアンブル１４０１が距離延長モードプリアンブルであることを検出する。
【０１４０】
図１１Ａ〜図１１Ｂおよび図１４Ａを参照すると、いくつかの実施形態において、ロングガードインターバルは、標準モードプリアンブル（例えば、プリアンブル１１０１）および距離延長モードプリアンブル（例えば、プリアンブル１１５１またはプリアンブル１４０１）の双方の最初のＯＦＤＭシンボルに用いられる。例えば、図１１Ａ〜図１１Ｂを参照すると、一実施形態において、Ｌ‐ＳＴＦフィールド７０２、Ｌ‐ＬＴＦフィールド７０４およびＬ‐ＳＩＧフィールド７０６、１１５４、ならびにＨＥＷ‐ＳＩＧＡフィールド１１５２は、ロングガードインターバルを用いて各々生成される。同様に、図１４Ａを参照すると、一実施形態において、Ｌ‐ＳＴＦフィールド７０２、Ｌ‐ＬＴＦフィールド７０４、Ｌ‐ＳＩＧフィールド１４０６、およびＨＥＷ‐ＳＩＧＡフィールド１１５２は、ロングガードインターバルを用いて生成される。一実施形態において、受信デバイスは、様々な実施形態におけるＨＥＷ‐ＳＩＧＡフィールド１１５２の変調（例えば、Ｑ‐ＢＰＳＫ）に基づくか、またはＨＥＷ‐ＳＩＧＡフィールド１１５２に含まれる指示に基づいてプリアンブルが標準モードプリアンブルまたは距離延長モードプリアンブルに対応するかを判断し得る。更に、図１１Ｂのプリアンブル１１５１と同様に、図１４Ａのプリアンブル１４０１は、実施形態および／もしくはシナリオに応じて第２のＬ‐ＬＴＦ２フィールド１１５６を含み、または省略する。
【０１４１】
図１５は、一実施形態による、ＨＥＷ‐ＳＩＧＡフィールド１５００のフォーマットを図示するブロック図である。いくつかの実施形態において、データユニット１１５０またはデータユニット１４００のＨＥＷ‐ＳＩＧＡフィールド１１５２は、ＨＥＷ‐ＳＩＧＡフィールド１５００としてフォーマットされる。いくつかの実施形態において、ＨＥＷ‐ＳＩＧＡフィールド１１０８は、ＨＥＷ‐ＳＩＧＡフィールド１５００としてフォーマットされる。ＨＥＷ‐ＳＩＧＡフィールド１５００は、ダブルガードインターバル１５０２、ＨＥＷ‐ＳＩＧＡフィールド１５０４の第１の反復、およびＨＥＷ‐ＳＩＧＡフィールド１５０６の第２の反復を含む。例示的な実施形態において、ＤＧＩは１．８μｓであり、ＨＥＷ‐ＳＩＧＡの各反復は３．２μｓである。一実施形態において、ＨＥＷ‐ＳＩＧＡフィールド１５００における反復されるビットは、ＨＥＷ‐ＳＩＧＡフィールド１５００のデコーディングの信頼性を高めるべく用いられる。一実施形態において、ＨＥＷ‐ＳＩＧＡフィールド１５００のフォーマットは、ＨＥＷ‐ＳＩＧＡフィールド１５００のフォーマットを用いるプリアンブルのＨＥＷ‐ＳＩＧＡフィールドの自己相関と、図１３Ａに図示されるフォーマット等の標準モードで用いられる標準のＨＥＷ‐ＳＩＧＡフィールドフォーマットを用いるプリアンブルのＨＥＷ‐ＳＩＧＡフィールドの自己相関との間の比較に基づいて、距離延長モードプリアンブルを自動検出するべく用いられる。いくつかの実施形態において、ＨＥＷ‐ＳＩＧＡフィールド１５００は、データ部分７１６と比較して小さい冗長性を用いて変調される。ＨＥＷ‐ＳＩＧＡフィールド１５００の追加の時間領域の反復は、デコード性能における十分な改善を提供するからである。
【０１４２】
図１６は、一実施形態による、標準符号化スキームを用いて複数の標準モードデータユニットを生成する例示的なＰＨＹ処理ユニットを図示するブロック図である。一実施形態において、図１を参照すると、ＡＰ１４およびクライアント局２５‐１は各々、ＰＨＹ処理ユニット１６００等のＰＨＹ処理ユニットを含む。様々な実施形態および／またはシナリオにおいて、ＰＨＹ処理ユニット１６００は、例えば、図９Ａ、図９Ｂ，図１０Ａ、または図１０Ｂのデータユニットのうちの１つ等、複数の距離延長データユニットを生成する。一般にＰＨＹ処理ユニット１６００は、１または０の長いシーケンスの発生を低減させるべく、情報ビットストリームをスクランブルするスクランブラ１６０２を含む。ＦＥＣエンコーダ１６０６は、スクランブルされた複数の情報ビットをエンコードして、エンコードされたデータビットを生成する。一実施形態において、ＦＥＣエンコーダ１６０６は、２値畳み込みコード（ＢＣＣ）エンコーダを含む。別の実施形態において、ＦＥＣエンコーダ１６０６は、２値畳み込みエンコーダを含み、その次にパンクチャリングブロックが続く。なおも別の実施形態において、ＦＥＣエンコーダ１６０６は、低密度パリティ検査（ＬＤＰＣ）エンコーダを含む。インターリーバ１６１０は、エンコードされた複数のデータビットを受信し、これらのビットをインターリーブ（すなわち、ビットの順序を変更）して、隣接するノイズの複数のビットの長いシーケンスが、レシーバのデコーダに入力されるのを防止する。コンスタレーションマッパ１６１４は、インターリーブされた複数のビットのシーケンスを、ＯＦＤＭシンボルの異なるサブキャリアに対応するコンスタレーションポイントにマッピングする。より具体的には、各空間ストリームについて、コンスタレーションマッパ１６１４は、長さｌｏｇ２（Ｍ）の各ビットシーケンスを、Ｍ個のコンスタレーションポイントのうちの１つに変換する。
【０１４３】
コンスタレーションマッパ１６１４の出力は各々、複数のコンスタレーションポイントのブロックを時間領域信号に変換する離散逆フーリエ変換（ＩＤＦＴ）ユニット１６１８により演算される。ＰＨＹ処理ユニット１６００が複数の空間ストリームを介して送信するための複数のデータユニットを生成するべく動作する複数の実施形態または状況において、サイクリックシフトダイバーシチ（ＣＳＤ）ユニット１６２２は、意図しないビームフォーミングを防止するべく、複数の空間ストリームのうちの１つ以外の全てにサイクリックシフトを挿入する。ＣＳＤユニット１６２２の出力は、ガードインターバル（ＧＩ）挿入およびウィンドウ化ユニット１６２６に提供され、ＯＦＤＭシンボルの巡回拡張子をＯＦＤＭシンボルにプリペンドし、各シンボルのエッジをスムージングして、スペクトル減衰を増大させる。ＧＩ挿入およびウィンドウ化ユニット１６２６の出力は、アナログおよび無線周波数（ＲＦ）ユニット１６３０に提供されて、これは信号をアナログ信号に変換し、この信号を送信のためのＲＦ周波数へとアップコンバートする。
【０１４４】
様々な実施形態において、距離延長モードは、標準モードの最も低いデータレート変調および符号化スキーム（ＭＣＳ）に対応し、複数のビットの冗長性または反復をデータユニットの少なくともいくつかのフィールドまたは複数のシンボルの反復をもたらし、データレートを更に低減する。例えば、様々な実施形態および／またはシナリオにおいて距離延長モードは、下記の１または複数の距離延長符号化スキームにより、距離延長モードデータユニットまたは複数のシンボルの反復のデータ部分および／または非レガシ信号フィールドに、冗長性をもたらす。一例として、一実施形態によれば、複数の標準モードデータユニットは、標準符号化スキームにより生成される。様々な実施形態において、標準符号化スキームは、ＭＣＳ０（二位相シフトキーイング（ＢＰＳＫ）変調および１／２の符号化レート）〜ＭＣＳ９（直交振幅変調（ＱＡＭ）および５／６の符号化レート）等、変調および符号化スキーム（ＭＣＳ）のセットから選択されたＭＣＳであり、高次のＭＣＳは、より高いデータレートに対応する。そのような一実施形態における距離延長モードデータユニットは、ＭＣＳ０により規定された変調および符号化等の距離延長符号化スキームを用いて生成され、追加されたビットの反復、ブロックのエンコードまたはシンボルの反復は、データレートを更に低減する。
【０１４５】
図１７Ａは、一実施形態による、距離延長符号化スキームを用いて、複数の距離延長モードデータユニットを生成する例示的なＰＨＹ処理ユニット１７００のブロック図である。いくつかの実施形態において、ＰＨＹ処理ユニット１７００は、距離延長モードデータユニットの信号および／またはデータフィールドを生成する。一実施形態において、図１を参照すると、ＡＰ１４およびクライアント局２５‐１は各々、ＰＨＹ処理ユニット１７００等のＰＨＹ処理ユニットを含む。
【０１４６】
ＰＨＹ処理ユニット１７００は、スクランブラ１７０２に結合されたブロックコーダ１７０４を、ＰＨＹ処理ユニット１７００が含むことを除き、図１６のＰＨＹ処理ユニット１６００に類似する。一実施形態において、ブロックコーダ１７０４は、ある時点の１つのブロック毎の入力された（スクランブルされた）複数の情報ビットを読み取り、各ブロック（またはブロック内の各ビット）のいくつかのコピーを生成して、距離延長符号化スキームに従ってもたらされる複数のビットをインターリーブし、ＦＥＣエンコーダ１７０６（例えば２値畳み込みエンコーダ）により更にエンコードするインターリーブされた複数のビットを出力する。一般に、一実施形態によれば、各ブロックは、ブロックコーダ１７０４およびＦＥＣエンコーダ１７０６によりエンコードされた後、１つのＯＦＤＭシンボルの複数のデータトーンを満たす情報ビットの数を含む。一例としては、一実施形態において、ブロックコーダ１７０４は、各ブロックの１２個の情報ビットのコピーを２つ（２ｘ反復）を生成して、１つのＯＦＤＭシンボルに含まれるべき２４ビットを生成する。次に、この２４ビットがＦＥＣエンコーダ１７０６により１／２の符号化レートでエンコードされて４８ビットを生成し、４８ビットが（例えば、ＢＰＳＫ変調を用いて）ＯＦＤＭシンボルの４８個のデータトーンを変調する。別の例としては、別の実施形態において、ブロックコーダ１７０４は、６つの情報ビットの各ブロックのコピーを４つ（４ｘ反復）生成して２４ビットを生成し、次にこの２４ビットがＦＥＣエンコーダ１７０６により１／２の符号化レートでエンコードされ、ＯＦＤＭシンボルの４８個のデータトーンを変調する４８ビットを生成する。なおも別の例としては、別の実施形態において、ブロックコーダ１７０４は、１３の情報ビットの各ブロックのコピーを２つ（２ｘ反復）生成して２６ビットを生成し、次にこの２６ビットがＦＥＣエンコーダ１７０６により１／２の符号化レートでエンコードされ、ＯＦＤＭシンボルの５２個のデータトーンを変調する５２ビットを生成する。複数の他の実施形態において、ブロックコーダ１７０４およびＦＥＣエンコーダ１７０６は、ＯＦＤＭシンボルのデータトーンの変調のために１０４、２０８、または任意の好適な数のビットを生成するように構成される。
【０１４７】
いくつかの実施形態において、ブロックコーダ１７０４は、２０ＭＨｚチャネルに対するＩＥＥＥ８０２．１１ｎ規格で規定されるＭＣＳ０により規定されたデータ（または信号）フィールドを生成する場合、すなわち、１つのＯＦＤＭシンボル当たり５２個のデータトーンが存在する場合、４ｘ反復するスキームを適用する。この場合、一実施形態によれば、ブロックコーダ１７０４は、６つの情報ビットの各ブロックのコピーを４つ生成して、２４ビットを生成し、次に２つのパディングビット（すなわち、予め定められた値の２つのビット）を追加して、指定された数のビット（すなわち、５２個のデータトーンに対して２６ビット）をＢＣＣエンコーダに提供し、ＢＣＣエンコーダは、１／２の符号化レートを用いてこの２６ビットをエンコードし、５２個のデータトーンを変調するための５２個の符号化ビットを生成する。
【０１４８】
一実施形態において、ブロックコーダ１７０４は、ｎ個のビットの各ブロックが、ｍ回連続して反復される「ブロックレベル」の反復スキームを使用する。一例として、ｍが４に等しい場合（４ｘ反復）、ブロックコーダ１７０４は、一実施形態によれば、［Ｃ，Ｃ，Ｃ，Ｃ］というシーケンスを生成する。Ｃは、ｎ個のビットのブロックである。別の実施形態において、ブロックコーダ１７０４は、入力された各ビットが、ｍ回連続して反復される「ビットレベル」の反復スキームを使用する。この場合、一実施形態において、ｍが４に等しい場合（４ｘ反復）、ブロックコーダ１７０４は、シーケンス［ｂ１  ｂ１  ｂ１  ｂ１  ｂ２  ｂ２  ｂ２  ｂ２  ｂ３  ｂ３  ｂ３  ｂ３...］を生成する。ｂ１は、複数ビットのブロックにおける第１番目のビットであり、ｂ２は第２番目のビットであり、以下同様である。なおも別の実施形態において、ブロックコーダ１７０４は、入力されたビットのｍの数のコピーを生成して、もたらされたビットストリームを、任意の好適なコードに従ってインターリーブする。あるいは、なおも別の実施形態において、ブロックコーダ１７０４は、任意の好適なコード、例えば、１／２、１／４等の符号化レートを有するハミングブロックコード、または１／２、１／４等の符号化レートを有するその他のブロックコード（例えば、（１，２）または（１，４）ブロックコード、（１２，２４）ブロックコード、または（６，２４）ブロックコード、（１３，２６）ブロックコード等）を用いて、複数の入力されたビットまたは複数の入力されたビットのブロックをエンコードする。
【０１４９】
一実施形態によれば、ブロックコーダ１７０４により実行される符号化と、ＦＥＣエンコーダ１７０６により実行される符号化の組み合わせに対応する実効符号化レートは、２つの符号化レートの積になる。例えば、ブロックコーダ１７０４が４ｘの反復（または１／４の符号化レート）を使用し、ＦＥＣエンコーダ１７０６が１／２の符号化レートを使用する実施形態において、もたらされる実効符号化レートは、１／８に等しくなる。一実施形態によれば、類似の標準モードデータユニットを生成するのに用いられる符号化レートと比較して低減された符号化レートの結果として、距離延長モードでのデータレートは、ブロックコーダ１７０４により適用される符号化レートの数に対応する係数分（例えば、２分の１、４分の１等）だけ実質的に低減される。
【０１５０】
いくつかの実施形態によれば、ブロックコーダ１７０４は、制御モードデータユニットの信号フィールドを生成するのに用いられる、制御モードデータユニットのデータ部分を生成するブロック符号化スキームと同一のブロック符号化スキームを使用する。例えば、一実施形態において、信号フィールドのＯＦＤＭシンボルおよびデータ部分のＯＦＤＭシンボルは各々、４８個のデータトーンを含み、本実施形態において、ブロックコーダ１７０４は、例えば、信号フィールドおよびデータ部分に対して、１２ビットの複数のブロックを２ｘ反復するスキームを適用する。別の実施形態において、制御モードデータユニットのデータ部分および信号フィールドは、異なるブロック符号化スキームを用いて生成される。例えば、一実施形態において、長距離通信プロトコルは、データ部分の１つのＯＦＤＭシンボル当たりのデータトーンの数と比較して、１つのＯＦＤＭシンボル当たりの異なるデータトーンの数を信号フィールドに指定する。従って、本実施形態において、ブロックコーダ１７０４は、異なるブロックサイズを使用し、また、いくつかの実施形態において、信号フィールドに対する動作時に、データ部分を生成するのに用いられたブロックサイズおよび符号化スキームと比較して、異なるブロックサイズおよび符号化スキームを使用する。例えば、長距離通信プロトコルが、信号フィールドの１つのＯＦＤＭシンボル当たり５２個のデータトーンを指定し、データ部分の１つのＯＦＤＭトーン当たり４８個のデータトーンを指定する場合、一実施形態によれば、ブロックコーダ１７０４は、２ｘ反復するスキームを信号フィールドの１３ビットの複数のブロックに適用し、２ｘ反復するスキームをデータ部分の１２ビットの複数のブロックに適用する。
【０１５１】
一実施形態によれば、ＦＥＣエンコーダ１７０６は、ブロック符号化された情報ビットをエンコードする。一実施形態において、ＢＣＣエンコードは、生成される全フィールドにわたって（例えば、データフィールド全体、信号フィールド全体等）連続して実行される。従って、本実施形態において、生成されるフィールドに対応する複数の情報ビットは、指定されたサイズ（例えば、６ビット、１２ビット、１３ビット、またはその他の好適なビット数）の複数のブロックに分割され、各ブロックは、ブロックコーダ１７０４により処理され、次に、もたらされたデータストリームはＦＥＣエンコーダ１７０６に提供され、ＦＥＣエンコーダ１７０６は、複数の入力されたビットを連続してエンコードする。
【０１５２】
様々な実施形態において、図１６のインターリーバ１６１０と同様に、ダイバーシチ利得を提供し、データストリーム中の連続した複数のビットが送信チャネル内で破損する機会を低減するべく、インターリーバ１７１０は、複数のビットの順序を変更する。しかし、いくつかの実施形態において、ブロックコーダ１７０４は、十分なダイバーシチ利得を提供し、インターリーバ１７１０は省略される。いくつかの実施形態において、インターリーバ１７１０またはＦＥＣエンコーダ１７０６は、上記のように送信用のコンスタレーションマッパ１６１４に複数のビットを提供する。
【０１５３】
いくつかの実施形態において、距離延長モードデータユニットのデータ部分における情報ビットが、パディングされて（すなわち、知られた値のビット数が情報ビットに追加される）、例えばデータユニットは、整数のＯＦＤＭシンボルを占有するようになる。図１を参照すると、いくつかの実施形態において、パディングがＭＡＣ処理ユニット１８、２８および／またはＰＨＹ処理ユニット２０、２９において実装される。そのようないくつかの実施形態において、パディングビットの数は、短距離通信プロトコル（例えば、ＩＥＥＥ８０２．１１ａ規格、ＩＥＥＥ８０２．１１ｎ規格、ＩＥＥＥ８０２．１１ａｃ規格等）で提供されているパディングの方程式に準拠して決定される。一般に、これらのパディングの方程式は、１つのＯＦＤＭシンボル当たりのデータビット数（ＮＤＢＰＳ）および／または１シンボル当たりの符号化されたデータビット数（ＮＣＢＰＳ）に部分的に基づいて、パディングビットの数を計算することを含む。一実施形態によれば、距離延長モードでは、パディングビットの数は、複数の情報ビットがブロックコーダ１７０４によりブロックエンコードされ、ＦＥＣエンコーダ１７０６によりＢＣＣエンコードされる前の、ＯＦＤＭシンボルの情報ビットの数（例えば、６ビット、１２ビット、１３ビット等）に基づいて決定される。従って、距離延長モードデータユニットにおけるパディングビットの数は一般に、対応する標準モードデータ（または対応する短距離データユニット）におけるパディングビットの数とは異なる。他方、一実施形態によれば、１シンボル当たりの符号化ビットの数は、標準モードデータユニット（または対応する短距離データユニット）の１シンボル当たりの符号化ビットの数と同一であり、例えば１つのＯＦＤＭ当たりの符号化ビットは、２４、４８、５２等である。
【０１５４】
図１７Ｂは、別の実施形態による、複数の距離延長モードデータユニットを生成する例示的なＰＨＹ処理ユニット１７５０のブロック図である。いくつかの実施形態において、ＰＨＹ処理ユニット１７５０は、距離延長モードデータユニットの信号および／またはデータフィールドを生成する。一実施形態において、図１を参照すると、ＡＰ１４およびクライアント局２５‐１は各々、ＰＨＹ処理ユニット１７５０等のＰＨＹ処理ユニットを含む。
【０１５５】
ＰＨＹ処理ユニット１７５０は、ＰＨＹ処理ユニット１７５０において、ＦＥＣエンコーダ１７０６がＬＤＰＣエンコーダ１７５６で代替されることを除き、図１７ＡのＰＨＹ処理ユニット１７００に類似する。従って、本実施形態において、ブロックコーダ１７０４の出力は、ＬＤＰＣエンコーダ１７５６により更なるブロックエンコードに提供される。一実施形態において、ＬＤＰＣエンコーダ１７５６は、１／２の符号化レートに対応するブロックコード、または別の好適な符号化レートに対応するブロックコードを使用する。図示された実施形態において、ＰＨＹ処理ユニット１７５０はインターリーバ１７１０を省略しているが、これは、情報ストリームにおける複数の隣接するビットが一般に、ＬＤＰＣコード自体により拡散されており、更なるインターリーブが必要とされないからである。更に、一実施形態において、ＬＤＰＣトーン再マッピングユニット１７６０により、更なる周波数ダイバーシチが提供される。一実施形態によれば、ＬＤＰＣトーン再マッピングユニット１７６０は、トーン再マッピング関数に従って、符号化された情報ビットまたは符号化された情報ビットの複数のブロックを再び並び替える。一般に、トーン再マッピング関数は、連続した符号化された情報ビットまたは情報ビットの複数のブロックがＯＦＤＭシンボルにおける不連続なトーンにマッピングされて、連続した複数のＯＦＤＭトーンが送信中に悪影響を受けた場合に、レシーバにおいてデータの回復を容易にするように規定される。いくつかの実施形態において、ＬＤＰＣトーン再マッピングユニット１７６０は省略される。図１７Ａを再び参照すると、様々な実施形態において、ＦＥＣエンコーダ１７０６を適切に動作させるべく、通常、いくつかのテールビットがデータユニットの各フィールドに追加され、例えば、ＢＣＣエンコーダが各フィールドをエンコードした後で、ゼロの状態に戻ることを確実にする。一実施形態において、例えば、データ部分がＦＥＣエンコーダ１７０６に提供される前に（例えば、ビットがブロックコーダ１７０４により処理された後）、６つのテールビットが、データ部分の終わりに挿入される。
【０１５６】
いくつかの実施形態において、距離延長モードデータユニットの信号フィールドは、標準モードデータユニットの信号フィールドフォーマットと比較して異なるフォーマットを有する。そのようないくつかの実施形態において、距離延長モードデータユニットの信号フィールドは、標準モードデータユニットの信号フィールドフォーマットと比較して短い。例えば、一実施形態による距離延長モードでは、１つの変調および符号化スキームのみが用いられ、従って距離延長モード信号フィールドで通信される必要がある変調および符号化に関する情報はより少なくなる（または通信する情報がなくなる）。同様に、一実施形態において、距離延長モードデータユニットの最大長は、標準モードデータユニットの最大長と比較して短く、この場合に距離延長モード信号フィールドの長さサブフィールドに必要とされるビット数は少なくなる。一例として、一実施形態において、距離延長モード信号フィールドは、ＩＥＥＥ８０２．１１ｎ規格に準拠してフォーマットされるが、特定のサブフィールド（例えば、低密度パリティ検査（ＬＤＰＣ）サブフィールド、時空間ブロック符号化（ＳＴＢＣ）サブフィールド等）は省略されている。更に、または代替的に、いくつかの実施形態において、距離延長モード信号フィールドは、標準モード信号フィールドの巡回冗長検査（ＣＲＣ）サブフィールドと比較して短いＣＲＣサブフィールド（例えば、８ビット未満）を含む。一般に、いくつかの実施形態によれば、距離延長モードでは、特定の信号フィールドサブフィールドが省略もしくは変更され、および／または特定の新しい情報が追加される。
【０１５７】
図１８Ａは、別の実施形態による、距離延長符号化スキームを用いて、複数の距離延長モードデータユニットを生成する例示的なＰＨＹ処理ユニット１８００のブロック図である。いくつかの実施形態において、ＰＨＹ処理ユニット１８００は、距離延長モードデータユニットの信号および／またはデータフィールドを生成する。一実施形態において、図１を参照すると、ＡＰ１４およびクライアント局２５‐１は各々、ＰＨＹ処理ユニット１８００等のＰＨＹ処理ユニットを含む。
【０１５８】
ＰＨＹ処理ユニット１８００は、ＰＨＹ処理ユニット１８００において、ブロックコーダ１８０８がＦＥＣエンコーダ１８０６の後に配置されていることを除き、図１７ＡのＰＨＹ処理ユニット１７００に類似する。従って、本実施形態において、情報ビットは、まずスクランブラ１８０２によりスクランブルされ、ＦＥＣエンコーダ１８０６によりエンコードされ、ＦＥＣ符号化ビットは、次にブロックコーダ１８０８により複製されるか、またはそうでなければブロックエンコードされる。一実施形態において、ＰＨＹ処理ユニット１７００の例示的な実施形態のように、ＦＥＣエンコーダ１８０６による処理は、生成される全フィールドにわたって（例えば、データ部分全体、信号フィールド全体等）にわたって連続して実行される。従って、本実施形態において、生成されるフィールドに対応する複数の情報ビットは、まずＦＥＣエンコーダ１８０６によりエンコードされて、次にＢＣＣ符号化ビットは、指定されたサイズ（例えば、６ビット、１２ビット、１３ビット、またはその他の好適なビット数）の複数のブロックに分割される。次に、各ブロックがブロックコーダ１８０８により処理される。一例として、一実施形態において、ＦＥＣエンコーダ１８０６は、１／２の符号化レートを用いて１つのＯＦＤＭシンボル当たり１２個の情報ビットをエンコードして、２４個のＢＣＣ符号化ビットを生成し、このＢＣＣ符号化ビットをブロックコーダ１８０８に提供する。一実施形態において、ブロックコーダ１８０８は、入力された各ブロックの２つのコピーを生成して、距離延長符号化スキームに従って生成された複数のビットをインターリーブし、１つのＯＦＤＭシンボル内に含まれるべき４８ビットを生成する。そのような一実施形態において、この４８ビットは、ＩＤＦＴ処理ユニット１８１８においてサイズ６４の高速フーリエ変換（ＦＦＴ）を用いて生成された４８個のデータトーンに対応する。別の例として、別の実施形態において、ＦＥＣエンコーダ１８０６は、１／２の符号化レートを用いて１つのＯＦＤＭシンボル当たり６つの情報ビットをエンコードして、１２個のＢＣＣ符号化ビットを生成し、このＢＣＣ符号化ビットをブロックコーダ１８０８に提供する。一実施形態において、ブロックコーダ１８０８は、入力された各ブロックの２つのコピーを生成して、距離延長符号化スキームに従って生成された複数のビットをインターリーブし、１つのＯＦＤＭシンボル内に含まれるべき２４ビットを生成する。そのような一実施形態において、この２４ビットは、ＩＤＦＴ処理ユニット１８１８においてサイズ３２のＦＦＴを用いて生成された２４個のデータトーンに対応する。
【０１５９】
図１７Ａのブロックコーダ１７０４と同様に、距離延長モードデータユニットの信号フィールドを生成するべくブロックコーダ１８０８により用いられる距離延長符号化スキームは、実施形態に応じて、距離延長モードデータユニットのデータ部分を生成するべくブロックコーダ１８０８により用いられる距離延長符号化スキームと異なるか、または同一である。様々な実施形態において、ブロックコーダ１８０８は、図１７Ａのブロックコーダ１７０４に関して上述された「ブロックレベル」の反復スキームまたは「ビットレベル」の反復スキームを実装する。同様に、別の実施形態において、ブロックコーダ１８０８は、ｍの数の入力されたビットのコピーを生成して、好適なコードに従ってもたらされたビットストリームをインターリーブし、またはそうでなければ任意の好適なコード、例えば、１／２、１／４等の符号化レートを有するハミングブロックコード、または１／２、１／４等の符号化レートを有するその他のブロックコード（例えば、（１，２）または（１，４）ブロックコード、（１２，２４）ブロックコード、または（６，２４）ブロックコード、（１３，２６）ブロックコード等）を用いて、複数の入力されたビットまたは複数の入力されたビットのブロックをエンコードする。一実施形態によれば、ＰＨＹ処理ユニット１８００により生成されるデータユニットに対する実効符号化レートは、ＦＥＣエンコーダ１８０６により用いられる符号化レートおよびブロックコーダ１８０８により用いられる反復の数（または符号化レート）の積になる。
【０１６０】
一実施形態において、ブロックコーダ１８０８は、十分なダイバーシチ利得を提供し、符号化ビットの更なるインターリーブが必要とされなくなるので、インターリーバ１８１０は省略される。インターリーバ１８１０を省略する１つの利点は、この場合において、いくつかのそのような状況で１シンボル当たりのデータビット数がたとえ整数でなくとも、５２個のデータトーンを有するＯＦＤＭシンボルが、４ｘまたは６ｘ反復するスキームを用いて生成され得ることである。例えば、そのような一実施形態において、ＦＥＣエンコーダ１８０６の出力は、１３ビットの複数のブロックに分割されて、各ブロックが４回反復され（または１／４のレートでブロックエンコードされ）、１つのＯＦＤＭシンボルに含まれるべき５２ビットが生成される。この場合、ＦＥＣエンコーダ１８０６が１／２の符号化レートを使用する場合、１シンボル当たりのデータビット数は、６．５に等しい。６ｘの反復を使用する例示的な実施形態において、ＦＥＣエンコーダ１８０６は、１／２の符号化レートを用いて情報ビットをエンコードし、その出力は、４ビットの複数のブロックに分割される。ブロックコーダ１８０８は、４ビットの各ブロックを６回反復して（または、１／６の符号化レートを用いて各ブロックをブロックエンコードして）、４パディングビットを追加し、１つのＯＦＤＭシンボルに含まれるべき５２ビットを生成する。
【０１６１】
上述の図１７ＡにおけるＰＨＹ処理ユニット１７００の例のように、ＰＨＹ処理ユニット１８００によりパディングが用いられる場合には、パディングビット計算に用いられる１シンボル当たりのデータビット数（ＮＤＢＰＳ）は、ＯＦＤＭシンボルにおける非冗長データビットの実際の数（例えば、上記の例では、６ビット、１２ビット、１３ビット、またはその他の好適なビット数）である。パディングビットの計算で用いられる１シンボル当たりの符号化ビットの数（ＮＣＢＰＳ）は、１つのＯＦＤＭシンボルに実際に含まれるビットの数に等しい（例えば、２４ビット、４８ビット、５２ビット、またはＯＦＤＭシンボルに含まれるその他の好適なビット数）。
【０１６２】
また、図１７ＡのＰＨＹ処理ユニット１７００の例におけるように、ＦＥＣエンコーダ１８０６を適切に動作させるべく、通常、いくつかのテールビットがデータユニットの各フィールドに挿入され、例えば、ＢＣＣエンコーダが、各フィールドをエンコードした後で、ゼロの状態に戻ることを確実にする。一実施形態において、例えば、データ部分がＦＥＣエンコーダ１８０６に提供される前に（すなわち、ブロックコーダ１７０４による処理が実行された後）、６つのテールビットが、データ部分の終わりに挿入される。同様に、信号フィールドの場合、一実施形態によれば、信号フィールドがＦＥＣエンコーダ１８０６に提供される前に、テールビットは、信号フィールドの終わりに挿入される。ブロックコーダ１８０８が、４ｘ反復するスキーム（または１／４の符号化レートを使用する別のブロックコード）を用いる例示的な実施形態において、ＦＥＣエンコーダ１８０６は１／２の符号化レートを使用し、信号フィールドは２４個の情報ビット（テールビットを含む）を含み、この２４個の信号フィールドビットは、ＢＣＣエンコードされて４８個のＢＣＣエンコードビットが生成され、この４８ビットは、１２ビットの４つのブロックに各々分割されて、ブロックコーダ１８０８により更にエンコードされる。従って、本実施形態において、信号フィールドは、４つのＯＦＤＭシンボルにわたって送信されて、ＯＦＤＭシンボルの各々は、信号フィールドの６つの情報ビットを含む。
【０１６３】
更に、いくつかの実施形態において、ＰＨＹ処理ユニット１８００は、ＩＥＥＥ８０２．１１ｎ規格またはＩＥＥＥ８０２．１１ａｃ規格で規定されるＭＣＳ０に従って、５２個のデータトーンを有する複数のＯＦＤＭシンボルを生成し、ブロックコーダ１８０８は、４ｘ反復するスキームを使用する。そのようないくつかの実施形態において、更なるパディングが用いられて、１つのＯＦＤＭシンボルに含まれるべき、もたらされたエンコードデータストリームが、５２ビットを含むのを確実にする。そのような一実施形態において、ビットがブロックコーダ１８０８により処理された後に、符号化された情報ビットにパディングビットが追加される。
【０１６４】
図１８Ａの実施形態において、ＰＨＹ処理ユニット１８００は、ピーク対平均電力比（ＰＡＰＲ）低減ユニット１８０９も含む。一実施形態において、ＰＡＰＲ低減ユニット１８０９は、反復される複数のブロックのいくつかまたは全てにおけるビットをフリップして、ＯＦＤＭシンボル内の異なる周波数位置における同一のビットシーケンスの発生を低減または除去して、それにより出力信号のピーク対平均電力比を低減する。一般的に、ビットフリップは、０のビット値を１のビット値に変更し、１のビット値を０のビット値に変更することを含む。一実施形態によれば、ＰＡＰＲ低減ユニット１８０９は、ＸＯＲ演算を用いてビットフリップを実装する。例えば、符号化ビットのブロックの４ｘの反復を使用する実施形態において、１つのＯＦＤＭシンボルに含まれる符号化ビットの１ブロックがＣと表記され、かつＣ'＝Ｃ  ＸＯＲ  １である（すなわち、ブロックＣがフリップされたビットを有する）場合、いくつかの実施形態によれば、ＰＡＰＲ低減ユニット１８０９の出力におけるいくつかの可能なビットシーケンスは、［Ｃ  Ｃ'  Ｃ'  Ｃ'］，［Ｃ'  Ｃ'  Ｃ'  Ｃ］，［Ｃ  Ｃ'  Ｃ  Ｃ'］，［Ｃ  Ｃ  Ｃ  Ｃ'］等となる。一般に、フリップされたビットを有するブロックと、フリップされないビットを有するブロックとの任意の組み合わせが用いられ得る。いくつかの実施形態において、ＰＡＰＲユニット１８０９は、省略される。
【０１６５】
図１８Ｂは、別の実施形態による、複数の距離延長モードデータユニットを生成する例示的なＰＨＹ処理ユニット１８５０のブロック図である。いくつかの実施形態において、ＰＨＹ処理ユニット１８５０は、距離延長モードデータユニットの信号および／またはデータフィールドを生成する。一実施形態において、図１を参照すると、ＡＰ１４およびクライアント局２５‐１は各々、ＰＨＹ処理ユニット１８５０等のＰＨＹ処理ユニットを含む。
【０１６６】
ＰＨＹ処理ユニット１８５０は、ＰＨＹ処理ユニット１８５０において、ＦＥＣエンコーダ１８０６がＬＤＰＣエンコーダ１８５６で代替されていることを除き、図１８ＡのＰＨＹ処理ユニット１８００に類似する。従って、本実施形態において、情報ビットは、まずＬＤＰＣエンコーダ１８５６によりエンコードされ、ＬＤＰＣ符号化ビットは、次にブロックコーダ１８０８により複製されるか、またはそうでなければブロックエンコードされる。一実施形態において、ＬＤＰＣエンコーダ１８５６は、１／２の符号化レートに対応するブロックコード、または別の好適な符号化レートに対応するブロックコードを使用する。図示された実施形態において、ＰＨＹ処理ユニット１８５０はインターリーバ１８１０を省略しているが、これは、情報ストリームにおける複数の隣接するビットが一般に、ＬＤＰＣコード自体により拡散されており、一実施形態によれば、更なるインターリーブが必要とされないからである。更に、一実施形態において、ＬＤＰＣトーン再マッピングユニット１８６０により、更なる周波数ダイバーシチが提供される。一実施形態によれば、ＬＤＰＣトーン再マッピングユニット１８６０は、トーン再マッピング関数に従って、符号化された情報ビットまたは符号化された情報ビットの複数のブロックを再び並び替える。一般に、トーン再マッピング関数は、連続した符号化された情報ビットまたは情報ビットの複数のブロックがＯＦＤＭシンボルにおける不連続なトーンにマッピングされて、連続した複数のＯＦＤＭトーンが送信中に悪影響を受けた場合に、レシーバにおいてデータの回復を容易にするように規定される。いくつかの実施形態において、ＬＤＰＣトーン再マッピングユニット１８６０は省略される。
【０１６７】
図１９Ａは、別の実施形態による、複数の距離延長モードデータユニットを生成する例示的なＰＨＹ処理ユニット１９００のブロック図である。いくつかの実施形態において、ＰＨＹ処理ユニット１９００は、距離延長モードデータユニットの信号および／またはデータフィールドを生成する。一実施形態において、図１を参照すると、ＡＰ１４およびクライアント局２５‐１は各々、ＰＨＹ処理ユニット１９００等のＰＨＹ処理ユニットを含む。
【０１６８】
ＰＨＹ処理ユニット１９００は、ＰＨＹ処理ユニット１９００において、ブロックコーダ１９１６がコンスタレーションマッパ１９１４の後に配置されていることを除き、図１８ＡのＰＨＹ処理ユニット１８００に類似する。従って、本実施形態において、インターリーバ１９１０により処理された後、ＢＣＣエンコードされた情報ビットはコンスタレーションシンボルにマッピングされて、次いでコンスタレーションシンボルは複製され、または別途、ブロックコーダ１９１６によりブロックエンコードされる。一実施形態によれば、ＦＥＣエンコーダ１９０６による処理は、生成されるフィールド全体（例えば、データフィールド全体、信号フィールド全体等）にわたって連続して実行される。本実施形態において、生成されるフィールドに対応する複数の情報ビットはまず、ＦＥＣエンコーダ１８０６によりエンコードされて、次にＢＣＣ符号化ビットが、コンスタレーションマッパ１９１４によりコンスタレーションシンボルにマッピングされる。次に、コンスタレーションシンボルが、指定されたサイズ（例えば、６シンボル、１２シンボル、１３シンボル、またはその他の好適なシンボル数）の複数のブロックに分割され、各ブロックは、次にブロックコーダ１９１６により処理される。例として、２ｘの反復を使用する実施形態では、コンスタレーションマッパ１９１４は、２４個のコンスタレーションシンボルを生成し、ブロックコーダ１９１６は、２４個のシンボルのコピーを２つ生成して、（例えば、ＩＥＥＥ８０２．１１ａ規格に規定されるように）ＯＦＤＭシンボルの４８個のデータトーンに対応する４８個のシンボルを生成する。別の例として、４ｘの反復を使用する実施形態では、コンスタレーションマッパ１９１４は、１２個のコンスタレーションシンボルを生成し、ブロックコーダ１９１６は、１２個のコンスタレーションシンボルのコピーを４つ生成して、（例えば、ＩＥＥＥ８０２．１１ａ規格に規定されるように）ＯＦＤＭシンボルの４８個のデータトーンに対応する４８個のシンボルを生成する。なおも別の例として、２ｘの反復を使用する実施形態では、コンスタレーションマッパ１９１４は、２６個のコンスタレーションシンボルを生成し、ブロックコーダ１９１６は、２６個のシンボルを反復し（すなわち２６個のシンボルのコピーを２つ生成する）、（例えば、ＩＥＥＥ８０２．１１ｎ規格またはＩＥＥＥ８０２．１１ａｃ規格に規定されるように）ＯＦＤＭシンボルの５２個のデータトーンに対応する５２個のシンボルを生成する。一般に、様々な実施形態および／またはシナリオにおいて、ブロックコーダ１９１６は、入力されるコンスタレーションシンボルの複数のブロックの任意の好適な数のコピーを生成し、生成されたシンボルを任意の好適な符号化スキームに従ってインターリーブする。図１７Ａのブロックコーダ１７０４および図１８Ａのブロックコーダ１８０８と同様に、距離延長モードデータユニットの１つの信号フィールド（または複数の信号フィールド）を生成するべくブロックコーダ１９１６により用いられる距離延長符号化スキームは、実施形態に応じて、距離延長モードデータユニットのデータ部分を生成するべくブロックコーダ１９１６により用いられる距離延長符号化スキームと異なるか、または同一である。一実施形態によれば、ＰＨＹ処理ユニット１９００により生成されるデータユニットに対する実効符号化レートは、ＦＥＣエンコーダ１９０６により用いられる符号化レートと、ブロックコーダ１９１６により用いられる反復の数（または符号化レート）の積になる。
【０１６９】
一実施形態によれば、この場合、情報ビットがコンスタレーションシンボルにマッピングされた後に冗長性がもたらされるので、ＰＨＹ処理ユニット１９００により生成される各ＯＦＤＭシンボルは、標準モードデータユニットに含まれるＯＦＤＭデータトーンと比較して少ない非冗長データトーンを含む。従って、インターリーバ１９１０は、標準モードで用いられるインターリーバ（例えば、図１６のインターリーバ１６１０）または対応する短距離データユニットを生成するときに用いられるインターリーバと比較して、１つのＯＦＤＭシンボル毎のより少ない数のトーンに演算を行うように設計される。例えば、１つのＯＦＤＭシンボル当たり１２個の非冗長データトーンを用いる実施形態では、インターリーバ１９１０は、列数（Ｎｃｏｌ）が６、行数（Ｎｒｏｗ）が１サブキャリア当たりのビット数（Ｎｂｐｓｃｓ）×２を用いるように設計されている。１つのＯＦＤＭシンボル当たり１２個の非冗長データトーンを用いる別の例示的な実施形態では、インターリーバ１９１０は、Ｎｃｏｌが４、および、ＮｒｏｗがＮｂｐｓｃｓ×３を用いるように設計される。複数の他の実施形態において、標準モードで用いられるインターリーバパラメータとは異なる他のインターリーバパラメータが、インターリーバ１９１０に使用される。あるいは、一実施形態において、ブロックコーダ１９１６は、十分なダイバーシチ利得を提供し、符号化ビットの更なるインターリーブが必要とされなくなるので、インターリーバ１９１０は省略される。この場合、図１８ＡのＰＨＹ処理ユニット１８００を使用する例示的な実施形態におけるように、いくつかのそのような状況で１シンボル当たりのデータビット数がたとえ整数でなくとも、５２個のデータトーンを有するＯＦＤＭシンボルが、４ｘまたは６ｘ反復するスキームを用いて生成され得る。
【０１７０】
上記の図１７ＡにおけるＰＨＹ処理ユニット１７００、または上述の図１８ＡのＰＨＹ処理ユニット１８００の例示的な実施形態におけるように、ＰＨＹ処理ユニット１９００によりパディングが用いられる場合には、パディングビット計算に用いられる１シンボル当たりのデータビット数（ＮＤＢＰＳ）は、１つのＯＦＤＭシンボルにおける非冗長データビットの実際の数（例えば、上記の例における６ビット、１２ビット、１３ビット、またはその他の好適なビット数）である。パディングビットの計算で使用される１シンボル当たりの符号化ビットの数（ＮＣＢＰＳ）は、１つのＯＦＤＭシンボルに含まれる非冗長ビットの数に等しく、この場合には、ブロックコーダ１９１６により処理されたコンスタレーションシンボルのブロックにおけるビットの数（例えば、１２ビット、２４ビット、２６ビット等）に対応する。
【０１７１】
いくつかの実施形態において、ＰＨＹ処理ユニット１９００は、ＩＥＥＥ８０２．１１ｎ規格またはＩＥＥＥ８０２．１１ａｃ規格で規定されるＭＣＳ０に従って、５２個のデータトーンを有する複数のＯＦＤＭシンボルを生成し、ブロックコーダ１９１６は、４ｘ反復するスキームを使用する。そのようないくつかの実施形態において、更なるパディングが用いられて、１つのＯＦＤＭシンボルに含まれるべき、もたらされたエンコードデータストリームが、５２ビットを含むのを確実にする。そのような一実施形態において、ビットがブロックコーダ１８０８により処理された後に、符号化された情報ビットにパディングビットが追加される。
【０１７２】
図１９Ａの実施形態において、ＰＨＹ処理ユニット１９００は、ピーク対平均電力比（ＰＡＰＲ）低減ユニット１９１７を含む。一実施形態において、ピーク対平均電力比ユニット１９１７は、反復するコンスタレーションを用いて変調されたデータトーンのいくつかに位相シフトを追加する。例えば一実施形態において、追加される位相シフトは１８０°である。１８０°の位相シフトは、位相シフトが実装されるデータトーンを変調するビットの符号フリップに対応する。別の実施形態において、ＰＡＰＲ低減ユニット１９１７は、１８０°以外の位相シフト（例えば、９０°の位相シフトまたはその他の好適な位相シフト）を追加する。一例として、４ｘの反復を使用する一実施形態では、ＯＦＤＭシンボルに含められるべき１２個のコンスタレーションシンボルの１ブロックはＣと表記され、単純なブロックの反復が実行される場合には、もたらされたシーケンスは［Ｃ  Ｃ  Ｃ  Ｃ］である。いくつかの実施形態においては、ＰＡＰＲ低減ユニット１９１７は、反復されるブロックのいくつかに対して、符号フリップ（すなわち、−Ｃ）または９０°の位相シフト（すなわち、ｊ＊Ｃ）をもたらす。そのようないくつかの実施形態において、もたらされたシーケンスは、例えば、［Ｃ−Ｃ−Ｃ−Ｃ］，［−Ｃ−Ｃ−Ｃ−Ｃ］，［Ｃ−Ｃ  Ｃ−Ｃ］，［Ｃ  Ｃ  Ｃ−Ｃ］，［Ｃ  ｊ＊Ｃ，  ｊ＊Ｃ，  ｊ＊Ｃ］、またはＣ，−Ｃ，ｊ＊Ｃおよびｊ＊Ｃのその他の組み合わせである。一般に、様々な実施形態および／またはシナリオにおいて、任意の反復されたブロックに好適な位相シフトがもたらされ得る。いくつかの実施形態において、ＰＡＰＲ低減ユニット１８０９は省略される。
【０１７３】
いくつかの実施形態において、ＰＨＹ処理ユニット１９００は、ＩＥＥＥ８０２．１１ｎ規格またはＩＥＥＥ８０２．１１ａｃ規格で規定されるＭＣＳ０に従って、５２個のデータトーンを有する複数のＯＦＤＭシンボルを生成し、ブロックコーダ１９１６は、４ｘ反復するスキームを使用する。そのようないくつかの実施形態において、更なるパイロットトーンが挿入され、１つのＯＦＤＭシンボル内のもたらされるデータトーンおよびパイロットトーンの数が、短距離通信プロトコルで規定される５６に等しくなることを確実にする。一例として、一実施形態において６つの情報ビットが、符号化レート１／２でＢＣＣエンコードされて、もたらされる１２ビットが、１２個のコンスタレーションシンボルにマッピングされる（ＢＰＳＫ）。１２個のコンスタレーションシンボルは、１２個のデータトーンを変調し、次にこれが４回反復されて、４８個のデータトーンを生成する。ＩＥＥＥ８０２．１１ｎ規格に規定されるように、４つのパイロットトーンが追加され、更に４つのパイロットトーンが追加されて、５６個のデータトーンおよびパイロットトーンを生成する。
【０１７４】
図１９Ｂは、別の実施形態による、複数の距離延長モードデータユニットを生成する例示的なＰＨＹ処理ユニット１９５０のブロック図である。いくつかの実施形態において、ＰＨＹ処理ユニット１９５０は、距離延長モードデータユニットの信号および／またはデータフィールドを生成する。一実施形態において、図１を参照すると、ＡＰ１４およびクライアント局２５‐１は各々、ＰＨＹ処理ユニット１９５０等のＰＨＹ処理ユニットを含む。
【０１７５】
ＰＨＹ処理ユニット１９５０は、ＰＨＹ処理ユニット１９５０において、ＦＥＣエンコーダ１９０６がＬＤＰＣエンコーダ１９５６で代替されていることを除き、図１９ＡのＰＨＹ処理ユニット１９００に類似する。従って、本実施形態において、ＬＤＰＣエンコードされた情報ビットは、コンスタレーションマッパ１９１４によりコンスタレーションシンボルにマッピングされて、次いでコンスタレーションシンボルは複製され、または別途、ブロックコーダ１９１６によりブロックエンコードされる。一実施形態において、ＬＤＰＣエンコーダ１９５６は、１／２の符号化レートに対応するブロックコード、または別の好適な符号化レートに対応するブロックコードを使用する。図示された実施形態において、ＰＨＹ処理ユニット１９５０はインターリーバ１９１０を省略しているが、これは、情報ストリームにおける複数の隣接するビットが一般に、ＬＤＰＣコード自体により拡散されており、一実施形態によれば、更なるインターリーブが必要とされないからである。更に一実施形態において、ＬＤＰＣトーン再マッピングユニット１９６０により、更なる周波数ダイバーシチが提供される。一実施形態によれば、ＬＤＰＣトーン再マッピングユニット１９６０は、トーン再マッピング関数に従って、符号化された情報ビットまたは符号化された情報ビットの複数のブロックを再び並び替える。一般に、トーン再マッピング関数は、連続した符号化された情報ビットまたは情報ビットの複数のブロックがＯＦＤＭシンボルにおける不連続なトーンにマッピングされて、連続した複数のＯＦＤＭトーンが送信中に悪影響を受けた場合に、レシーバにおいてデータの回復を容易にするように規定される。いくつかの実施形態において、ＬＤＰＣトーン再マッピングユニット１９６０は省略される。
【０１７６】
図１７Ａ〜図１９Ｂに関して上記された複数の実施形態において、距離延長モードは、周波数領域においてビットおよび／またはコンスタレーションシンボルを反復することにより冗長性をもたらす。あるいは、いくつかの実施形態において、距離延長符号化スキームは、信号におけるＯＦＤＭシンボルの反復および／または時間領域で実行される距離延長モードデータユニットのデータフィールドを含む。例えば、図２０Ａは、一実施形態による、距離延長モードデータユニットのプリアンブルにおけるＨＴ‐ＳＩＧ１フィールドおよびＨＴ‐ＳＩＧ２フィールドの各ＯＦＤＭシンボルが２ｘ反復されていることを示す図である。同様に、図２０Ｂは、一実施形態による、距離延長モードデータユニットのプリアンブルにおけるＬ‐ＳＩＧフィールドの各ＯＦＤＭシンボルが２ｘ反復されることを示す図である。図２０Ｃは、一実施形態による、制御モードデータユニットのデータ部分におけるＯＦＤＭシンボルの時間領域反復スキームを示す図である。図２０Ｄは、別の実施形態による、データ部分におけるＯＦＤＭシンボルの反復スキームを示す図である。示されるように、図２０Ｃの実施形態において、ＯＦＤＭシンボルの反復が連続して出力されるが、図２０Ｄの実施形態においては、ＯＦＤＭシンボルの反復がインターリーブされる。一般に、様々な実施形態および／またはシナリオにおいて、ＯＦＤＭシンボルの反復は、任意の好適なインターリーブスキームに従ってインターリーブされる。
【０１７７】
図２１は、一実施形態による、データユニットを生成する例示的な方法２１００のフロー図である。図１を参照すると、方法２１００は、一実施形態においてネットワークインターフェース１６により実装される。例えば、そのような一実施形態において、ＰＨＹ処理ユニット２０は、方法２１００を実装するように構成される。また、別の実施形態によれば、ＭＡＣ処理１８は、方法２１００の少なくとも一部を実装するように構成される。図１を引き続き参照すると、なおも別の実施形態において、方法２１００は、ネットワークインターフェース２７（例えば、ＰＨＹ処理ユニット２９および／またはＭＡＣ処理ユニット２８）により実装される。複数の他の実施形態において、方法２１００は、複数の他の好適なネットワークインターフェースにより実装される。
【０１７８】
ブロック２１０２において、データユニットに含まれるべき情報ビットが、ブロックコードに従ってエンコードされる。一実施形態において、情報ビットは、例えば、図１７Ｂのブロックコーダ１７０４に関して上記されたブロックレベルまたはビットレベルの反復スキームを用いて、エンコードされる。ブロック２１０４において、例えば、図１７ＡのＦＥＣエンコーダ１７０６または図１７ＢのＬＤＰＣエンコーダ１７５６等のＦＥＣエンコーダを用いて、情報ビットがエンコードされる。ブロック２１０６において、情報ビットが、コンスタレーションシンボルにマッピングされる。ブロック２１０８において、複数のＯＦＤＭシンボルがコンスタレーションポイントを含めるように生成される。ブロック２１１０において、ＯＦＤＭシンボルを含むデータユニットが生成される。
【０１７９】
一実施形態において、図２１に図示されるように、情報ビットはまず、ブロックエンコーダを用いてエンコードされ（ブロック２１０２）、次にブロック符号化ビットが、例えば、図１７Ａに関して上記されたもの等のＦＥＣエンコーダを用いてエンコードされる（ブロック２１０４）。別の実施形態において、ブロック２１０２とブロック２１０４の順序が反対になる。従って本実施形態において、情報ビットはまず、ＦＥＣエンコードされて、ＦＥＣエンコードされたビットが、例えば、図１８Ａに関して上記されたもの等のブロック符号化スキームに従ってエンコードされる。なおも別の実施形態において、ブロック２１０２は、ブロック２１０６の後に配置される。本実施形態では、ブロック２１０４において、情報ビットがＦＥＣエンコードされ、ブロック２１０６において、ＦＥＣエンコードされたビットが、コンスタレーションシンボルにマッピングされ、次にブロック２１０２において、コンスタレーションシンボルが、例えば、図１９Ａに関して上記されたようなブロック符号化または反復スキームに従ってエンコードされる。
【０１８０】
様々な実施形態において、距離延長符号化スキームは、小さくした数のコンスタレーションシンボルを出力する小さくしたサイズの高速フーリエ変換（ＦＦＴ）技術を用い、コンスタレーションシンボルは、帯域幅全体にわたって反復されて、距離および／またはＳＮＲ性能を改善する。例えば、一実施形態において、コンスタレーションマッパは、２４個のデータトーンを有する３２のサブキャリア（例えば、３２点のＦＦＴモード）に対応する複数のコンスタレーションシンボルに、複数のビットのシーケンスをマッピングする。３２のサブキャリアは、２０ＭＨｚ帯域幅全体における１０ＭＨｚのサブバンドに対応する。本例において、コンスタレーションシンボルは、２０ＭＨｚ帯域幅全体にわたって反復されて、コンスタレーションシンボルの冗長性を提供する。様々な実施形態において、小さくされたサイズのＦＦＴ技術は、図１７Ａ〜図１９Ｂに関して上記されたビット様式および／またはシンボルレプリケーション技術と組み合わせて用いられる。
【０１８１】
４０ＭＨｚ、８０ＭＨｚ、１６０ＭＨｚ、３２０ＭＨｚ、６４０ＭＨｚ等の追加の帯域幅が利用可能ないくつかの実施形態において、３２のサブキャリアが帯域幅全体の１０ＭＨｚの各サブバンドにわたって反復される。例えば、別の実施形態において、３２点のＦＦＴモードは、２０ＭＨｚ帯域幅全体の５ＭＨｚのサブバンドに対応する。本実施形態において、複数のコンスタレーションは、２０ＭＨｚ帯域幅全体（すなわち、５ＭＨｚの各サブバンド）にわたって４ｘ反復される。従って、受信デバイスは、複数のコンスタレーションを組み合わせて、コンスタレーションのデコーディングの信頼性を改善する。いくつかの実施形態において、異なる５または１０ＭＨｚのサブバンド信号の変調は、異なる角度で回転される。例えば一実施形態において、第１のサブバンドは０°回転し、第２のサブバンドは９０°回転し、第３のサブバンドは１８０°回転し、第４のサブバンドは２７０°回転する。複数の他の実施形態において、異なる好適な回転が使用される。少なくともいくつかの実施形態において、２０ＭＨｚのサブバンド信号の複数の異なる位相は、データユニットにおけるＯＦＤＭシンボルのピーク対平均電力比（ＰＡＰＲ）の低減をもたらす。
【０１８２】
図２２Ａは、一実施形態による、１０ＭＨｚのサブバンドを有する距離延長データユニットの２ｘの反復を伴った２０ＭＨｚ帯域幅全体の図である。図２２Ａに示されるように、１０ＭＨｚの各サブバンドは、回転ｒ１およびｒ２により、各々回転される。図２２Ｂは、一実施形態による、１０ＭＨｚのサブバンドを有する距離延長データユニットの４ｘの反復を伴った４０ＭＨｚ帯域幅全体の図である。図２２Ｂに示されるように、１０ＭＨｚの各サブバンドは、回転ｒ１、ｒ２、ｒ３および４により各々回転される。図２２Ｃは、一実施形態による、１０ＭＨｚのサブバンドに対応する３２点のＦＦＴモードの例示的なトーンプラン２２３０の図である。トーンプラン２２３０は、図２２Ｃに示されるように、２４個のデータトーンと、インデックス＋７および−７における２つのパイロットトーンと、１つの直流トーン（ｄｉｒｅｃｔ  ｃｕｒｒｅｎｔ  ｔｏｎｅ）、および５つのガードトーンを有する合計３２個のトーンを含む。小さくされたサイズのＦＦＴ技術が用いられる複数の実施形態において、対応するトーンプランは、存在する場合、ＨＥＷ‐ＬＴＦフィールドに用いられる。小さくされたサイズのＦＦＴ技術が用いられるが、ＨＥＷ‐ＬＴＦフィールドが存在しない複数の他の実施形態において、Ｌ‐ＬＴＦフィールド７０４は、修正されたトーンプランの対応するインデックスに対して、パイロットトーンに追加の±１の符号を含めるように修正される。例えば、一実施形態において、トーン−２９、−２７、＋２７および＋２９は、Ｌ−ＬＴＦフィールド用のトーンプランに追加される。更なる一実施形態において、±１の符号は、２０ＭＨｚ帯域幅のトーン−２、−１、１および２におけるＬ‐ＬＴＦトーンプランから取り除かれる。４０ＭＨｚ、８０ＭＨｚ、１６０ＭＨｚ等の帯域幅全体に、類似の変更が適用される。
【０１８３】
図２３は、一実施形態による、距離延長モードがデータユニットのプリアンブル２３０１に用いられる例示的なデータユニット２３００の図である。いくつかの実施形態において、プリアンブル２３０１は、標準モードおよび距離延長モードの双方を示す。そのような一実施形態において、図９Ａ、図９Ｂ、図１０Ａ、図１０Ｂ、および図１１Ａ、図１１Ｂに関して上記されたもの等、標準モードと距離延長モードを区別する別の方法が用いられる。
【０１８４】
データユニット２３０１は一般に、データユニット２３００のプリアンブル２３０１がデータユニット１１０１のプリアンブル１１５１と異なるようにフォーマットされていることを除き、図１１Ｂのデータユニット１１５０と類似し、これと同一の番号の要素を含む。一実施形態において、プリアンブル２３０１は、プリアンブル２３０１が標準モードプリアンブルではなく、距離延長モードプリアンブルであることを、ＨＥＷ通信プロトコルに準拠して動作する受信デバイスが判断することができるようにフォーマットされる。一実施形態において、データユニット１１５１と比較すると、プリアンブル２３０１は、Ｌ‐ＬＴＦ７０４およびＬ‐ＳＩＧ７０６の代わりに、修正されたロングトレーニングフィールドＭ‐ＬＴＦ２３０４および修正された信号フィールドＭ‐ＳＩＧ２３０６を各々含む。一実施形態において、プリアンブル２３０１は、Ｌ‐ＳＴＦ７０２、Ｍ‐ＬＴＦ２３０４として修正されたロングトレーニングシーケンスの２つの反復が後に続くダブルガードインターバル、ノーマルガードインターバル、および修正された信号フィールドＭ‐ＳＩＧを含む。いくつかの実施形態において、プリアンブル２３０１は、１または複数の第１のＨＥＷ信号フィールド（ＨＥＷ‐ＳＩＧＡ）１１５２を更に含む。一実施形態において、プリアンブル２３０１は、Ｌ‐ＳＩＧフィールド２３０６に続く１または複数のセカンダリＬ‐ＳＩＧ１１５４を更に含む。いくつかの実施形態において、複数のセカンダリＬ‐ＳＩＧ１１５４の次には、第２のＬ‐ＬＴＦフィールド（Ｌ‐ＬＴＦ２）１１５６が続く。複数の他の実施形態において、プリアンブル２３０１は、Ｌ‐ＳＩＧ１１５４および／またはＬ‐ＬＴＦ２  １１５６を省略する。また、いくつかの実施形態において、プリアンブル２３０１は、ＨＥＷ‐ＳＴＦ１１５８、１もしくは複数のＨＥＷ‐ＬＴＦフィールド１１６０、および第２のＨＥＷ信号フィールド（ＨＥＷ‐ＳＩＧＢ）１１６２を含む。複数の他の実施形態において、プリアンブル２３０１は、ＨＥＷ‐ＳＴＦ１１５８、ＨＥＷ‐ＬＴＦ１１６０、および／またはＨＥＷ‐ＳＩＧＢ１１６２を省略している。一実施形態において、データユニット２３００は、データ部分７１６（図２３に図示せず）も含む。いくつかの実施形態において、複数のＨＥＷ信号フィールド（ＨＥＷ‐ＳＩＧＡ）１１５２は、データフィールド７１６と同一の距離延長符号化スキームを用いて変調される。
【０１８５】
様々な実施形態において、Ｍ‐ＬＴＦ２３０４は、予め定められたシーケンス（例えば、偏波コード（ｐｏｌａｒｉｚａｔｉｏｎ  ｃｏｄｅ））を掛けたＬ‐ＬＴＦ７０４に対応する。例えば、インデックスｉを用いて、Ｌ‐ＬＴＦ７０４のｉ番目のコンスタレーションシンボルは、方程式１に示されるように予め定められたシーケンスのｉ番目の値（例えば±１）を掛けて、Ｍ‐ＬＴＦ２３０４を得る。
【数２】
0006464494.tif 000003
式中、Ｃは、予め定められたシーケンスである。いくつかの実施形態において、Ｍ‐ＳＩＧ２３０６は、方程式２に示されるように、予め定められたシーケンスを掛けたＬ‐ＳＩＧ７０６に対応する。
【数３】
0006464494.tif 000004
いくつかの実施形態において、予め定められたシーケンスの長さ（すなわち、値の数）は、ＩＥＥＥ８０２．１１ａｃプロトコルにおける２０ＭＨｚ帯域当たりのデータトーンの数およびパイロットトーンの数の合計、例えば５２の値（すなわち、４８個のデータトーンおよび４のパイロットトーン）に等しい。
【０１８６】
一実施形態において、予め定められたシーケンスおよび修正されたロングトレーニングシーケンスは各々、データトーンの数およびパイロットトーンの数の合計よりも大きいか、またはこれに等しい長さを有する。１０ＭＨｚのサブバンドに対応する３２点のＦＦＴモードのトーンプラン２２３０に関して上記されたように、ＨＥＷ‐ＳＴＦおよび／またはＨＥＷ‐ＬＴＦフィールドが距離延長プリアンブル内に存在しない場合、レシーバは、次のフィールドの復調のためのＬ‐ＬＴＦフィールドに依存する。一実施形態において、２０ＭＨｚのＬ‐ＬＴＦと１０ＭＨｚの３２点のＦＦＴモードとの間のトーンプランミスマッチは、不明のトーン（例えば、５８のトーンの合計に対するトーン−２９、−２７、＋２７および＋２９）に対するＬ‐ＬＴＦに、＋１または−１の符号を挿入することにより訂正される。
【０１８７】
図２４は、別の実施形態による、複数の距離延長モードデータユニットを生成する例示的なＰＨＹ処理ユニット２４００のブロック図である。いくつかの実施形態において、ＰＨＹ処理ユニット２４００は、距離延長モードデータユニットの信号および／またはトレーニングフィールドを生成する。一実施形態において、図１を参照すると、ＡＰ１４およびクライアント局２５‐１は各々、ＰＨＹ処理ユニット２４００等のＰＨＹ処理ユニットを含む。
【０１８８】
ＰＨＹ処理ユニット２４００は、ＰＨＹ処理ユニット２４００において、トーン乗算器２４０４がコンスタレーションマッパ１６１４の後に配置されていることを除き、図１７ＡのＰＨＹ処理ユニット１７００に類似する。いくつかの実施形態において、トーン乗算器２４０４は、ｉ）Ｌ‐ＳＩＧフィールド（すなわちＭ‐ＳＩＧ２３０６）に対する修正されたコンスタレーションシンボル、およびｉｉ）距離延長モードデータユニットのＬ‐ＬＴＦフィールド（すなわちＭ‐ＬＴＦ２３０４）に対する修正されたロングトレーニングシーケンスを生成する。
【０１８９】
いくつかの実施形態において、ＰＨＹ処理ユニット２４００は、少なくとも、予め定められたシーケンスを第２の通信プロトコルの第２のロングトレーニングシーケンスを掛けることにより、距離延長モードプリアンブルに対する第１のロングトレーニングシーケンスを生成するように構成される。一実施形態において、例えばトーン乗算器２４０４は、予め定められたシーケンスをＬ‐ＬＴＦ７０４と掛けて、Ｍ‐ＬＴＦ２３０４を得る。一実施形態において、トーン乗算器２４０４は、距離延長モード中にＬ‐ＬＴＦ７０４の代わりに、Ｍ‐ＬＴＦ２３０４をＩＤＦＴ１６１８に提供する。
【０１９０】
一実施形態において、トーン乗算器２４０４は、Ｌ‐ＳＩＧ７０６に含められるべきデータに対するコンスタレーションシンボルをコンスタレーションマッパ１６１４から受信し、パイロットトーンに対するコンスタレーションシンボルをパイロットトーン生成器２４０８から受信する。従って一実施形態において、トーン乗算器２４０４から出力されるＭ‐ＳＩＧ２３０６は、ＩＤＦＴ１６１８により時間領域信号に変換されるべきデータトーンおよびパイロットトーンに対する修正されたコンスタレーションシンボルを含む。
【０１９１】
いくつかの実施形態において、レシーバデバイスは、例えばＭ‐ＬＴＦ２３０４に基づいたチャネル推定を用いて、Ｍ‐ＳＩＧ２３０６をデコードする。本例においては、Ｌ‐ＬＴＦ７０４およびＬ‐ＳＩＧ７０６の双方を予め定められたシーケンスと掛けているので、レガシレシーバデバイスは、チャネル推定処理または自己相関処理の一部としての乗算を実質的に取り除く。一実施形態において、受信デバイスは、予め定められたシーケンスとの乗算を用いるか、または用いないＬ‐ＬＴＦフィールドの自己相関に基づいて、予め定められたシーケンスを用いて（例えば、これと掛けて）、または予め定められたシーケンンスと掛けることなく、プリアンブルにおけるＬＴＦフィールド（例えば、Ｍ‐ＬＴＦ２３０４またはＬ‐ＬＴＦ７０４のいずれか）が生成されたか否かを検出することにより、プリアンブルが距離延長モードプリアンブル２４００または標準モードプリアンブル１１０１に対応するかを判断する。一実施形態において、受信デバイスは、Ｌ‐ＬＴＦ７０４を用いてＬＴＦの第１の自己相関を実行し、Ｍ‐ＬＴＦ２３０４を用いてＬＴＦの第２の自己相関を実行し、自己相関結果の比較を実行する。一実施形態において、Ｍ‐ＬＴＦ２３０４を用いる自己相関がＬ‐ＬＴＦ７０４を用いる自己相関の結果と比較して大きい結果を生成した場合、受信デバイスは、プリアンブルが距離延長モードプリアンブル２３００に対応すると判断する。他方、一実施形態において、Ｌ‐ＬＴＦ７０４を用いるＬＴＦの自己相関がＭ‐ＬＴＦ２３０４を用いる自己相関の結果と比較して大きい結果を生成した場合、受信デバイスは、プリアンブルが標準モードプリアンブル１１０１に対応すると判断する。いくつかの実施形態において、レシーバデバイスは、方程式３に従って周波数領域において自己相関を実行する。
【数４】
0006464494.tif 000005
式中、ｙｉは、最後に受信されて平均されたＬ‐ＬＴＦシーケンスであり、Ｌｉは、ＩＥＥＥ８０２．１１ａ／ｎ／ａｃに属する送信されたＬ‐ＬＴＦシーケンス、または修正されたロングトレーニングシーケンスＭ‐ＬＴＦである。例えば、Ｌｉは距離延長モードのＣｉ＊Ｌ‐ＬＴＦｉまたは標準モードのＬ‐ＬＴＦｉのいずれかである。いくつかのシナリオにおいて、連続するトーンの相互相関は一般に、チャネル効果を除去し、周波数領域一致フィルタリングは、可能性が最も高い送信されたシーケンスを発見する。いくつかの実施形態において、レシーバデバイスは、Ｍ‐ＬＴＦからのチャネル推定を用いて、データユニットの追加のフィールド（すなわち、ＨＥＷ‐ＳＩＧおよび／またはデータフィールド）をデコードする。いくつかのシナリオにおいて、パイロットトーンに対応する予め定められたシーケンスの値は全て１であり、パイロットトーンに対する位相トラッキングを可能にする。
【０１９２】
いくつかの実施形態において、小さくしたトーンの間隔を有するＯＦＤＭ変調は、同一のサイズのＦＦＴを用いて、距離延長モードのデータレートを低減する。例えば、２０ＭＨｚ帯域幅のＯＦＤＭデータユニット用の標準モードは、６４点の高速フーリエ変換（ＦＦＴ）を用いて６４個のＯＦＤＭトーンをもたらすが、距離延長モードは、２分の１だけ小さくしたトーンの間隔を用いて同一の帯域幅の１２８個のＯＦＤＭトーンをもたらす。この場合、同一の６４点のＦＦＴ、２ｘに増大したシンボルの持続時間、および２ｘに増大したガードインターバルを用いつつ、距離延長モードＯＦＤＭシンボルにおけるトーンの間隔は、標準モードＯＦＤＭシンボルと比較して２分の１（１／２）だけ小さくされ、次に複数のシンボルは、残りの帯域幅で反復される。別の例として、２０ＭＨｚ帯域幅のＯＦＤＭデータユニット用の標準モードは、６４点の高速フーリエ変換（ＦＦＴ）を用いて６４個のＯＦＤＭトーンをもたらすが、距離延長モードは、２０ＭＨｚのＯＦＤＭデータユニットに１／４に小さくしたトーンの間隔を用いて同一の帯域幅の２５６個のＯＦＤＭトーンをもたらす。この場合、４ｘに増大したシンボルの持続時間、および４ｘに増大したガードインターバルを用いつつ、距離延長モードＯＦＤＭシンボルにおけるトーンの間隔は、標準モードＯＦＤＭシンボルと比較して４分の１（１／４）だけ小さくされる。複数のそのような実施形態において、例えば、１．６μｓのロングＧＩ持続時間が用いられる。しかし、一実施形態において、距離延長モードＯＦＤＭシンボルにおける情報部分の持続時間は（例えば、３．２μｓから６．４μｓまで）増大し、ＯＦＤＭシンボルの全持続時間に対するＧＩ部分の持続時間のパーセンテージは、依然として同じである。従ってこの場合、少なくともいくつかの実施形態において、より長いＧＩシンボルに起因する効率性のロスが回避される。様々な実施形態において、本明細書において用いられる「ロングガードインターバル」という用語は、ガードインターバルの増大された持続時間およびガードインターバルの持続時間を実質的に増大させる小さくしたＯＦＤＭトーンの間隔を含む。複数の他の実施形態において、６、８、または他の好適な値の係数に従って、トーンの間隔が小さくされ、ガードインターバルが増大し、シンボルの持続時間は増大する。いくつかの実施形態において、上記のように、トーンの間隔、ガードインターバル、およびシンボルの持続時間における変更は、ブロック符号化またはシンボルの反復を組み合わせて用いられる。
【０１９３】
いくつかの実施形態における距離延長モードのデータユニットの信号帯域幅の合計は、２０ＭＨｚである。例えば、増大した信号帯域幅が距離を更に増大させ、あるいはＳＮＲ性能を改善する可能性は低い。いくつかの実施形態において、距離延長モードは、最大５１２点のＦＦＴサイズを用いるように構成される。そのような一実施形態において、距離延長モードについて、トーンの間隔が４分の１だけ小さくされる場合、５１２点のＦＦＴの合計帯域幅は４０ＭＨｚであり、従って距離延長モードは、最大４０ＭＨｚの信号帯域幅を用いる。
【０１９４】
複数の他の実施形態において、距離延長モードは、利用可能な最大信号帯域幅（例えば、１６０ＭＨｚ）までに対して構成される。様々な実施形態において、例えば１／２のトーンの間隔は、１０ＭＨｚ帯域に対する６４点のＦＦＴ、２０ＭＨｚ帯域に対する１２８点のＦＦＴ、４０ＭＨｚ帯域に対する２５６点のＦＦＴ、８０ＭＨｚ帯域に対する５１２点のＦＦＴ、および１６０ＭＨｚ帯域に対する１０２４点のＦＦＴに対応する。いくつかの実施形態において、小さくしたトーンの間隔は、より小さいＦＦＴサイズと組み合わせて用いられる。様々な実施形態において、より短いガードインターバル、例えば、ＯＦＤＭシンボルの持続時間の２５％に等しい持続時間を有するノーマルガードインターバルと、ＯＦＤＭシンボルの１／９に等しい持続時間を有するショートガードインターバルが小さくしたトーンの間隔と共に用られる。
【０１９５】
いくつかの実施形態において、距離延長モードは、より小さいトーンの間隔（すなわち、１／２、１／４等）を用いる。そのような一実施形態において、同一のＦＦＴサイズは、より小さい帯域幅を表し、例えば、１／２のトーンの間隔は、１０ＭＨｚ帯域に対する６４点のＦＦＴに対応する。一実施形態において、同一のＦＦＴサイズ内におけるトーンプランは、距離延長モードおよび標準モードの双方について同一であり、例えば距離延長モードの６４点のＦＦＴは、ＩＥＥＥ８０２．１１ａｃにおける２０ＭＨｚに対する６４点のＦＦＴと同一のトーンプランを用いる。図２５Ａは、一実施形態による、１／２のトーンの間隔を有する例示的な２０ＭＨｚの全帯域幅の図である。この場合、各６４点のＦＦＴに対するレガシトーンプランの元のＤＣトーンのインデックスは、２０ＭＨｚの合計帯域幅の中間ではなく、ここでは１０ＭＨｚのサブバンドの中間であり、元のガードトーンのインデックスは、真のＤＣトーンに近似する。距離延長モードデータユニットに用いられる帯域が２０ＭＨｚよりも小さいいくつかの実施形態において、非レガシトーンプランは、元のＤＣトーンのインデックスにおける追加のデータまたはパイロットトーンを含む。なぜならインデックスは、「真のＤＣトーン」とは重複せず、最も小さい信号帯域幅は、距離延長モードまたは標準モードで２０ＭＨｚであるからである。いくつかの実施形態において、非レガシトーンプランは、同一の数のポピュレートされたトーンを保持するべく、レガシトーンプランの端に、ガードトーンに代えて追加のデータトーンを含む。
【０１９６】
複数の他の実施形態において、トーンの間隔が小さくされると、標準モードと比較して、直流オフセットおよびキャリア周波数オフセット（ＣＦＯ）からの影響が大きくなる。図２５Ｂは、一実施形態による、１／２のトーンの間隔を有する例示的な２０ＭＨｚの全帯域幅の図である。いくつかの実施形態において、追加のゼロトーンは、標準モードにある同一のＦＦＴサイズのレガシトーンプランと比較して、距離延長モードの非レガシトーンプランの帯域における直流トーンに近いものとして規定されている。様々な実施形態において、追加のゼロトーンは、例えばＦＦＴサイズが１／２だけ小さくしたトーンの間隔を有する１２８よりも大きいか、またはこれに等しい場合、またはＦＦＴサイズが１／４だけ小さくしたトーンの間隔を有する２５６よりも大きいか、またはこれに等しい場合に、予め定められたＦＦＴおよび／またはトーンの間隔のみを超えると規定されている。いくつかの実施形態において、同一の絶対的なガードの間隔（例えば、絶対周波数の間隔）を、例えば標準モードのレガシトーンプランと比較される帯域の端に保持するべく、増大した数のガードトーンが距離延長モードの非レガシトーンプランに用いられる。この場合、非レガシトーンプランにおけるデータトーンおよびパイロットトーンの合計数は、レガシトーンプランよりも小さい。いくつかの例において、同一の絶対的なガードの間隔は、フィルタ設計を容易にする。例えば、非レガシトーンプランのデータトーンの合計数が標準モードの同一のＦＦＴサイズと異なるいくつかの実施形態において、ＦＥＣインターリーバおよび／またはＬＤＰＣトーンマッパに対するＰＨＹパラメータは、非レガシトーンプランのデータトーンの数に対して再定義される。
【０１９７】
図２６Ａは、一実施形態による、サイズ６４のＦＦＴおよび１／２のトーンの間隔を有する距離延長モードの非レガシトーンプラン２６００の図である。標準モードのレガシトーンプランと比較すると、非レガシトーンプラン２６００においては、追加のガードトーン（すなわち、ガードトーン−２８、−２７、＋２７、＋２８）が含まれる。いくつかの実施形態において、６４点のＦＦＴは、パイロットトーンまたはデータトーンを用いてＤＣトーンをポピュレートする。図２６Ｂは、一実施形態による、サイズ１２８のＦＦＴおよび１／２のトーンの間隔を有する距離延長モードの非レガシトーンプラン２６０１の図である。標準モードのレガシトーンプランと比較すると、非レガシトーンプラン２６０１においては、追加のガードトーン（すなわち、ガードトーン−５８、−５７、＋５７、＋５８）および追加のＤＣトーン（すなわち、ＤＣトーン−２、−１、０、１、２）が含まれる。図２６Ｃは、一実施形態による、サイズ２５６のＦＦＴおよび１／２のトーンの間隔を有する距離延長モードの非レガシトーンプラン２６０２を図示する図である。標準モードのレガシトーンプランと比較すると、非レガシトーンプラン２６０２においては、追加のガードトーン（すなわち、ガードトーン−１２２、−１２１、＋１２１、＋１２２）および追加のＤＣトーン（すなわち、ＤＣトーン−２、−１、０、１、２）が含まれる。複数の他の実施形態において、標準モードと比較すると、距離延長モードでは、追加のガードトーンおよび／またはＤＣトーンは、非レガシトーンプランに追加される。
【０１９８】
図２７は、一実施形態による、データユニットを生成する例示的な方法２７００のフロー図である。図１を参照すると、方法２７００は、一実施形態においてネットワークインターフェース１６により実装される。例えば、そのような一実施形態において、ＰＨＹ処理ユニット２０は、方法２７００を実装するように構成される。また、別の実施形態によれば、ＭＡＣ処理１８は、方法２７００の少なくとも一部を実装するように構成される。図１を引き続き参照すると、なおも別の実施形態において、方法２７００は、ネットワークインターフェース２７（例えば、ＰＨＹ処理ユニット２９および／またはＭＡＣ処理ユニット２８）により実装される。複数の他の実施形態において、方法２７００は、複数の他の好適なネットワークインターフェースにより実装される。
【０１９９】
ブロック２７０２において、データフィールドの第１のＯＦＤＭシンボルが生成される。様々な実施形態において、ブロック２７０２でＯＦＤＭシンボルを生成する段階は、距離延長モードに対応する距離延長符号化スキーム、または標準モードに対応する標準符号化スキームのうちの１つに従ってデータ部分のＯＦＤＭシンボルを生成する段階を有する。一実施形態において、距離延長符号化スキームは、図１０Ａ、図１０Ｂに関して上記された距離延長符号化スキーム（例えば、小さくしたトーンの間隔）を含む。別の実施形態において、距離延長符号化スキームは、図１７Ａ〜図２０Ｄに関して上記された距離延長符号化スキーム（例えば、ビット様式の反復またはシンボルの反復）を含む。なおも別の実施形態において、距離延長符号化スキームは、図２２Ａ〜図２２Ｃに関して上記された距離延長符号化スキーム（例えば、データユニットの反復）を含む。なおも別の実施形態において、距離延長符号化スキームは、図１０Ａ，図１０Ｂ、図１７Ａ〜図２０Ｄ、および図２２Ａ〜図２２Ｃに関して上記された距離延長符号化スキームの好適な組み合わせを含む。
【０２００】
一実施形態において、距離延長符号化スキームに従ってＰＨＹデータユニットのデータ部分に対するＯＦＤＭシンボルを生成する段階は、前方誤り訂正（ＦＥＣ）エンコーダ（例えば、ＦＥＣエンコーダ１７０６、１８０６または１９０６）を用いて複数の情報ビットをエンコードして、複数のエンコードされたビットを得る段階と、例えば、コンスタレーションマッパ１６１４または１９１４を用いて複数のエンコードされたビットを複数のコンスタレーションシンボルにマッピングする段階と、例えば、ＩＤＦＴ１６１８または１８１８を用いて、複数のコンスタレーションシンボルを含むＯＦＤＭシンボルを生成する段階とを有する。一実施形態において、ＯＦＤＭシンボルを生成する段階は、ｉ）（例えば、ブロックコーダ１７０４を用いる）ブロック符号化スキームに従って複数の情報ビットをエンコードする段階、ｉｉ）（例えば、ブロックコーダ１８０８を用いる）ブロック符号化スキームに従って複数のエンコードされたビットをエンコードする段階、またはｉｉｉ）（例えば、ブロックコーダ１９１６を用いる）ブロック符号化スキームに従って複数のコンスタレーションシンボルをエンコードする段階のうちの１つを実行する段階を更に有する。別の実施形態において、データフィールドに対するＯＦＤＭシンボルを生成する段階は、例えば、図２２Ａ〜図２２Ｃに関して上記されたように、チャネル帯域幅の第１の帯域幅部分における複数のコンスタレーションシンボルと、チャネル帯域幅の第２の帯域幅部分における複数のコンスタレーションシンボルのコピーとを含むデータフィールドのＯＦＤＭシンボルを生成する段階を有する。更なる実施形態において、複数のコンスタレーションシンボルのコピーは、予め定められた位相シフトを含むように生成される。
【０２０１】
ブロック２７０４において、データユニットのプリアンブルが生成される。ブロック２７０４において生成されたプリアンブルは、ブロック２７０２において生成されたデータユニットの少なくともデータ部分が距離延長符号化スキームまたは標準符号化スキームを用いて生成されているかを示すように生成される。様々な実施形態および／またはシナリオにおいて、プリアンブル７０１（図９Ａ、図１０Ａ）、７５１（図９Ｂ、図１０Ｂ）、１１０１（図１１Ａ）、１１５１（図１１Ｂ）または１４０１（図１４Ａ）のうちの１つが、ブロック１６０４において生成される。複数の他の実施形態において、他の好適な複数のプリアンブルは、ブロック２７０４において生成される。
【０２０２】
一実施形態において、プリアンブルは、ｉ）ＰＨＹデータユニットの持続時間を示す第１の部分と、ｉｉ）データ部分の少なくともいくつかのＯＦＤＭシンボルが距離延長符号化スキームに従って生成されるか否かを示す第２の部分を有するように生成される。更なる実施形態において、プリアンブルの第１の部分は、プリアンブルの第１の部分が、プリアンブルの第１の部分に基づいてＰＨＹデータユニットの持続時間を判断するべく、第１の通信プロトコル（例えば、ＨＥＷ通信プロトコル）に準拠しないが、第２の通信プロトコル（例えば、レガシ通信プロトコル）に準拠するレシーバデバイスによりデコード可能になるようにフォーマットされる。
【０２０３】
一実施形態において、ブロック２７０４において生成されたプリアンブルは、距離延長符号化スキームまたは標準符号化スキームを用いて、少なくともデータ部分が生成されているかを示すように設定されたＣＩ指示を含む。一実施形態において、ＣＩ指示は１ビットを含む。一実施形態において、ＣＩ指示により示される符号化スキームを用いて、データ部分に加えてプリアンブルの一部が生成される。別の実施形態において、ブロック２７０４において生成されたプリアンブルは、（例えば、デコードすることなく）プリアンブルが標準モードプリアンブルまたは距離延長モードプリアンブルに対応するかを、受信デバイスが自動的に検出し得るようにフォーマットされる。一実施形態において、距離延長モードプリアンブルを検出することにより、距離延長符号化スキームを用いて、少なくともデータ部分が生成されることを受信デバイスにシグナリングする。
【０２０４】
一実施形態において、プリアンブルを生成する段階は、ｉ）第１の通信プロトコルに準拠したショートトレーニングフィールドおよびｉｉ）ショートトレーニングフィールドの少なくとも１つのコピーに対する第２のＯＦＤＭシンボルを含むプリアンブルの第２の部分を生成する段階と、ｉ）第１の通信プロトコルに準拠したロングトレーニングフィールドおよびｉｉ）ロングトレーニングフィールドの少なくとも１つのコピーに対する第３のＯＦＤＭシンボルを生成する段階とを有する。更なる実施形態において、データ部分のＯＦＤＭシンボル、第２のＯＦＤＭシンボルおよび第３のＯＦＤＭシンボルは、プリアンブルの第１の部分に対するトーンプランとは別個の同一のトーンプランを有する。
【０２０５】
別の実施形態において、ブロック２７０４は、第２の通信プロトコル（例えば、レガシ通信プロトコル）に従ってＰＨＹデータユニットの第１の信号フィールドを生成する段階と、データフィールドの少なくともいくつかのＯＦＤＭシンボルが距離延長モードに従って生成されることを示すべく、第１の信号フィールドのコピーとして第２の信号フィールドを生成する段階とを有する。更なる実施形態において、第１の信号フィールドおよび第２の信号フィールドは、ＰＨＹデータユニットの持続時間が予め定められた持続時間であることを示し、第２の信号フィールドは、第１の通信プロトコルに準拠するレシーバデバイスにより追加の（ｓｕｐｐｌｅｍｅｎｔａｌ）トレーニングフィールドとして使用可能である。別の実施形態において、第１の信号フィールドおよび第２の信号フィールドは、第１の信号フィールドおよび第２の信号フィールドのデコーディングの信頼性を高めるように、第１の通信プロトコルに準拠するレシーバデバイスにより組み合わせてデコード可能である。
【０２０６】
一実施形態において、プリアンブルの第１の部分は、ｉ）第２の通信プロトコルに準拠するレガシショートトレーニングフィールドと、ｉｉ）非レガシロングトレーニングフィールドと、ｉｉｉ）第２の通信プロトコルに準拠するレガシ信号フィールドとを含み、プリアンブルの第２の部分は、トレーニングフィールドを含まない。本実施形態において、第１の複数のコンスタレーションシンボルは、第２の通信プロトコルに準拠するレガシトーンプランを用いて、レガシショートトレーニングフィールドに対して生成され、第２の複数のコンスタレーションシンボルは、非レガシトーンプランを用いて、非レガシロングトレーニングフィールドに対して生成され、データフィールドに対するＯＦＤＭシンボルは、非レガシトーンプランを用いて生成される第３の複数のコンスタレーションシンボルを含む。
【０２０７】
一実施形態において、複数のＯＦＤＭシンボルは、第２の通信プロトコルに準拠するノーマルガードインターバルを用いて、レガシプリアンブルとしてのプリアンブルの第１の部分に対して生成され、複数のＯＦＤＭシンボルは、ロングガードインターバルを用いてプリアンブルの第２の部分に対して生成される。更なる実施形態において、非レガシ信号フィールドに対するＯＦＤＭシンボルおよびプリアンブルの第２の部分の非レガシショートトレーニングフィールドは、ノーマルガードインターバルを用いて生成され、プリアンブルの第２の部分のＯＦＤＭシンボルは、ロングガードインターバルを用いて、非レガシロングトレーニングフィールドに対して生成される。別の実施形態において、ＯＦＤＭシンボルは、ノーマルガードインターバルを用いてプリアンブルの第１の部分のレガシ信号フィールドに対して生成され、ＯＦＤＭシンボルは、ロングガードインターバルを用いてプリアンブルの第２の部分の非レガシ信号フィールドに対して生成される。一実施形態において、プリアンブルの第２の部分は、第１の通信プロトコルに準拠する複数のレシーバデバイスによりデコード可能であり、第２のプリアンブルのロングガードインターバルは、第１の通信プロトコルに準拠する複数のレシーバデバイスに、ＰＨＹデータユニットが距離延長モードに準拠することをシグナリングする。なおも別の実施形態において、複数のＯＦＤＭシンボルは、ｉ）非レガシ信号フィールドと、ｉｉ）非レガシ信号フィールドに対する第１のＯＦＤＭシンボルのコピーに対してロングガードインターバルを用いて、プリアンブルの第２の部分に対して生成される。一実施形態において、複数のＯＦＤＭシンボルは、ｉ）ダブルガードインターバルと、ｉｉ）フィールドに対する第１のＯＦＤＭシンボルと、ｉｉｉ）第１のＯＦＤＭシンボルのコピーであるフィールドに対する第２のＯＦＤＭシンボルとを含むプリアンブルの第２の部分における複数のフィールドの各フィールドに対して生成される。
【０２０８】
ブロック２７０６において、データユニットは、ブロック２７０４において生成されたプリアンブルと、ブロック２７０２において生成されたデータ部分とを含むように生成される。一実施形態において、ＰＨＹデータユニットは、第２の通信プロトコルに従って、信号フィールドの第１の部分および信号フィールドの第２の部分が後に続くダブルガードインターバルを含み、第１の信号フィールドと第２の信号フィールドとの間にガードインターバルを含まないように生成される。
【０２０９】
いくつかの実施形態において、データフィールドと比較される送信パワーブーストを用いてプリアンブルの少なくとも第１の部分が送信され、プリアンブルの第１の部分のデコード範囲を増大させる。
【０２１０】
別の実施形態において、第１のトーンの間隔およびロングガードインターバルを用いて、データフィールドに対する複数のＯＦＤＭシンボルが生成され、ｉ）第１のトーンの間隔とは異なる第２のトーンの間隔およびｉｉ）標準ガードインターバルを用いて、プリアンブルの第１の部分に対する複数のＯＦＤＭシンボルが生成される。更なる実施形態において、プリアンブルの第１の部分における第２のトーンの間隔は、ｉ）第２の通信プロトコルに準拠するレガシトーンの間隔であると共に、ｉｉ）データフィールドの第１のトーンの間隔の整数倍であり、標準ガードインターバルは、第２の通信プロトコルに準拠するレガシガードインターバルである。別の実施形態において、ｉ）レガシトーンの間隔およびレガシガードインターバルを用いる少なくとも第１のＯＦＤＭシンボルと、ｉｉ）第１のトーンの間隔およびロングガードインターバルを用いる少なくとも第２のＯＦＤＭシンボルとを含むプリアンブルの第２の部分に対する複数のＯＦＤＭシンボルが、生成される。なおも別の実施形態において、データフィールドに対する複数のＯＦＤＭシンボルは、第１のトーンの間隔を用いて、チャネル帯域幅の第１の帯域幅部分における複数のコンスタレーションシンボルと、チャネル帯域幅の第２の帯域幅部分における複数のコンスタレーションシンボルのコピーとを含むように生成され、第１の帯域幅部分および第２の帯域幅部分は、同一の帯域幅を有する。更なる実施形態において、データフィールドに対するＯＦＤＭシンボルを生成する段階は、予め定められた位相シフトを含むように複数のコンスタレーションシンボルのコピーを生成する段階を有する。
【０２１１】
一実施形態において、データフィールドに対するＯＦＤＭシンボルを生成する段階は、第１のトーンの間隔、ロングガードインターバルおよびロングシンボルの持続時間を用いてデータフィールドに対するＯＦＤＭシンボルを生成する段階を有する。更なる実施形態において、プリアンブルの第１の部分に対するＯＦＤＭシンボルを生成する段階は、第２のトーンの間隔、標準ガードインターバル、標準シンボルの持続時間を用いてプリアンブルの第１の部分に対するＯＦＤＭシンボルを生成する段階を有する。更なる実施形態において、プリアンブルの第１の部分における第２のトーンの間隔は、ｉ）レガシトーンの間隔およびｉｉ）データフィールドの第１のトーンの間隔の整数ｎの倍数であり、標準ガードインターバルは、レガシガードインターバルであり、ロングシンボルの持続時間は、標準シンボルの持続時間の整数ｎの倍数である。
【０２１２】
別の実施形態において、距離延長モードに従ってＰＨＹデータユニットのデータフィールドに対する複数のＯＦＤＭシンボルを生成する段階は、第２の通信プロトコルに準拠しない非レガシトーンの間隔および非レガシトーンプランを用いて、データフィールドに対する複数のＯＦＤＭシンボルを生成する段階を有し、プリアンブルを生成する段階は、非レガシトーンの間隔とは異なる第２のトーンの間隔、および非レガシトーンプランとは異なるレガシトーンプランを用いて、プリアンブルの第１の部分に対する複数のＯＦＤＭシンボルを生成する段階を有する。更なる実施形態において、非レガシトーンプランは、直流トーンに近似するレガシトーンプランの対応するデータトーンの代わりに少なくとも１つのガードトーンを含む。一実施形態において、非レガシトーンプランは、非レガシトーンプランおよびレガシトーンプランが同一の数のデータトーンを有するように、レガシトーンプランの対応するガードトーンの代わりに少なくとも１つのデータトーンを含む。別の実施形態において、非レガシトーンプランは、レガシトーンプランよりも少ない複数のデータトーンを含み、非レガシトーンの間隔および非レガシトーンプランを用いて、データフィールドに対する複数のＯＦＤＭシンボルを生成する段階は、非レガシトーンプランのデータトーンの数に基づいて、誤り訂正コードを用いて複数のＯＦＤＭシンボルの複数の情報ビットをエンコードする段階を有する。一実施形態において、誤り訂正コードは、２値畳み込みコードである。別の実施形態において、誤り訂正コードは、低密度パリティ検査コードである。
【０２１３】
図２８は、一実施形態による、データユニットを生成する例示的な方法２８００のフロー図である。図１を参照すると、方法２８００は、一実施形態においてネットワークインターフェース１６により実装される。例えば、そのような一実施形態において、ＰＨＹ処理ユニット２０は、方法２８００を実装するように構成される。また、別の実施形態によれば、ＭＡＣ処理１８は、方法２８００の少なくとも一部を実装するように構成される。図１を引き続き参照すると、なおも別の実施形態において、方法２８００は、ネットワークインターフェース２７（例えば、ＰＨＹ処理ユニット２９および／またはＭＡＣ処理ユニット２８）により実装される。複数の他の実施形態において、方法２８００は、複数の他の好適なネットワークインターフェースにより実装される。
【０２１４】
ブロック２８０２において、第１の複数の直交周波数分割多重（ＯＦＤＭ）シンボルは、一実施形態ではＰＨＹデータユニットに含まれるべきプリアンブルの第１のフィールドに対して生成される。いくつかの実施形態において、第１の複数のＯＦＤＭシンボルの各ＯＦＤＭシンボルは、少なくとも、予め定められたシーケンスを第２の通信プロトコルの第２のロングトレーニングシーケンスと掛けることにより取得される第１の通信プロトコルの第１のロングトレーニングシーケンスに対応する。ブロック２８０４において、一実施形態では、プリアンブルの第２のフィールドに対する第１の複数の情報ビットがエンコードされ、第１の複数のエンコードされたビットが生成される。
【０２１５】
ブロック２８０６において、一実施形態では、第１の複数のエンコードされたビットは、第１の複数のコンスタレーションシンボルにマッピングされる。ブロック２８０８において、一実施形態では、第１の複数のコンスタレーションシンボルを予め定められたシーケンスと掛ける段階を含む、第１の複数の修正されたコンスタレーションシンボルが生成される。ブロック２８１０において、一実施形態では、第１の複数の修正されたコンスタレーションシンボルを含む第２の複数の直交周波数分割多重（ＯＦＤＭ）シンボルが生成される。ブロック２８１２において、一実施形態では、第１のフィールドに対する第１の複数のＯＦＤＭシンボルと、第２のフィールドに対する第２の複数のＯＦＤＭシンボルとを含むプリアンブルが生成される。ブロック２８１４において、少なくともプリアンブルを含むＰＨＹデータユニットが生成される。
【０２１６】
いくつかの実施形態において、第１の複数の情報ビットは、ＰＨＹデータユニットの持続時間を示す１または複数の情報ビットの第１のセットを含み、プリアンブルは、プリアンブルがプリアンブルに基づいてＰＨＹデータユニットの持続時間を判断するべく、第２の通信プロトコルに準拠するが、第１の通信プロトコルには準拠しないレシーバデバイスによりデコード可能になるようにフォーマットされる。一実施形態において、第１のロングトレーニングシーケンスのｉ番目の値は、第２のロングトレーニングシーケンスに対応するｉ番目の値を掛けた予め定められたシーケンスのｉ番目の値に対応し、ｉは、インデックスである。
【０２１７】
一実施形態において、第１のロングトレーニングシーケンスの長さは、第２の通信プロトコルにより規定されたＯＦＤＭシンボルにおけるデータトーンの数およびパイロットトーンの数の和よりも大きいか、またはこれに等しい。いくつかの実施形態において、第１の複数の修正されたコンスタレーションシンボルを生成する段階は、予め定められたシーケンスを、第２の通信プロトコルに対する複数のパイロットトーンコンスタレーションシンボルと掛ける段階を有する。いくつかの実施形態において、複数のパイロットトーンコンスタレーションシンボルに対応する予め定められたシーケンスの複数の値は、１の値を有する。一実施形態において、予め定められたシーケンスの複数の値は、＋１または−１の値を有する。
【０２１８】
いくつかの実施形態において、第１の複数のＯＦＤＭシンボルを生成する段階は、第１の通信プロトコルに準拠するレシーバにより生成された第１のフィールドに対する自己相関出力が、ｉ）第１の通信プロトコルの第１のモードまたはｉｉ）第１の通信プロトコルの第２のモードをシグナリングして、レシーバデバイスによる第１のモードまたは第２のモードの自動検出を可能にするように、第１の複数のＯＦＤＭシンボルを生成する段階を有する。一実施形態において、第１のフィールドは、第１のロングトレーニングシーケンスを含む。別の実施形態において、第１のフィールドは、第２のロングトレーニングシーケンスを含む。
【０２１９】
一実施形態において、方法２８００は、ＰＨＹデータユニットのデータフィールドに対する第２の複数の情報ビットをエンコードして、第２の複数のエンコードされたビットを生成する段階と、第２の複数のエンコードされたビットを第２の複数のコンスタレーションシンボルにマッピングする段階と、予め定められたシーケンスを第２の複数のコンスタレーションシンボルと掛ける段階を含む、第２の複数の修正されたコンスタレーションシンボルを生成する段階と、第２の複数の修正されたコンスタレーションシンボルを含む第３の複数の直交周波数分割多重（ＯＦＤＭ）シンボルを生成する段階と、第３の複数のＯＦＤＭシンボルを含むデータフィールドを生成する段階とを更に備え、ＰＨＹデータユニットを生成する段階は、少なくともプリアンブルおよびデータフィールドを含むようにＰＨＹデータユニットを生成する段階を有する。
【０２２０】
図２９は、一実施形態による、ＨＥＷ通信プロトコルに準拠する例示的なＰＨＹプリアンブルの一部２９００をレガシプロトコルに準拠するプリアンブルの一部２９０４と比較した図である。一実施形態において、ＡＰ１４のネットワークインターフェースデバイス１６は、ＰＨＹプリアンブル２９００を含むデータユニットを生成して、一実施形態による直交周波数分割多重（ＯＦＤＭ）変調によりクライアント局２５‐１に送信するように構成される。一実施形態において、クライアント局２５‐１のネットワークインターフェースデバイス２７は、以下に検討される複数の技術を用いて、プリアンブル２９００を含むデータユニットが第１の通信プロトコルに準拠していると判断するように構成される。
【０２２１】
また、一実施形態においてクライアント局２５‐１のネットワークインターフェースデバイス２７は、ＰＨＹプリアンブル２９００を含むデータユニットを生成して、ＡＰ１４に送信するように構成される。一実施形態において、ＡＰ１４のネットワークインターフェースデバイス１６は、以下で検討される複数の技術を用いて、プリアンブル２９００を含むデータユニットが第１の通信プロトコルに準拠していると判断するように構成される。
【０２２２】
一実施形態によれば、ＰＨＹプリアンブル２９００を含むデータユニットは、第１の通信プロトコルに準拠し、２０ＭＨｚ帯域幅を占有する。第１の通信プロトコルに準拠し、プリアンブル２９００に類似するプリアンブルを含む複数のデータユニットは、様々な他の実施形態において例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。プリアンブル２９００は、「混合モード」の状況、すなわちＷＬＡＮ１０がレガシ通信プロトコルに準拠するが、第１の通信プロトコルには準拠しないクライアント局（例えば、レガシクライアント局２５‐４）を含む場合に好適である。いくつかの実施形態において、プリアンブル２９００は、複数の他の状況でも使用される。
【０２２３】
プリアンブル部分２９００は、Ｌ‐ＬＴＦ２０４／３０４／５０４を含む。一実施形態において、Ｌ‐ＬＴＦ２０４／３０４／５０４は、ダブルガードインターバル２９０８、第１のＬ‐ＬＴＦ  ＯＦＤＭシンボル２９１２、および第２のＬ‐ＬＴＦ  ＯＦＤＭシンボル２９１６を含む。一実施形態によれば、プリアンブル部分２９００は、Ｌ‐ＳＩＧ２０６／３０６／５０６を更に含み、これらはガードインターバル２９２０およびＬ‐ＳＩＧ  ＯＦＤＭシンボル２９２４を含む。一実施形態によれば、Ｌ‐ＬＴＦ２０４／３０４／５０４およびＬ‐ＳＩＧ２０６／３０６／５０６は、レガシプリアンブル２９０４（例えば、ＩＥＥＥ８０２．１１ａ規格、ＩＥＥＥ８０２．１１ｇ規格、ＩＥＥＥ８０２．１１ｎ規格、および／またはＩＥＥＥ８０２．１１ａｃ規格に準拠するプリアンブル）の対応する第１の部分に一致するプリアンブル２９００の第１の部分の一部である。レガシデバイスは、Ｌ‐ＳＩＧ２０６／３０６／５０６をデコードして、ＰＨＹプリアンブル２９００を含むＰＨＹデータユニットの長さを決定することができる。一実施形態において、例えばＬ‐ＳＩＧ２０６／３０６／５０６は、ＰＨＹプリアンブル２９００を含むＰＨＹデータユニットの長さを示す値に設定された長さフィールドを含む。
【０２２４】
プリアンブル２９００は、セカンダリＬ‐ＳＩＧフィールド２９２８を含む。一実施形態において、Ｌ‐ＳＩＧフィールド２９２８は、Ｌ‐ＳＩＧフィールド２０６／３０６／５０６の複製である。一実施形態において、第１の通信プロトコルに準拠して動作するように構成された通信デバイスは、プリアンブル２９００におけるＬ‐ＳＩＧフィールド２０６／３０６／５０６の反復を検出し、Ｌ‐ＳＩＧフィールド２０６／３０６／５０６の受信の検出に基づいてプリアンブル２９００が第１の通信プロトコルに準拠していると判断するように構成される。一実施形態において、Ｌ‐ＳＩＧフィールド２０６／３０６／５０６、２９２８の反復を検出すると、受信デバイスは複数の反復するＬ‐ＳＩＧフィールドにおける複製を追加のトレーニング情報として用いて、一実施形態においてチャネル推定を改善する。いくつかの実施形態において、受信デバイスはまず、Ｌ‐ＳＩＧ２０６／３０６／５０６をデコードし、次にＬ‐ＳＩＧ２０６／３０６／５０６における長さサブフィールドの値を用いてＬ‐ＳＩＧフィールド２０６／３０６／５０６、２９２８の反復を検出する。別の実施形態において、受信デバイスはまず、Ｌ‐ＳＩＧフィールド２０６／３０６／５０６、２９２８の反復を検出し、次に検出された複数のＬ‐ＳＩＧフィールド２０６／３０６／５０６、２９２８を組み合わせてＬ‐ＳＩＧフィールド２０６／３０６／５０６、２９２８のデコーディングの信頼性を改善し、および／または複数のＬ‐ＳＩＧフィールド２０６／３０６／５０６、２９２８における冗長情報を用いてチャネル推定を改善する。
【０２２５】
一実施形態において、プリアンブル２９００は、ＨＥＷ‐ＳＩＧ１フィールド２９３２を更に含み、ＨＥＷ‐ＳＩＧ１フィールド２９３２は、ＤＧＩ２９３６およびＨＥＷ‐ＳＩＧ１フィールドのＯＦＤＭシンボル２９４０を含む。プリアンブル２９００は、セカンダリＨＥＷ‐ＳＩＧ１フィールド２９４４も含む。一実施形態において、ＨＥＷ‐ＳＩＧ１フィールド２９４４は、ＨＥＷ‐ＳＩＧ１フィールド２９３２の複製である。一実施形態において、第１の通信プロトコルに準拠する受信デバイスは、反復するＨＥＷ‐ＳＩＧ１フールド２９３２、２９４４における複製を追加のトレーニング情報として用いて、一実施形態においてチャネル推定を改善する。別の実施形態において、第１の通信プロトコルに準拠する受信デバイスは、検出された複数のＨＥＷ‐ＳＩＧ１フィールド２９３２、２９４４を組み合わせて、ＨＥＷ‐ＳＩＧ１フィールド２９３２、２９４４のデコーディングの信頼性を改善し、および／または複数のＨＥＷ‐ＳＩＧ１フィールド２９３２、２９４４における冗長情報を用いてチャネル推定を改善する。
【０２２６】
一実施形態において、プリアンブル部分２９００は、プリアンブル２９００を含むデータユニットが第１の通信プロトコルに準拠していることを、第１の通信プロトコルに準拠して構成された受信デバイスが判断することができるようにフォーマットされる。例えば一実施形態において、ＬＴＦフィールド２０４／３０４／５０４は、図２３の修正されたＬＴＦフィールド２３０４に対応し、一実施形態において、第１のレガシ信号フィールド２０６／３０６／５０６は、図２３の修正されたレガシ信号フィールド２３０６に対応する。本実施形態において、プリアンブル２９００を含むデータユニットを受信する受信デバイスは、一実施形態において図２３に関して上記されたようにレガシ通信プロトコルのロングトレーニングシーケンスを用いるＬＴＦ２０４／３０４／５０４の第１の相互相関および第１の通信プロトコルの修正されたロングトレーニングシーケンスを用いるＬＴＦフィールド２０４／３０４／５０４の第２の相互相関を実行することにより、データユニットが第１の通信プロトコルに準拠することを検出することができる。
【０２２７】
一実施形態において、データユニット３２００のプリアンブル部分３２０１は、データユニット３２００がレガシ通信プロトコルに準拠しないことをレガシ通信デバイスが判断することができるように更にフォーマットされる。例えば一実施形態において、第１のＬ‐ＳＩＧフィールド３２０２、第２のＬ‐ＳＩＧフィールド３２０４、およびＨＥＷ‐ＳＩＧ１フィールド３２０８は各々、複数のＯＦＤＭシンボルにおける受信デバイスがレガシデータユニットのフォーマット３２２０における対応する箇所でＢＰＳＫ変調を検出するように変調される。例えば一実施形態において、第１のＬ‐ＳＩＧフィールド３２０２、第２のＬ‐ＳＩＧフィールド３２０４、およびＨＥＷ‐ＳＩＧ１フィールド３２０６に対応する複数のＯＦＤＭシンボルにおいてＢＰＳＫ変調を検出すると、受信デバイスは、データユニット３２００の処理を停止し、Ｌ‐ＳＩＧフィールド３２０４に基づいて判断された持続時間中、媒体にアクセスすることを自制する。
【０２２８】
図３０は、別の実施形態による、第１の通信プロトコルに準拠する例示的なＰＨＹプリアンブルの一部３０００をレガシプロトコルに準拠するプリアンブルの一部２９０４と比較した図である。プリアンブル３０００は、図２９のプリアンブル２９００に類似し、同一の番号の要素は、簡潔にする目的で詳細に検討されない。一実施形態において、ＡＰ１４のネットワークインターフェースデバイス１６は、ＰＨＹプリアンブル３０００を含むデータユニットを生成して、一実施形態によるＯＦＤＭ変調によりクライアント局２５‐１に送信するように構成される。一実施形態において、クライアント局２５‐１のネットワークインターフェースデバイス２７は、プリアンブル３０００を含むデータユニットが以下に検討される複数の技術を用いる第１の通信プロトコルに準拠していると判断するように構成される。
【０２２９】
一実施形態においてクライアント局２５‐１のネットワークインターフェースデバイス２７は、ＰＨＹプリアンブル３０００を含むデータユニットを生成して、ＡＰ１４に送信するようにも構成される。一実施形態において、ＡＰ１４のネットワークインターフェースデバイス１６は、以下で検討される複数の技術を用いて、プリアンブル３０００を含むデータユニットが第１の通信プロトコルに準拠していると判断するように構成される。
【０２３０】
一実施形態によれば、ＰＨＹプリアンブル３０００を含むデータユニットは、第１の通信プロトコルに準拠し、２０ＭＨｚ帯域幅を占有する。第１の通信プロトコルに準拠し、プリアンブル３０００に類似するプリアンブルを含む複数のデータユニットは、様々な他の実施形態において例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。プリアンブル３０００は、「混合モード」の状況、すなわちＷＬＡＮ１０がレガシ通信プロトコルに準拠するが、第１の通信プロトコルに準拠しないクライアント局（例えば、レガシクライアント局２５‐４）を含む場合に好適である。いくつかの実施形態において、プリアンブル３０００は、複数の他の状況でも使用される。
【０２３１】
プリアンブル２９００と異なり、プリアンブル３０００は、セカンダリＬ‐ＳＩＧ２９２８を省略する。更にプリアンブル２９００と異なり、ＨＥＷ‐ＳＩＧ１  ３００４は、ＤＧＩではなくＧＩ３００８を含む。ＨＥＷ‐ＳＩＧ１  ３００４は、ＨＥＷ‐ＳＩＧ１  ＯＦＤＭシンボル３０１２も含む。一実施形態において、ＨＥＷ‐ＳＩＧ１  ３０１６は、ＨＥＷ‐ＳＩＧ１  ３００４の複製である。また、プリアンブル３０００はＨＥＷ‐ＳＩＧ２  ３０２０を含み、ＨＥＷ‐ＳＩＧ２３０２０は、ＤＧＩ３０２４およびＨＥＷ‐ＳＩＧ２  ＯＦＤＭシンボル３０２８を含む。
【０２３２】
一実施形態によれば、Ｌ‐ＬＴＦ２０４／３０４／５０４およびＬ‐ＳＩＧ２０６／３０６／５０６は、レガシプリアンブル２９０４（例えば、ＩＥＥＥ８０２．１１ａ規格、ＩＥＥＥ８０２．１１ｇ規格、ＩＥＥＥ８０２．１１ｎ規格、および／またはＩＥＥＥ８０２．１１ａｃ規格に準拠するプリアンブル）の対応する第１の部分に一致するプリアンブル３０００の第１の部分の一部である。レガシデバイスは、Ｌ‐ＳＩＧ２０６／３０６／５０６をデコードして、ＰＨＹプリアンブル３０００を含むＰＨＹデータユニットの長さを決定することができる。一実施形態において、例えばＬ‐ＳＩＧ２０６／３０６／５０６は、ＰＨＹプリアンブル３０００を含むＰＨＹデータユニットの長さを示す値に設定された長さフィールドを含む。
【０２３３】
一実施形態において、ＨＥＷプロトコルに準拠して動作するように構成された通信デバイスは、プリアンブル３０００におけるＨＥＷ‐ＳＩＧ１フィールド３００４、３０１６の反復を検出し、ＨＥＷ‐ＳＩＧ１フィールド３００４、３０１６の検出された反復に基づいてプリアンブル３０００がＨＥＷ通信プロトコルに準拠することを判断するように構成される。
【０２３４】
一実施形態において、ＨＥＷプロトコルに準拠する受信デバイスは、反復するＨＥＷ‐ＳＩＧ１フールド３００４、３０１６における複製を追加のトレーニング情報として用いて、一実施形態においてチャネル推定を改善する。別の実施形態において、ＨＥＷプロトコルに準拠する受信デバイスは、検出された複数のＨＥＷ‐ＳＩＧ１フィールド３００４、３０１６を組み合わせて、ＨＥＷ‐ＳＩＧ１フィールド３００４、３０１６のデコーディングの信頼性を改善し、および／または複数のＨＥＷ‐ＳＩＧ１フィールド３００４、３０１６における冗長情報を用いてチャネル推定を改善する。
【０２３５】
図３１は、別の実施形態による、第１の通信プロトコルに準拠する例示的なＰＨＹプリアンブルの一部３１００をレガシプロトコルに準拠するプリアンブルの一部２９０４と比較した図である。プリアンブル３１００は、図２９のプリアンブル２９００および図３０のプリアンブル３０００に類似し、同一の番号の要素は、簡潔にする目的で詳細に検討されない。
【０２３６】
一実施形態において、ＡＰ１４のネットワークインターフェースデバイス１６は、ＰＨＹプリアンブル３１００を含むデータユニットを生成して、一実施形態によるＯＦＤＭ変調によりクライアント局２５‐１に送信するように構成される。一実施形態において、クライアント局２５‐１のネットワークインターフェースデバイス２７は、プリアンブル３１００を含むデータユニットが以下に検討される複数の技術を用いる第１の通信プロトコルに準拠していると判断するように構成される。
【０２３７】
また、一実施形態においてクライアント局２５‐１のネットワークインターフェースデバイス２７は、ＰＨＹプリアンブル３１００を含むデータユニットを生成して、ＡＰ１４に送信するように構成される。一実施形態において、ＡＰ１４のネットワークインターフェースデバイス１６は、以下で検討される複数の技術を用いて、プリアンブル３１００を含むデータユニットが第１の通信プロトコルに準拠していると判断するように構成される。
【０２３８】
一実施形態によれば、ＰＨＹプリアンブル３１００を含むデータユニットは、第１の通信プロトコルに準拠し、２０ＭＨｚ帯域幅を占有する。第１の通信プロトコルに準拠し、プリアンブル３１００に類似するプリアンブルを含む複数のデータユニットは、様々な他の実施形態において例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。プリアンブル３１００は、「混合モード」の状況、すなわちＷＬＡＮ１０がレガシ通信プロトコルに準拠するが、第１の通信プロトコルに準拠しないクライアント局（例えば、レガシクライアント局２５‐４）を含む場合に好適である。いくつかの実施形態において、プリアンブル３１００は、複数の他の状況でも使用される。
【０２３９】
プリアンブル２９００と異なり、ＨＥＷ‐ＳＩＧ１  ３００４は、ＤＧＩではなくＧＩ３００８を含む。ＨＥＷ‐ＳＩＧ１  ３００４は、ＨＥＷ‐ＳＩＧ１  ＯＦＤＭシンボル３０１２も含む。一実施形態において、ＨＥＷ‐ＳＩＧ１  ３０１６は、ＨＥＷ‐ＳＩＧ１  ３００４の複製である。また、プリアンブル３１００はＨＥＷ‐ＳＩＧ２  ３０２０を含み、ＨＥＷ‐ＳＩＧ２３０２０は、ＤＧＩ３０２４およびＨＥＷ‐ＳＩＧ２  ＯＦＤＭシンボル３０２８を含む。
【０２４０】
プリアンブル３０００と異なり、プリアンブル３１００は、セカンダリＬ‐ＳＩＧフィールド２９２８を含む。一実施形態において、Ｌ‐ＳＩＧフィールド２９２８は、Ｌ‐ＳＩＧフィールド２０６／３０６／５０６の複製である。
【０２４１】
一実施形態によれば、Ｌ‐ＬＴＦ２０４／３０４／５０４およびＬ‐ＳＩＧ２０６／３０６／５０６は、レガシプリアンブル２９０４（例えば、ＩＥＥＥ８０２．１１ａ規格、ＩＥＥＥ８０２．１１ｇ規格、ＩＥＥＥ８０２．１１ｎ規格、および／またはＩＥＥＥ８０２．１１ａｃ規格に準拠するプリアンブル）の対応する第１の部分に一致するプリアンブル３０００の第１の部分の一部である。レガシデバイスは、Ｌ‐ＳＩＧ２０６／３０６／５０６をデコードして、ＰＨＹプリアンブル３０００を含むＰＨＹデータユニットの長さを決定することができる。一実施形態において、例えばＬ‐ＳＩＧ２０６／３０６／５０６は、ＰＨＹプリアンブル３０００を含むＰＨＹデータユニットの長さを示す値に設定された長さフィールドを含む。
【０２４２】
一実施形態において、ＨＥＷプロトコルに準拠して動作するように構成された通信デバイスは、プリアンブル２９００におけるＬ‐ＳＩＧフィールド２０６／３０６／５０６の反復を検出し、Ｌ‐ＳＩＧフィールド２０６／３０６／５０６の検出された反復に基づいてプリアンブル２９００がＨＥＷ通信プロトコルに準拠することを判断するように構成される。一実施形態において、Ｌ‐ＳＩＧフィールド２０６／３０６／５０６、２９２８の反復を検出すると、受信デバイスは複数の反復するＬ‐ＳＩＧフィールドにおける複製を追加のトレーニング情報として用いて、一実施形態においてチャネル推定を改善する。いくつかの実施形態において、受信デバイスはまず、Ｌ‐ＳＩＧ２０６／３０６／５０６をデコードし、次にＬ‐ＳＩＧ２０６／３０６／５０６における長さサブフィールドの値を用いてＬ‐ＳＩＧフィールド２０６／３０６／５０６、２９２８の反復を検出する。別の実施形態において、受信デバイスはまず、Ｌ‐ＳＩＧフィールド２０６／３０６／５０６、２９２８の反復を検出し、次に検出された複数のＬ‐ＳＩＧフィールド２０６／３０６／５０６、２９２８を組み合わせてＬ‐ＳＩＧフィールド２０６／３０６／５０６、２９２８のデコーディングの信頼性を改善し、および／または複数のＬ‐ＳＩＧフィールド２０６／３０６／５０６、２９２８における冗長情報を用いてチャネル推定を改善する。
【０２４３】
一実施形態において、ＨＥＷプロトコルに準拠して動作するように構成された通信デバイスは、プリアンブル３０００におけるＨＥＷ‐ＳＩＧ１フィールド３００４、３０１６の反復を検出し、ＨＥＷ‐ＳＩＧ１フィールド３００４、３０１６の検出された反復に基づいてプリアンブル３０００がＨＥＷ通信プロトコルに準拠することを判断するように構成される。
【０２４４】
一実施形態において、ＨＥＷプロトコルに準拠する受信デバイスは、反復するＨＥＷ‐ＳＩＧ１フールド３００４、３０１６における複製を追加のトレーニング情報として用いて、一実施形態においてチャネル推定を改善する。別の実施形態において、ＨＥＷプロトコルに準拠する受信デバイスは、検出された複数のＨＥＷ‐ＳＩＧ１フィールド３００４、３０１６を組み合わせて、ＨＥＷ‐ＳＩＧ１フィールド３００４、３０１６のデコーディングの信頼性を改善し、および／または複数のＨＥＷ‐ＳＩＧ１フィールド３００４、３０１６における冗長情報を用いてチャネル推定を改善する。
【０２４５】
図３２は、一実施形態による、ＡＰ１４のネットワークインターフェースデバイス１６がＯＦＤＭ変調により生成して、クライアント局２５‐１に送信するように構成されたＯＦＤＭデータユニットのプリアンブル３２００の一部の図である。一実施形態において、クライアント局２５‐１のネットワークインターフェースデバイス２７は、プリアンブル３２００を含むデータユニットが以下に検討される複数の技術を用いる第１の通信プロトコルに準拠していると判断するように構成される。
【０２４６】
また、一実施形態においてクライアント局２５‐１のネットワークインターフェースデバイス２７は、プリアンブル３２００を含むデータユニットをＡＰ１４に送信するように構成される。一実施形態において、ＡＰ１４のネットワークインターフェースデバイス１６は、以下で検討される複数の技術を用いて、プリアンブル３２００を含むデータユニットが第１の通信プロトコルに準拠していると判断するように構成される。
【０２４７】
プリアンブル３２００を含むデータユニットは、第１の通信プロトコルに準拠し、２０ＭＨｚ帯域幅を占有する。複数の他の実施形態において、第１の通信プロトコルに準拠し、プリアンブル３２００に類似する複数のプリアンブルを有する複数のデータユニットは、例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。プリアンブル３２００を含むデータユニットは、「混合モード」の状況、すなわちＷＬＡＮ１０がレガシ通信プロトコルに準拠するが、第１の通信プロトコルに準拠しないクライアント局（例えば、レガシクライアント局２５‐４）を含む場合に好適である。いくつかの実施形態において、プリアンブル３２００を含むデータユニットは、複数の他の状況でも使用される。
【０２４８】
プリアンブル３２００は、第１のロングガードインターバル３２０２‐１、第１の部分３２０４‐１および第２の部分３２０４‐２を有するロングトレーニングフィールド３２０４、第２のロングガードインターバル３２０２‐２、第１のＬ‐ＳＩＧフィールド３２０６‐１、第２のＬ‐ＳＩＧフィールド３２０６‐２、第３のロングガードインターバル３２０２‐３、第１のＨＥＷ信号フィールドＨＥＷ‐ＳＩＧ１  ３２０８、第４のロングガードインターバル３２０２‐４、および第２のＨＥＷ信号フィールドＨＥＷ‐ＳＩＧ２  ３２１０を有するプリアンブル部分３２０１を含む。一実施形態において、第１のＬ‐ＳＩＧフィールド３２０６‐１は、データユニット７００のＬ‐ＳＩＧフィールド７０６に対応し、第２のＬ‐ＳＩＧフィールド３２０６‐２は、第１のＬ‐ＳＩＧフィールド３２０６‐１の複製である。一実施形態において、各ロングガードインターバル３２０２は、レガシ通信プロトコルにより規定される標準ガードインターバルの２倍の長さのダブルガードインターバルである。例えば一実施形態において、レガシ通信プロトコルにより規定された標準ガードインターバルは０．８μｓであるが、ダブルガードインターバルは１．６μｓである。別の実施形態において、複数のロングガードインターバル３２０２の各々は、レガシ通信プロトコルにより規定された標準ガードインターバルよりも大きい別の好適な値を有する。例えば、レガシ通信プロトコルにより規定された標準ガードインターバルは０．８μｓであるが、様々な実施形態においてロングガードインターバルは、１．２μｓ、２．４μｓ、３．２μｓ、または０．８μｓよりも大きい別の好適な値である。
【０２４９】
図３２を引き続き参照すると、レガシデータユニットのフォーマット３２２０が参照のために図示されている。フォーマット３２２０に準拠するデータユニットは、ダブルガードインターバル３２２２、第１の部分３２２４‐１および第２の部分３２２４‐２を有するロングトレーニングフィールド３２２４と、第１の標準ガードインターバル３２２５と、Ｌ‐ＳＩＧフィールド３２２６と、信号フィールド（例えば、ＨＴ‐ＳＩＧ１フィールドまたはＶＨＴ‐ＳＩＧ１フィールド）に対応するＯＦＤＭシンボル３２２８、またはデータユニット３２００に対応する特定のレガシプロトコルに応じたデータ部分のＯＦＤＭシンボルと、第３の標準ガードインターバル３２２５と、信号フィールド（例えば、ＨＴ‐ＳＩＧ２フィールドまたはＶＨＴ‐ＳＩＧ２フィールド）に対応するＯＦＤＭシンボル３２３０、またはフォーマット３２００に対応する特定のレガシプロトコルに応じたデータ部分のＯＦＤＭシンボルとを含む。
【０２５０】
一実施形態において、データユニット３２００のプリアンブル部分３２０１は、データユニット３２００が第１の通信プロトコルに対応していることを、第１の通信プロトコルに準拠して構成された受信デバイスが判断し得るようにフォーマットされる。例えば一実施形態において、Ｌ‐ＬＴＦフィールド３２０４は図２３の修正されたＬＴＦフィールド２３０４に対応し、一実施形態において、第１のレガシ信号フィールド３２０６は図２３の修正されたレガシ信号フィールド２３０６に対応する。本実施形態において、データユニット３２００を受信する受信デバイスは、一実施形態において図２３に関して上記されたように、レガシ通信プロトコルのロングトレーニングシーケンスを用いるロングトレーニングフィールド３２０２の第１の相互相関および第１の通信プロトコルの修正されたロングトレーニングシーケンスを用いるＬ‐ＬＴＦフィールド３２０２の第２の相互相関を実行することにより、データユニット３２００が第１の通信プロトコルに準拠していることを検出することができる。更にまたは代替的に、一実施形態においてデータユニット３２００を受信する受信デバイスは、プリアンブル部分３２０１における第２のＬ‐ＳＩＧフィールド３２０５の存在を検出することにより、データユニット３２００が第１の通信プロトコルに準拠することを検出することができる。
【０２５１】
一実施形態において、プリアンブル３２００のプリアンブル部分３２０１は、プリアンブル３２００を含むデータユニットがレガシ通信プロトコルに準拠しないことを、レガシ通信デバイスが判断し得るように更にフォーマットされる。例えば一実施形態において、第１のＬ‐ＳＩＧフィールド３２０２、第２のＬ‐ＳＩＧフィールド３２０４、およびＨＥＷ‐ＳＩＧ１フィールド３２０８は各々、複数のＯＦＤＭシンボルにおける受信デバイスがレガシデータユニットのフォーマット３２２０における対応する箇所でＢＰＳＫ変調を検出するように変調される。例えば一実施形態において、第１のＬ‐ＳＩＧフィールド３２０２、第２のＬ‐ＳＩＧフィールド３２０４、およびＨＥＷ‐ＳＩＧ１フィールド３２０６に対応する複数のＯＦＤＭシンボルにおいてＢＰＳＫ変調を検出すると、受信デバイスは、データユニット３２００の処理を停止し、Ｌ‐ＳＩＧフィールド３２０４に基づいて判断された持続時間中、媒体にアクセスすることを自制する。図３２に図示されるように、第１のＬ‐ＳＩＧフィールド３２０４は時間領域において、ロングガードインターバルがＬ‐ＳＩＧフィールド３２１０に先行するので、一実施形態ではレガシプリアンブル３２２０における対応するＯＦＤＭシンボルであるＬ‐ＳＩＧ３２２４と位置合わせされていない。他方、第２のＬ‐ＳＩＧフィールド３２０６‐２は、レガシプリアンブル３２２０における対応するＯＦＤＭシンボル３２２８と位置合わせされている。図示された実施形態において、ＨＥＷ‐ＳＩＧ１フィールドは時間領域では、第１のＬ‐ＳＩＧフィールド３２０８と同様にレガシプリアンブルにおける対応するＯＦＤＭシンボル３２３０と位置がずれている。
【０２５２】
一実施形態において、第１のＬ‐ＳＩＧフィールド３２０６‐１およびＨＥＷ‐ＳＩＧ１フィールド３２０８の複数のコンスタレーションポイントは、複数のコンスタレーションポイントがレガシフォーマット３２２０の複数の対応するＯＦＤＭシンボルを用いたレガシ通信デバイスにより用いられるシフトされたＦＦＴウィンドウにおいてＢＰＳＫとして見えるように予め回転される。一実施形態において、第１のＬ‐ＳＩＧフィールド３２０６‐１およびＨＥＷ‐ＳＩＧ１フィールド３２０８の複数のコンスタレーションポイントは、ロングガードインターバルの持続時間によるロングガードインターバルの長さにより判断された量だけ回転される。例えば、ロングガードインターバルがレガシ通信プロトコルにより規定された標準ガードインターバルの２倍の長さの実施形態において、第１のＬ‐ＳＩＧフィールド３２０６‐１およびＨＥＷ‐ＳＩＧ１フィールド３２０８の各々の複数のコンスタレーションポイントは、図１４Ｂ、図１４Ｃに関して上記されたように９０°回転される。本実施形態においては結果として、第１のＬ‐ＳＩＧフィールド３２０６‐１およびＨＥＷ‐ＳＩＧ１フィールド３２０８は各々、反転ＱＢＰＳＫ（Ｒ‐ＱＢＰＳＫ）変調を用いて変調される。
【０２５３】
一実施形態において、第２のＬ‐ＳＩＧフィールド３２０６‐２は、レガシフォーマット３２２０における対応するＯＦＤＭシンボル３２２８と位置合わせされ、従って第２のＬ‐ＳＩＧフィールド３２０６‐２は、ＢＰＳＫ変調を用いて変調される。本実施形態において、第２のＬ‐ＳＩＧフィールド３２０６‐２のサイクリックプレフィックスは、一実施形態における第１のＬ‐ＳＩＧフィールド３２０６‐１の最後の部分に一致しない。
【０２５４】
図３３は、一実施形態による、ＡＰ１４のネットワークインターフェースデバイス１６がＯＦＤＭ変調によりクライアント局２５‐１に送信するように構成されたＯＦＤＭデータユニットにおけるプリアンブルの一部３３００の図である。一実施形態において、クライアント局２５‐１のネットワークインターフェースデバイス２７は、プリアンブル３３００を含むデータユニットが以下に検討される複数の技術を用いる第１の通信プロトコルに準拠していると判断するように構成される。
【０２５５】
一実施形態においてクライアント局２５‐１のネットワークインターフェースデバイス２７は、プリアンブル３３００を含むデータユニットをＡＰ１４に送信するようにも構成される。一実施形態において、ＡＰ１４のネットワークインターフェースデバイス１６は、以下で検討される複数の技術を用いて、プリアンブル３３００を含むデータユニットが第１の通信プロトコルに準拠していると判断するように構成される。
【０２５６】
プリアンブル３３００を含むデータユニットは、第１の通信プロトコルに準拠し、２０ＭＨｚ帯域幅を占有する。複数の他の実施形態において、第１の通信プロトコルに準拠し、プリアンブル３３００に類似する複数のプリアンブルを有する複数のデータユニットは、例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。
【０２５７】
プリアンブル３３００は、プリアンブル３３００のプリアンブル部分３３０１において第２のロングガードインターバル３２０２‐２が標準ガードインターバル３３０２で代替され、第２のＬ‐ＳＩＧフィールド３２０６‐２がデータユニット３３００から省略されていることを除き、図３２のプリアンブル３２００に類似する。更に、プリアンブル部分３３０１は、プリアンブル３２００の単一のＨＥＷ‐ＳＩＧ１フィールド３２０８と比較して、第１のＨＥＷ‐ＳＩＧ１フィールド３２０８‐１および第２のＨＥＷ‐ＳＩＧ１フィールド３２０８‐２を含む。一実施形態において、第２のＨＥＷ‐ＳＩＧ１フィールド３２０８‐２は、第１のＨＥＷ‐ＳＩＧ１フィールド３２０８‐１の複製である。
【０２５８】
一実施形態において、Ｌ‐ＳＩＧフィールド３２０６および第２のＨＥＷ‐ＳＩＧ１フィールド３２０８‐２は各々、レガシフォーマット３２２０における、自身に対応するＯＦＤＭシンボルと位置合わせされている。他方、第１のＨＥＷ‐ＳＩＧ１フィールド３２０８‐１は、レガシフォーマット３２２０における自身の対応するＯＦＤＭシンボルとは位置がずれている。一実施形態において、第１のＨＥＷ‐ＳＩＧフィールド３２０８‐１の複数のコンスタレーションポイントは、受信デバイスがＯＦＤＭシンボル３２２８に対応するシフトされたＦＦＴウィンドウにおいてＢＰＳＫ変調を検出するように予め回転される（例えば９０°）。一実施形態において、第２のＨＥＷ‐ＳＩＧ１フィールド３２０８‐２は、受信デバイスがレガシフォーマット３２００における対応するＯＦＤＭシンボル３３３０のＢＰＳＫ変調を検出し得るように、ＢＰＳＫ変調を用いて変調される。しかしこの場合に、一実施形態において、第２のＨＥＷ‐ＳＩＧ１フィールド３２０８‐２の変調（ＢＰＳＫ）は、第１のＨＥＷ‐ＳＩＧ１フィールド３２０８‐１の変調（例えば、Ｒ‐ＱＢＰＳＫ）と異なる。結果として、第２のＨＥＷ‐ＳＩＧ１フィールド３２０８‐２のサイクリックプレフィックスは、第１のＨＥＷ‐ＳＩＧ１フィールド３２０８‐１の対応する最後の部分と厳密には一致しない。
【０２５９】
あるいは別の実施形態において、第２のＨＥＷ‐ＳＩＧ１フィールド３２０８‐２は、第１のＨＥＷ‐ＳＩＧ１フィールド３２０８‐１（例えば、Ｒ‐ＱＢＰＳＫ）と同一の変調を用いて変調される。本実施形態において、第２の信号フィールドＨＥＷ‐ＳＩＧ１フィールド３２０８‐２のサイクリックプレフィックスは、第１の信号フィールドＨＥＷ‐ＳＩＧ１フィールド３２０８‐１の最後の部分に一致し、データユニット３３００におけるＨＥＷ‐ＳＩＧ１フィールドの反復の検出に基づいて、プリアンブル３３００を含むデータユニットが第１の通信プロトコルに対応することを非レガシデバイスがより正確に検出することを可能にする。更に、本実施形態においてレガシデバイスは、対応するＯＦＤＭシンボル３２３０においてシフトされた変調（例えば、ＱＰＳＫ）を検出し、これによりＩＥＥＥ‐８０２‐１１ａｃ規格に準拠するデータユニットとしてのデータユニット３２００の誤検出をもたらす場合がある。しかし、レガシデバイスは、第２のＨＥＷ‐ＳＩＧ１フィールド３２０８‐２をＶＨＴ‐ＳＩＧ２フィールドとして解釈し、ＶＨＴ‐ＳＩＧ２フィールドのＣＲＣチェックがフェールする。一実施形態において、レガシデバイスは次に、ＩＥＥＥ８０２．１１ａｃ規格に準拠してプリアンブル３３００を有するデータユニットを廃棄し、一実施形態においてＬ‐ＳＩＧフィールド３２０６に示された持続時間の間、媒体にアクセスするのを自制する。第２のＨＥＷ‐ＳＩＧ１フィールド３２０８‐２のデコーディングに基づいて、レガシデバイスがＣＲＣエラーを検出することを確実にする様々な方法は、２０１３年４月４日に出願された米国特許出願第１３／８５６，２７７号（代理人整理番号第ＭＰ４７０９号）に説明されており、その全体が参照により本明細書に組み込まれる。
【０２６０】
図３４は、一実施形態による、ＡＰ１４のネットワークインターフェースデバイス１６がＯＦＤＭ変調によりクライアント局２５‐１に送信するように構成されたＯＦＤＭデータユニットにおけるプリアンブルの一部３４００の図である。一実施形態において、クライアント局２５‐１のネットワークインターフェースデバイス２７は、プリアンブル３４００を含むデータユニットが以下に検討される複数の技術を用いる第１の通信プロトコルに準拠していると判断するように構成される。
【０２６１】
一実施形態においてクライアント局２５‐１のネットワークインターフェースデバイス２７は、プリアンブル３４００を含むデータユニットをＡＰ１４に送信するようにも構成される。一実施形態において、ＡＰ１４のネットワークインターフェースデバイス１６は、以下で検討される複数の技術を用いて、プリアンブル３４００を含むデータユニットが第１の通信プロトコルに準拠していると判断するように構成される。
【０２６２】
プリアンブル３４００を含むデータユニットは、第１の通信プロトコルに準拠し、２０ＭＨｚ帯域幅を占有する。複数の他の実施形態において、第１の通信プロトコルに準拠し、プリアンブル３４００に類似する複数のプリアンブルを有する複数のデータユニットは、例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。
【０２６３】
一実施形態において、プリアンブル３４００は、プリアンブル３４００のプリアンブル部分３４０１がプリアンブル部分３４０１の複数のＯＦＤＭシンボルの間に複数のロングガードインターバルを含み、Ｌ‐ＳＩＧフィールド３２０６の複製を含まないことを除き、図３２のプリアンブル３２００に類似する。更に図示された実施形態においては、プリアンブル３２００と異なり、プリアンブル３４００の複数のＯＦＤＭシンボルにおけるコンスタレーションポイントの事前回転は、レガシフォーマット３２２０における対応するＯＦＤＭシンボルとは位置がずれている。
【０２６４】
図３５は、一実施形態による、ＡＰ１４のネットワークインターフェースデバイス１６が直交周波数分割多重（ＯＦＤＭ）変調によりクライアント局２５‐１に送信するように構成されたＯＦＤＭデータユニットにおけるプリアンブルの一部３５００の図である。一実施形態において、クライアント局２５‐１のネットワークインターフェースデバイス２７は、プリアンブル３５００を含むデータユニットが以下に検討される複数の技術を用いる第１の通信プロトコルに準拠していると判断するように構成される。
【０２６５】
また、一実施形態においてクライアント局２５‐１のネットワークインターフェースデバイス２７は、プリアンブル３５００を含むデータユニットをＡＰ１４に送信するように構成される。一実施形態において、ＡＰ１４のネットワークインターフェースデバイス１６は、以下で検討される複数の技術を用いて、プリアンブル３５００を含むデータユニットが第１の通信プロトコルに準拠していると判断するように構成される。
【０２６６】
プリアンブル３５００を含むデータユニットは、第１の通信プロトコルに準拠し、２０ＭＨｚ帯域幅を占有する。複数の他の実施形態において、第１の通信プロトコルに準拠し、プリアンブル３５００に類似する複数のプリアンブルを有する複数のデータユニットは、例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。プリアンブル３５００は、プリアンブル３５００において第２のロングガードインターバル３３０２‐２が標準ガードインターバル３５０２で代替されていることを除き、図３４におけるプリアンブル３４００と同一である。この場合、一実施形態ではＬ‐ＳＩＧフィールド３２０６は、レガシフォーマット３２２０における自身の対応するＯＦＤＭシンボル（Ｌ‐ＳＩＧフィールド３２２６）と位置合わせされる。
【０２６７】
図３６は、別の実施形態による、第１の通信プロトコルに準拠する例示的なＰＨＹプリアンブルの一部３６００をレガシプロトコルに準拠するプリアンブルの一部２９０４と比較した図である。プリアンブル３６００は、図２９のプリアンブル２９００に類似し、同一の番号の要素は、簡潔にする目的で詳細に検討されない。
【０２６８】
一実施形態において、ＡＰ１４のネットワークインターフェースデバイス１６は、ＰＨＹプリアンブル３６００を含むデータユニットを生成して、一実施形態によるＯＦＤＭ変調によりクライアント局２５‐１に送信するように構成される。一実施形態において、クライアント局２５‐１のネットワークインターフェースデバイス２７は、プリアンブル３６００を含むデータユニットが以下に検討される複数の技術を用いる第１の通信プロトコルに準拠していると判断するように構成される。
【０２６９】
一実施形態においてクライアント局２５‐１のネットワークインターフェースデバイス２７は、ＰＨＹプリアンブル３６００を含むデータユニットを生成して、ＡＰ１４に送信するようにも構成される。一実施形態において、ＡＰ１４のネットワークインターフェースデバイス１６は、以下で検討される複数の技術を用いて、プリアンブル３６００を含むデータユニットが第１の通信プロトコルに準拠していると判断するように構成される。
【０２７０】
一実施形態によれば、ＰＨＹプリアンブル３６００を含むデータユニットは、第１の通信プロトコルに準拠し、２０ＭＨｚ帯域幅を占有する。第１の通信プロトコルに準拠し、プリアンブル３６００に類似するプリアンブルを含む複数のデータユニットは、様々な他の実施形態において例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。プリアンブル３６００は、「混合モード」の状況、すなわちＷＬＡＮ１０がレガシ通信プロトコルに準拠するが、第１の通信プロトコルに準拠しないクライアント局（例えば、レガシクライアント局２５‐４）を含む場合に好適である。いくつかの実施形態において、プリアンブル３６００は、複数の他の状況でも使用される。
【０２７１】
一実施形態において、時間領域におけるＨＥＷ‐ＳＩＧフィールド３６０４は、ロングガードインターバル２９３６がＨＥＷ‐ＳＩＧ１  ＯＦＤＭシンボル２９４０に先行するので、レガシプリアンブル２９０４における対応するＯＦＤＭシンボル（Ｖ）ＨＴ‐ＳＩＧ１フィールド３６０８と位置合わせされない。
【０２７２】
一実施形態において、ＨＥＷ‐ＳＩＧ１  ＯＦＤＭシンボル２９４０の複数のコンスタレーションポイントは、ロングガードインターバル２９３６の持続時間によるロングガードインターバル２９３６の長さにより判断された量だけ回転される。例えば、ロングガードインターバルがレガシ通信プロトコルにより規定された標準ガードインターバルの２倍の長さの実施形態において、ＨＥＷ‐ＳＩＧ１  ＯＦＤＭシンボル２９４０の複数のコンスタレーションポイントは、図１４Ｂ〜図１４Ｃに関して上記されたように９０°回転される。結果として、一実施形態においてＨＥＷ‐ＳＩＧ１フィールド３６０４は、反転ＱＢＰＳＫ（Ｒ‐ＱＢＰＳＫ）変調を用いて変調される。
【０２７３】
図３７は、一実施形態による、ＡＰ１４のネットワークインターフェースデバイス１６が直交周波数分割多重（ＯＦＤＭ）変調により生成してクライアント局２５‐１に送信するように構成されたＯＦＤＭデータユニットにおけるプリアンブルの一部３７００の図である。一実施形態において、クライアント局２５‐１のネットワークインターフェースデバイス２７は、プリアンブル３７００を含むデータユニットが以下に検討される複数の技術を用いる第１の通信プロトコルに準拠していると判断するように構成される。
【０２７４】
また、一実施形態においてクライアント局２５‐１のネットワークインターフェースデバイス２７は、プリアンブル３７００を含むデータユニットを生成して、ＡＰ１４に送信するように構成される。一実施形態において、ＡＰ１４のネットワークインターフェースデバイス１６は、以下で検討される複数の技術を用いて、プリアンブル３７００を含むデータユニットが第１の通信プロトコルに準拠していると判断するように構成される。
【０２７５】
プリアンブル３７００を含むデータユニットは、第１の通信プロトコルに準拠し、２０ＭＨｚ帯域幅を占有する。複数の他の実施形態において、第１の通信プロトコルに準拠し、プリアンブル３７００に類似する複数のプリアンブルを含む複数のデータユニットは、例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。
【０２７６】
プリアンブル３７００は、プリアンブル３７００が第２の（複製）ＨＥＷ‐ＳＩＧ１フィールド３２０８‐２を省略し、自動検出ＯＦＤＭシンボル３７０６を含むことを除き、図３３のプリアンブル３３００に類似する。一実施形態において受信デバイスは、データユニット３７００における自動検出ＯＦＤＭシンボル３７０６の検出に基づいて、プリアンブル３７００を含むデータユニットが第１の通信プロトコルに準拠することを検出することができる。図示された実施形態において、自動検出シンボル３７０６は、Ｌ‐ＳＩＧフィールド３２０６の直ぐ後に続く。一実施形態において自動検出シンボル３７０６は、レガシデータユニットのフォーマット３２２０における自身の対応するＯＦＤＭシンボルと位置合わせされ、レガシフォーマット３２２０における対応するＯＦＤＭシンボルのトーンのうちの少なくともゼロでないトーンに対してＢＰＳＫ変調を用いて変調される。一実施形態において、ロングガードインターバル３７１０は、プリアンブル３７００のＨＥＷ‐ＳＩＧ１フィールド３２０８と共に用いられる。一実施形態において、プリアンブル３７００のＨＥＷ‐ＳＩＧ１フィールド３２０８は、レガシフォーマット３２２０における対応するＯＦＤＭシンボルとは位置がずれている。一実施形態において、ＨＥＷ‐ＳＩＧ１フィールド３２０８の複数のコンスタレーションポイントは、レガシ受信デバイスがレガシフォーマット３２２０における対応するＯＦＤＭシンボルのＦＦＴウィンドウを用いてＢＰＳＫ変調を検出するように予め回転される（例えば、９０°）。
【０２７７】
図３８Ａ〜図３８Ｄは、いくつかの例示的な実施形態によるデータユニット３７００の自動検出ＯＦＤＭシンボル３７０６を図示する図である。まず図３８Ａを参照すると、一実施形態において自動検出ＯＦＤＭシンボル３７０６は、複数のレガシ通信プロトコルにより規定されたＬ‐ＬＴＦシーケンスの５つの反復を含む。本実施形態において、非レガシ受信デバイスは、データユニット３７００の開始を検出するのに用いられるパケット検出アルゴリズムのスタートを再度用いることにより、データユニット３７００の始めに含まれるＬ‐ＳＴＦフィールドに基づいて、データユニット３７００が第１の通信プロトコルに準拠していることを検出することができる。ここで図３８Ｂを参照すると、一実施形態において自動検出ＯＦＤＭシンボル３７０６は、レガシ通信プロトコルにより規定されたＬ‐ＳＴＦシーケンスと比較して長い（より多くのＯＦＤＭトーンに対応する）予め定められた好適なシーケンスの２つの反復を含む。例えば一実施形態において、予め定められたシーケンスは、データユニット３７００の各２０ＭＨｚ帯域内の他のあらゆるＯＦＤＭトーン（例えば、セット［＋／−２，＋／４，＋／−６等］におけるインデックスを有するＯＦＤＭトーン）に対応する複数の値を含む。ここで図３８Ｃを参照すると、一実施形態において自動検出ＯＦＤＭシンボル３７０６は、Ｌ‐ＳＩＧフィールド３２０６における最後の部分（例えば、最後の０．８μｓ）の５つの反復を含む。ここで図３８Ｃを参照すると、一実施形態において自動検出ＯＦＤＭシンボル３７０６は、Ｌ‐ＳＩＧフィールド３２０６のより大きい部分（例えば、１．６μｓ）の２つの反復を含み、その次にＬ‐ＳＩＧフィールド３２０６のより大きい部分（例えば、０．８μｓ）の下位部分を含むポストフィックス部分が続く。
【０２７８】
複数の他の実施形態において、自動検出ＯＦＤＭシンボル３７０６は、受信デバイスにおいて、プリアンブル３７００を含むデータユニットが第１の通信プロトコルに準拠していることを自動検出するべく用いられ得る任意の他の予め定められた好適なシーケンスを含む。例えば様々な実施形態において、自動検出ＯＦＤＭシンボル３７０６は、予め定められたバーカーコードシーケンス、予め定められたゴレイコードシーケンス、またはその他の好適な予め定められたシーケンスを含む。一実施形態において受信デバイスは、自動検出ＯＦＤＭシンボル３７０６の予め定められたシーケンスとの高い相関性を検出することにより、プリアンブル３７００を含むデータユニットが第１の通信プロトコルに準拠することを検出する。
【０２７９】
図３９は、別の実施形態による、第１の通信プロトコルに準拠する例示的なＰＨＹプリアンブルの一部３９００をレガシプロトコルに準拠するプリアンブルの一部２９０４と比較した図である。プリアンブル３９００は、図２９のプリアンブル２９００に類似し、同一の番号の要素は、簡潔にする目的で詳細に検討されない。
【０２８０】
一実施形態において、ＡＰ１４のネットワークインターフェースデバイス１６は、ＰＨＹプリアンブル３９００を含むデータユニットを生成して、一実施形態によるＯＦＤＭ変調によりクライアント局２５‐１に送信するように構成される。一実施形態において、クライアント局２５‐１のネットワークインターフェースデバイス２７は、プリアンブル３９００を含むデータユニットが以下に検討される複数の技術を用いる第１の通信プロトコルに準拠していると判断するように構成される。
【０２８１】
一実施形態においてクライアント局２５‐１のネットワークインターフェースデバイス２７は、ＰＨＹプリアンブル３９００を含むデータユニットを生成して、ＡＰ１４に送信するようにも構成される。一実施形態において、ＡＰ１４のネットワークインターフェースデバイス１６は、以下で検討される複数の技術を用いて、プリアンブル３９００を含むデータユニットが第１の通信プロトコルに準拠していると判断するように構成される。
【０２８２】
一実施形態によれば、ＰＨＹプリアンブル３９００を含むデータユニットは、第１の通信プロトコルに準拠し、２０ＭＨｚ帯域幅を占有する。第１の通信プロトコルに準拠し、プリアンブル３９００に類似するプリアンブルを含む複数のデータユニットは、様々な他の実施形態において例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。プリアンブル３９００は、「混合モード」の状況、すなわちＷＬＡＮ１０がレガシ通信プロトコルに準拠するが、第１の通信プロトコルに準拠しないクライアント局（例えば、レガシクライアント局２５‐４）を含む場合に好適である。いくつかの実施形態において、プリアンブル３９００は、複数の他の状況でも使用される。
【０２８３】
一実施形態によれば、Ｌ‐ＳＩＧ２０６／３６／５０６、Ｌ‐ＳＩＧ２９２８、およびＨＥＷ‐ＳＩＧ１  ２９３２はＢＰＳＫを用いて変調されるが、ＨＥＷ‐ＳＩＧ１  ２９４４は回転されたＢＰＳＫ（例えば、Ｑ‐ＢＰＳＫ）を用いて変調される。
【０２８４】
図４０Ａは、別の実施形態による、第１の通信プロトコルに準拠する別の例示的なＰＨＹプリアンブルの一部４０００の図である。
【０２８５】
一実施形態において、ＡＰ１４のネットワークインターフェースデバイス１６は、ＰＨＹプリアンブル４０００を含むデータユニットを生成して、一実施形態によるＯＦＤＭ変調によりクライアント局２５‐１に送信するように構成される。一実施形態において、クライアント局２５‐１のネットワークインターフェースデバイス２７は、プリアンブル４０００を含むデータユニットが以下に検討される複数の技術を用いる第１の通信プロトコルに準拠していると判断するように構成される。
【０２８６】
一実施形態においてクライアント局２５‐１のネットワークインターフェースデバイス２７は、ＰＨＹプリアンブル４０００を含むデータユニットを生成して、ＡＰ１４に送信するようにも構成される。一実施形態において、ＡＰ１４のネットワークインターフェースデバイス１６は、以下で検討される複数の技術を用いて、プリアンブル４０００を含むデータユニットが第１の通信プロトコルに準拠していると判断するように構成される。
【０２８７】
一実施形態によれば、ＰＨＹプリアンブル４０００を含むデータユニットは、第１の通信プロトコルに準拠し、２０ＭＨｚ帯域幅を占有する。第１の通信プロトコルに準拠し、プリアンブル４０００に類似するプリアンブルを含む複数のデータユニットは、様々な他の実施形態において例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。プリアンブル４０００は、「混合モード」の状況、すなわちＷＬＡＮ１０がレガシ通信プロトコルに準拠するが、第１の通信プロトコルに準拠しないクライアント局（例えば、レガシクライアント局２５‐４）を含む場合に好適である。いくつかの実施形態において、プリアンブル４０００は、複数の他の状況でも使用される。
【０２８８】
プリアンブル部分４０００は、第１のＬ‐ＬＴＦ  ＯＦＤＭシンボル４００８、第２のＬ‐ＬＴＦ  ＯＦＤＭシンボル４０１２、およびＬ‐ＳＩＧ  ＯＦＤＭシンボル４０１６を有するレガシ部分４００４を含む。一実施形態において、ダブルガードインターバル（図示せず）はＬ‐ＬＴＦ  ＯＦＤＭシンボル４００８の前に含まれており、ガードインターバルは、Ｌ‐ＬＴＦ  ＯＦＤＭシンボル４０１２とＬ‐ＳＩＧ  ＯＦＤＭシンボル４０１６との間に含まれている。一実施形態によれば、レガシデバイスは、Ｌ‐ＳＩＧ４０１６をデコードして、ＰＨＹプリアンブル４０００を含むＰＨＹデータユニットの長さを決定することができる。一実施形態において、例えばＬ‐ＳＩＧ４０１６は、ＰＨＹプリアンブル４０００を含むＰＨＹデータユニットの長さを示す値に設定された長さフィールドを含む。
【０２８９】
一実施形態において、Ｌ‐ＬＴＦフィールド４０１２は図２３の修正されたＬＴＦフィールド２３０４に対応しており、一実施形態において、Ｌ‐ＳＩＧ４０１６は図２３の修正されたレガシ信号フィールド２３０６に対応する。本実施形態において、第１の通信プロトコルに準拠する受信デバイスは、一実施形態において図２３に関して上記されたように、レガシ通信プロトコルのロングトレーニングシーケンスを用いたＬ‐ＬＴＦ４００８の第１の相互相関および第１の通信プロトコルの修正されたロングトレーニングシーケンスを用いたＬ‐ＬＴＦフィールド４０１２の第２の相互相関を実行することにより、プリアンブル４０００を含むデータユニットが第１の通信プロトコルに準拠していることを検出することができる。
【０２９０】
ＰＨＹプリアンブル４０００は、１または複数のＨＥＷ‐ＳＴＦ  ＯＦＤＭシンボル４０２０、ＨＥＷ‐ＬＴＦ１  ＯＦＤＭシンボル４０２４、ＨＥＷ‐ＳＩＧＡ  ＯＦＤＭシンボル４０２８、１または複数のＨＥＷ‐ＬＴＦ  ＯＦＤＭシンボル４０３２、およびＨＥＷ‐ＳＩＧＢ  ＯＦＤＭシンボル４０３６を含む。一実施形態において、ＤＧＩは、Ｌ‐ＳＩＧ４０１６とＨＥＷ‐ＳＴＦ４０２０ａとの間に含まれる。一実施形態において、各ＤＧＩは、ＨＥＷ‐ＳＴＦ  ＯＦＤＭシンボル４０２０ｂとＨＥＷ‐ＬＴＦ１  ＯＦＤＭシンボル４０２４との間、ＨＥＷ‐ＬＴＦ１  ＯＦＤＭシンボル４０２４とＨＥＷ‐ＳＩＧＡ  ＯＦＤＭシンボル４０２８との間、ＨＥＷ‐ＳＩＧＡ  ＯＦＤＭシンボル４０２８と１または複数のＨＥＷ‐ＬＴＦ  ＯＦＤＭシンボル４０３２との間、および１または複数のＨＥＷ‐ＬＴＦ  ＯＦＤＭシンボル４０３２とＨＥＷ‐ＳＩＧＢ  ＯＦＤＭシンボル４０３６との間に含まれる。
【０２９１】
図４０Ｂは、別の実施形態による、第１の通信プロトコルに準拠する別の例示的なＰＨＹプリアンブルの一部４０５０の図である。プリアンブル部分４０５０は、プリアンブル部分４０００に類似し、同一の番号の要素は、簡潔にする目的で詳細に検討されない。
【０２９２】
一実施形態において、ＡＰ１４のネットワークインターフェースデバイス１６は、ＰＨＹプリアンブル４０５０を含むデータユニットを生成して、一実施形態によるＯＦＤＭ変調によりクライアント局２５‐１に送信するように構成される。一実施形態において、クライアント局２５‐１のネットワークインターフェースデバイス２７は、プリアンブル４０５０を含むデータユニットが以下に検討される複数の技術を用いる第１の通信プロトコルに準拠していると判断するように構成される。
【０２９３】
一実施形態においてクライアント局２５‐１のネットワークインターフェースデバイス２７は、ＰＨＹプリアンブル４０５０を含むデータユニットを生成して、ＡＰ１４に送信するようにも構成される。一実施形態において、ＡＰ１４のネットワークインターフェースデバイス１６は、以下で検討される複数の技術を用いて、プリアンブル４０５０を含むデータユニットが第１の通信プロトコルに準拠していると判断するように構成される。
【０２９４】
一実施形態によれば、ＰＨＹプリアンブル４０５０を含むデータユニットは、第１の通信プロトコルに準拠し、２０ＭＨｚ帯域幅を占有する。第１の通信プロトコルに準拠し、プリアンブル４０５０に類似するプリアンブルを含む複数のデータユニットは、様々な他の実施形態において例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。プリアンブル４０５０は、「混合モード」の状況、すなわちＷＬＡＮ１０がレガシ通信プロトコルに準拠するが、第１の通信プロトコルに準拠しないクライアント局（例えば、レガシクライアント局２５‐４）を含む場合に好適である。いくつかの実施形態において、プリアンブル４０５０は、複数の他の状況でも使用される。
【０２９５】
一実施形態によれば、レガシデバイスは、Ｌ‐ＳＩＧ４０１６をデコードして、ＰＨＹプリアンブル４０５０を含むＰＨＹデータユニットの長さを決定することができる。一実施形態において、例えばＬ‐ＳＩＧ４０１６は、ＰＨＹプリアンブル４０５０を含むＰＨＹデータユニットの長さを示す値に設定された長さフィールドを含む。
【０２９６】
プリアンブル４０５０は、１または複数のセカンダリＬ‐ＳＩＧ４０５４も含む。一実施形態において、１または複数のセカンダリＬ‐ＳＩＧ４０５４は、Ｌ‐ＳＩＧ４０１６の複製である。
【０２９７】
一実施形態において、Ｌ‐ＬＴＦフィールド４０１２は図２３の修正されたＬＴＦフィールド２３０４に対応しており、一実施形態において、Ｌ‐ＳＩＧ４０１６は図２３の修正されたレガシ信号フィールド２３０６に対応する。本実施形態において、第１の通信プロトコルに準拠する受信デバイスは、一実施形態において図２３に関して上記されたように、レガシ通信プロトコルのロングトレーニングシーケンスを用いたＬ‐ＬＴＦ４００８の第１の相互相関および第１の通信プロトコルの修正されたロングトレーニングシーケンスを用いたＬ‐ＬＴＦフィールド４０１２の第２の相互相関を実行することにより、プリアンブル４０５０を含むデータユニットが第１の通信プロトコルに準拠していることを検出することができる。
【０２９８】
更にまたは代替的に、一実施形態においてプリアンブル４０５０を含むデータユニットを受信する受信デバイスは、プリアンブル部分４０５０における１または複数のセカンダリＬ‐ＳＩＧフィールド４０５４の存在を検出することにより、データユニットが第１の通信プロトコルに準拠していることを検出することができる。
【０２９９】
一実施形態において、ＤＧＩは、Ｌ‐ＳＩＧ４０５４ｂとＨＥＷ‐ＳＴＦ４０２０ａとの間に含まれる。一実施形態において、各ＤＧＩは、ＨＥＷ‐ＳＴＦ  ＯＦＤＭシンボル４０２０ｂとＨＥＷ‐ＬＴＦ１  ＯＦＤＭシンボル４０２４との間、ＨＥＷ‐ＬＴＦ１  ＯＦＤＭシンボル４０２４とＨＥＷ‐ＳＩＧＡ  ＯＦＤＭシンボル４０２８との間、ＨＥＷ‐ＳＩＧＡ  ＯＦＤＭシンボル４０２８と１または複数のＨＥＷ‐ＬＴＦ  ＯＦＤＭシンボル４０３２との間、および１または複数のＨＥＷ‐ＬＴＦ  ＯＦＤＭシンボル４０３２とＨＥＷ‐ＳＩＧＢ  ＯＦＤＭシンボル４０３６との間に含まれる。
【０３００】
いくつかの実施形態において、上記のような複数の技術は、第１の通信プロトコルに準拠する複数のデータユニットを検出して、複数のデータユニットが、（第１の通信プロトコルにより規定された）複数のモードのどれに対応するかを検出するべく使用され得る。例えば、図４１は、別の実施形態による、第１の通信プロトコルに準拠する例示的なＰＨＹプリアンブルの一部４１００をレガシプロトコルに準拠するプリアンブルの一部２９０４と比較した図である。更に、ＰＨＹプリアンブル４１００は、第１の通信プロトコルの距離延長モードにも対応する。図４１は、別の実施形態による、第１の通信プロトコルに準拠する例示的なＰＨＹプリアンブルの一部４１０４をレガシプロトコルに準拠するプリアンブルの一部２９０４と比較した図も含む。更に、ＰＨＹプリアンブル４１０４は、第１の通信プロトコルの標準モードにも対応する。
【０３０１】
一実施形態において、ＡＰ１４のネットワークインターフェースデバイス１６は、一実施形態によるＯＦＤＭ変調によりＰＨＹプリアンブル４１００またはＰＨＹプリアンブル４１０４を含むデータユニットを生成してクライアント局２５‐１に送信するように構成される。一実施形態において、クライアント局２５‐１のネットワークインターフェースデバイス２７は、プリアンブル４１００またはプリアンブル４１０４を含むデータユニットが以下に検討される複数の技術を用いる第１の通信プロトコルに準拠していると判断するように構成される。一実施形態において、クライアント局２５‐１のネットワークインターフェースデバイス２７は、以下に検討される複数の技術を用いて、プリアンブル４１００を含むデータユニットが距離延長モードに準拠し、プリアンブル４１０４を含むデータユニットが標準モードに準拠していると判断するように構成される。
【０３０２】
一実施形態において、クライアント局２５‐１のネットワークインターフェースデバイス２７は、ＰＨＹプリアンブル４１００またはＰＨＹプリアンブル４１０４を含む複数のデータユニットを生成してＡＰ１４に送信するようにも構成される。一実施形態において、ＡＰ１４のネットワークインターフェースデバイス１６は、以下に検討される複数の技術を用いて、ＰＨＹプリアンブル４１００またはＰＨＹプリアンブル４１０４を含むデータユニットが第１の通信プロトコルに準拠していると判断するように構成される。一実施形態において、ＡＰ１４のネットワークインターフェースデバイス１６は、以下に検討される複数の技術を用いて、プリアンブル４１００を含むデータユニットが距離延長モードに準拠し、プリアンブル４１０４を含むデータユニットが標準モードに準拠していると判断するように構成される。
【０３０３】
一実施形態によれば、ＰＨＹプリアンブル４１００を含むデータユニットは、第１の通信プロトコルに準拠し、２０ＭＨｚ帯域幅を占有する。第１の通信プロトコルに準拠し、プリアンブル４１００に類似するプリアンブルを含む複数のデータユニットは、様々な他の実施形態において例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。一実施形態によれば、ＰＨＹプリアンブル４１０４を含むデータユニットは、第１の通信プロトコルに準拠し、２０ＭＨｚ帯域幅を占有する。第１の通信プロトコルに準拠し、プリアンブル４１０４に類似するプリアンブルを含む複数のデータユニットは、様々な他の実施形態において例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。
【０３０４】
プリアンブル４１００は、図２９のプリアンブル２９００に類似し、同一の番号の要素は、簡潔にする目的で詳細に検討されない。レガシデバイスは、Ｌ‐ＳＩＧ２０６／３０６／５０６をデコードして、ＰＨＹプリアンブル４１００を含むＰＨＹデータユニットの長さを決定することができる。一実施形態において、例えばＬ‐ＳＩＧ２０６／３０６／５０６は、ＰＨＹプリアンブル４１００を含むＰＨＹデータユニットの長さを示す値に設定された長さフィールドを含む。
【０３０５】
一実施形態において、ＨＥＷプロトコルに準拠して動作するように構成された通信デバイスは、プリアンブル４１００におけるＬ‐ＳＩＧフィールド２０６／３０６／５０６の反復を検出し、Ｌ‐ＳＩＧフィールド２０６／３０６／５０６の検出された反復に基づいて、プリアンブル４１００が第１の通信プロトコルに準拠していると判断するように構成される。更に、第１の通信プロトコルに準拠して動作するように構成された通信デバイスは、Ｌ‐ＳＩＧフィールド２０６／３０６／５０６の検出された反復に基づいて、プリアンブル４１００が第１の通信プロトコルの距離延長モードに準拠していると判断するように構成される。
【０３０６】
プリアンブル４１０４は、ＤＧＩ４１０４、Ｌ‐ＬＴＦ４１０８、Ｌ‐ＬＴＦ４１１２、ＧＩ４１１６、およびＬ‐ＳＩＧ４１２０を含む。一実施形態において、Ｌ‐ＬＴＦフィールド４１１２は図２３の修正されたＬＴＦフィールド２３０４に対応しており、一実施形態において、Ｌ‐ＳＩＧ４１２０は図２３の修正されたレガシ信号フィールド２３０６に対応する。本実施形態において、第１の通信プロトコルに準拠する受信デバイスは、一実施形態において図２３に関して上記されたように、レガシ通信プロトコルのロングトレーニングシーケンスを用いたＬ‐ＬＴＦ４１０８の第１の相互相関および第１の通信プロトコルの修正されたロングトレーニングシーケンスを用いたＬ‐ＬＴＦフィールド４１１２の第２の相互相関を実行することにより、プリアンブル４１０４を含むデータユニットが第１の通信プロトコルに準拠していることを検出することができる。同様に、第１の通信プロトコルに準拠する受信デバイスは、プリアンブル４１０４を含むデータユニットが第１の通信プロトコルの標準モードに準拠していることを検出することができる。
【０３０７】
別の実施形態において、Ｌ‐ＬＴＦフィールド２９１６は図２３の修正されたＬＴＦフィールド２３０４に対応しており、一実施形態において、Ｌ‐ＳＩＧ２９２４は図２３の修正されたレガシ信号フィールド２３０６に対応する。本実施形態において、ＨＥＷプロトコルに準拠する受信デバイスは、一実施形態において図２３に関して上記されたように、レガシ通信プロトコルのロングトレーニングシーケンスを用いたＬ‐ＬＴＦ２９１２の第１の相互相関および第１の通信プロトコルの修正されたロングトレーニングシーケンスを用いたＬ‐ＬＴＦフィールド２９１６の第２の相互相関を実行することにより、プリアンブル４１００を含むデータユニットがＨＥＷ通信プロトコルに準拠していることを検出することができる。
【０３０８】
図４２は、別の実施形態による、第１の通信プロトコルに準拠する例示的なＰＨＹプリアンブルの一部４２００をレガシプロトコルに準拠するプリアンブルの一部２９０４と比較した図である。更に、ＰＨＹプリアンブル４２００は、第１の通信プロトコルの距離延長モードにも対応する。図４２は、別の実施形態による、第１の通信プロトコルに準拠する例示的なＰＨＹプリアンブルの一部４２０４をレガシプロトコルに準拠するプリアンブルの一部２９０４と比較した図も含む。更に、ＰＨＹプリアンブル４２０４は、第１の通信プロトコルの標準モードにも対応する。
【０３０９】
一実施形態において、ＡＰ１４のネットワークインターフェースデバイス１６は、一実施形態によるＯＦＤＭ変調によりＰＨＹプリアンブル４２００またはＰＨＹプリアンブル４２０４を含むデータユニットを生成してクライアント局２５‐１に送信するように構成される。一実施形態において、クライアント局２５‐１のネットワークインターフェースデバイス２７は、プリアンブル４２００またはプリアンブル４２０４を含むデータユニットが以下に検討される複数の技術を用いる第１の通信プロトコルに準拠していると判断するように構成される。一実施形態において、クライアント局２５‐１のネットワークインターフェースデバイス２７は、以下に検討される複数の技術を用いて、プリアンブル４２００を含むデータユニットが距離延長モードに準拠し、プリアンブル４２０４を含むデータユニットが標準モードに準拠していると判断するように構成される。
【０３１０】
一実施形態において、クライアント局２５‐１のネットワークインターフェースデバイス２７は、ＰＨＹプリアンブル４２００またはＰＨＹプリアンブル４２０４を含む複数のデータユニットを生成してＡＰ１４に送信するようにも構成される。一実施形態において、ＡＰ１４のネットワークインターフェースデバイス１６は、以下に検討される複数の技術を用いて、ＰＨＹプリアンブル４２００またはＰＨＹプリアンブル４２０４を含むデータユニットが第１の通信プロトコルに準拠していると判断するように構成される。一実施形態において、ＡＰ１４のネットワークインターフェースデバイス１６は、以下に検討される複数の技術を用いて、プリアンブル４２００を含むデータユニットが距離延長モードに準拠しており、プリアンブル４２０４を含むデータユニットが標準モードに準拠していると判断するように構成される。
【０３１１】
一実施形態によれば、ＰＨＹプリアンブル４２００を含むデータユニットは、第１の通信プロトコルに準拠し、２０ＭＨｚ帯域幅を占有する。第１の通信プロトコルに準拠し、プリアンブル４２００に類似するプリアンブルを含む複数のデータユニットは、様々な他の実施形態において例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。一実施形態によれば、ＰＨＹプリアンブル４２０４を含むデータユニットは、第１の通信プロトコルに準拠し、２０ＭＨｚ帯域幅を占有する。第１の通信プロトコルに準拠し、プリアンブル４２０４に類似するプリアンブルを含む複数のデータユニットは、様々な他の実施形態において例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。
【０３１２】
プリアンブル４２００は、図３０のプリアンブル３０００に類似し、同一の番号の要素は、簡潔にする目的で詳細に検討されない。レガシデバイスは、Ｌ‐ＳＩＧ２０６／３０６／５０６をデコードして、ＰＨＹプリアンブル４２００を含むＰＨＹデータユニットの長さを決定することができる。一実施形態において、例えばＬ‐ＳＩＧ２０６／３０６／５０６は、ＰＨＹプリアンブル４２００を含むＰＨＹデータユニットの長さを示す値に設定された長さフィールドを含む。
【０３１３】
一実施形態において、第１の通信プロトコルに準拠して動作するように構成された通信デバイスは、プリアンブル４２００におけるＨＥＷ‐ＳＩＧ１フィールド３００４、３０１６の反復を検出し、ＨＥＷ‐ＳＩＧ１フィールド３００４、３０１６の検出された反復に基づいてプリアンブル４２００が第１の通信プロトコルに準拠していると判断するように構成される。更に、第１の通信プロトコルに準拠して動作するように構成された通信デバイスは、ＨＥＷ‐ＳＩＧ１フィールド３００４、３０１６の検出された反復に基づいて、プリアンブル４２００が第１の通信プロトコルの距離延長モードに準拠していると判断するように構成される。
【０３１４】
プリアンブル４２０４は、図４１のプリアンブル４１０４に類似し、同一の番号の要素は、簡潔にする目的で詳細に検討されない。一実施形態において、Ｌ‐ＬＴＦフィールド４１１２は図２３の修正されたＬＴＦフィールド２３０４に対応しており、一実施形態において、Ｌ‐ＳＩＧ４１２０は図２３の修正されたレガシ信号フィールド２３０６に対応する。本実施形態において、第１の通信プロトコルに準拠する受信デバイスは、一実施形態において図２３に関して上記されたように、レガシ通信プロトコルのロングトレーニングシーケンスを用いたＬ‐ＬＴＦ４１０８の第１の相互相関および第１の通信プロトコルの修正されたロングトレーニングシーケンスを用いたＬ‐ＬＴＦフィールド４１１２の第２の相互相関を実行することにより、プリアンブル４１０４を含むデータユニットが第１の通信プロトコルに準拠していることを検出することができる。同様に、第１の通信プロトコルに準拠する受信デバイスは、プリアンブル４１０４を含むデータユニットが第１の通信プロトコルの標準モードに準拠していることを検出することができる。
【０３１５】
別の実施形態において、Ｌ‐ＬＴＦフィールド２９１６は図２３の修正されたＬＴＦフィールド２３０４に対応しており、一実施形態において、Ｌ‐ＳＩＧ２９２４は図２３の修正されたレガシ信号フィールド２３０６に対応する。本実施形態において、第１の通信プロトコルに準拠する受信デバイスは、一実施形態において図２３に関して上記されたように、レガシ通信プロトコルのロングトレーニングシーケンスを用いたＬ‐ＬＴＦ２９１２の第１の相互相関および第１の通信プロトコルの修正されたロングトレーニングシーケンスを用いたＬ‐ＬＴＦフィールド２９１６の第２の相互相関を実行することにより、プリアンブル４２００を含むデータユニットがＨＥＷ通信プロトコルに準拠していることを検出することができる。
【０３１６】
図４３は、別の実施形態による、第１の通信プロトコルに準拠する例示的なＰＨＹプリアンブルの一部４３００をレガシプロトコルに準拠するプリアンブルの一部２９０４と比較した図である。更に、ＰＨＹプリアンブル４３００は、第１の通信プロトコルの距離延長モードにも対応する。図４３は、別の実施形態による、第１の通信プロトコルに準拠する例示的なＰＨＹプリアンブルの一部４３０４をレガシプロトコルに準拠するプリアンブルの一部２９０４と比較した図も含む。更に、ＰＨＹプリアンブル４３０４は、第１の通信プロトコルの標準モードにも対応する。
【０３１７】
一実施形態において、ＡＰ１４のネットワークインターフェースデバイス１６は、一実施形態によるＯＦＤＭ変調によりＰＨＹプリアンブル４３００またはＰＨＹプリアンブル４３０４を含むデータユニットを生成してクライアント局２５‐１に送信するように構成される。一実施形態において、クライアント局２５‐１のネットワークインターフェースデバイス２７は、プリアンブル４３００またはプリアンブル４３０４を含むデータユニットが以下に検討される複数の技術を用いる第１の通信プロトコルに準拠していると判断するように構成される。一実施形態において、クライアント局２５‐１のネットワークインターフェースデバイス２７は、以下に検討される複数の技術を用いて、プリアンブル４３００を含むデータユニットが距離延長モードに準拠し、プリアンブル４３０４を含むデータユニットが標準モードに準拠していると判断するように構成される。
【０３１８】
一実施形態において、クライアント局２５‐１のネットワークインターフェースデバイス２７は、ＰＨＹプリアンブル４３００またはＰＨＹプリアンブル４３０４を含む複数のデータユニットを生成してＡＰ１４に送信するようにも構成される。一実施形態において、ＡＰ１４のネットワークインターフェースデバイス１６は、以下に検討される複数の技術を用いて、ＰＨＹプリアンブル４３００またはＰＨＹプリアンブル４３０４を含むデータユニットが第１の通信プロトコルに準拠していると判断するように構成される。一実施形態において、ＡＰ１４のネットワークインターフェースデバイス１６は、以下に検討される複数の技術を用いて、プリアンブル４３００を含むデータユニットが距離延長モードに準拠しており、プリアンブル４３０４を含むデータユニットが標準モードに準拠していると判断するように構成される。
【０３１９】
一実施形態によれば、ＰＨＹプリアンブル４３００を含むデータユニットは、第１の通信プロトコルに準拠し、２０ＭＨｚ帯域幅を占有する。第１の通信プロトコルに準拠し、プリアンブル４３００に類似するプリアンブルを含む複数のデータユニットは、様々な他の実施形態において例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。一実施形態によれば、ＰＨＹプリアンブル４３０４を含むデータユニットは、第１の通信プロトコルに準拠し、２０ＭＨｚ帯域幅を占有する。第１の通信プロトコルに準拠し、プリアンブル４３０４に類似するプリアンブルを含む複数のデータユニットは、様々な他の実施形態において例えば４０ＭＨｚ、８０ＭＨｚ、１６０ＭＨｚ、３２０ＭＨｚ、６４０ＭＨｚ等の他の好適な帯域幅、または複数の他の好適な帯域幅を占有し得る。
【０３２０】
プリアンブル４３００は、図２９のプリアンブル２９００に類似し、同一の番号の要素は、簡潔にする目的で詳細に検討されない。レガシデバイスは、Ｌ‐ＳＩＧ２０６／３０６／５０６をデコードして、ＰＨＹプリアンブル４３００を含むＰＨＹデータユニットの長さを決定することができる。一実施形態において、例えばＬ‐ＳＩＧ２０６／３０６／５０６は、ＰＨＹプリアンブル４３００を含むＰＨＹデータユニットの長さを示す値に設定された長さフィールドを含む。
【０３２１】
データユニット４３００は、データユニット４３００が第２の（複製）Ｌ‐ＳＩＧフィールド２９２８を省略し、自動検出ＯＦＤＭシンボル４３０８を含むことを除き、図２９のデータユニット２９００に類似する。一実施形態において、第１の通信プロトコルに準拠する受信デバイスは、プリアンブル４３００における自動検出ＯＦＤＭシンボル４３０８の検出に基づいて、プリアンブル４３００を含むデータユニットが第１の通信プロトコルに準拠していることを検出することができる。図示された実施形態において、自動検出シンボル４３０８は、Ｌ‐ＳＩＧフィールド２０６／３０６／５０６の直ぐ後に続く。一実施形態において、自動検出シンボル４３０８は、レガシデータユニットのフォーマット２９０４における自身の対応するＯＦＤＭシンボルと位置合わせされ、ＢＰＳＫ変調を用いて変調される。一実施形態において、第１の通信プロトコルに準拠する受信デバイスは、図３７に関して検討されたように、プリアンブル４３００における自動検出ＯＦＤＭシンボル４３０８の検出に基づいて、プリアンブル４３００を含むデータユニットが第１の通信プロトコルに準拠していることを検出することができる。 
【０３２２】
プリアンブル４３０４は、図４１のプリアンブル４１０４に類似し、同一の番号の要素は、簡潔にする目的で詳細に検討されない。一実施形態において、Ｌ‐ＬＴＦフィールド４１１２は図２３の修正されたＬＴＦフィールド２３０４に対応しており、一実施形態において、Ｌ‐ＳＩＧ４１２０は図２３の修正されたレガシ信号フィールド２３０６に対応する。本実施形態において、第１の通信プロトコルに準拠する受信デバイスは、一実施形態において図２３に関して上記されたように、レガシ通信プロトコルのロングトレーニングシーケンスを用いたＬ‐ＬＴＦ４１０８の第１の相互相関および第１の通信プロトコルの修正されたロングトレーニングシーケンスを用いたＬ‐ＬＴＦフィールド４１１２の第２の相互相関を実行することにより、プリアンブル４３０４を含むデータユニットが第１の通信プロトコルに準拠していることを検出することができる。同様に、第１の通信プロトコルに準拠する受信デバイスは、プリアンブル４３０４を含むデータユニットが第１の通信プロトコルの標準モードに準拠していることを検出することができる。
【０３２３】
別の実施形態において、Ｌ‐ＬＴＦフィールド２９１６は図２３の修正されたＬＴＦフィールド２３０４に対応しており、一実施形態において、Ｌ‐ＳＩＧ２９２４は図２３の修正されたレガシ信号フィールド２３０６に対応する。本実施形態において、ＨＥＷプロトコルに準拠する受信デバイスは、一実施形態において図２３に関して上記されたように、レガシ通信プロトコルのロングトレーニングシーケンスを用いたＬ‐ＬＴＦ２９１２の第１の相互相関および第１の通信プロトコルの修正されたロングトレーニングシーケンスを用いたＬ‐ＬＴＦフィールド２９１６の第２の相互相関を実行することにより、プリアンブル４３００を含むデータユニットが第１の通信プロトコルに準拠していることを検出することができる。
【０３２４】
様々な他の実施形態において、図９Ａ〜図２８に関して上記された複数の技術は、第１の通信プロトコルに準拠するレシーバが、ｉ）データユニットが第１の通信プロトコルに準拠することを判断し、ｉｉ）第１の通信プロトコルの様々な異なるモード（例えば、距離延長モード、標準モード等）のどれにデータユニットが準拠するかを判断することを可能にするべく使用された、図２９〜図４０Ｂに関して上記されたような複数の技術と組み合わされる。
【０３２５】
ＳＩＧフィールドが複製（例えば、Ｌ‐ＳＩＧ、ＨＥＷ‐ＳＩＧ１等）であるいくつかの実施形態において、時変トーンマッピングが使用される。例えば一実施形態において、バンド幅が１／２であるサイクリックシフトトーンマッパが用いられる。一実施形態において、第１のＳＩＧ  ＯＦＤＭシンボル上の複数のトーン（時間ｔ１）は、次式に対応する。
【数５】
0006464494.tif 000006
式中、ＳＩＧｋはＳＩＧ  ＯＦＤＭシンボルのｋ番目のトーンであり、ｓｋはＳＩＧ  ＯＦＤＭシンボルにマッピングされるべきｋ番目のＢＰＳＫシンボルである。一実施形態において、第２の（複製）ＳＩＧ  ＯＦＤＭシンボル上の複数のトーン（時間ｔ２）は、次式に対応する。
【数６】
0006464494.tif 000007
式中、ＮはＳＩＧ  ＯＦＤＭシンボルにおけるトーンの数である。従って一実施形態において、複数のＢＰＳＫシンボルｓは、第１のＳＩＧ  ＯＦＤＭシンボルにおける複数のトーンにシーケンシャルにマッピングされるが、同一の複数のＢＰＳＫシンボルｓは、第２のＳＩＧ  ＯＦＤＭシンボルにおける複数のトーンの半分にわたって周期的にシフトされる。複数の他の実施形態において、別の好適な時変トーンマッピングが複数の異なるＳＩＧ  ＯＦＤＭシンボル全体にわたって時間ダイバーシチを実現するのに使用される。
【０３２６】
一実施形態において、複数の異なるＳＩＧ  ＯＦＤＭシンボル全体にわたる時間ダイバーシチは、２つのＯＦＤＭシンボルにわたる同一の複数の符号化ビットに対する異なるインターリーバを用いて実装される。複数の他の実施形態において、複数の異なるＳＩＧ  ＯＦＤＭシンボル全体にわたる時間ダイバーシチを実装するのに好適な他の複数の技術が使用される。
【０３２７】
プリアンブルが第１の通信プロトコルに準拠するいくつかの実施形態において、第１の通信プロトコルに準拠するプリアンブルにおけるＬ‐ＳＩＧフィールドは、シーケンスｃｋと掛けたレガシプリアンブルにおけるＬ‐ＳＩＧに対応する。
【数７】
0006464494.tif 000008
式中、ｋはトーンインデックスである。一実施形態において、シーケンスｃｋは±１の値を有するシーケンスである。
【０３２８】
いくつかの実施形態において、１または複数の更なるＬ‐ＳＩＧフィールドは、第１の通信プロトコルに準拠する複数のプリアンブルに含まれる。
【０３２９】
いくつかの実施形態において、ＨＥＷ‐ＳＩＧフィールドは、データユニットにおけるバイト数、データユニットにおけるＯＦＤＭシンボルの数等のデータユニット持続時間情報を含む。
【０３３０】
いくつかの実施形態において、レガシプリアンブルにおいてＳＩＧフィールドと一致するＨＥＷ‐ＳＩＧフィールド（例えば、ＳＩＧＡ）は、プリアンブルにＨＥＷ‐ＳＩＧフィールドの複製を含めることによりレガシデバイス（例えば、ＩＥＥＥ８０２．１１ａｃレシーバ）に１００％の可能性でＳＩＧＡ  ＣＲＣエラーを生成させるように構成される。例えば様々な実施形態において、ＨＥＷ‐ＳＩＧフィールドにおける複数のビットがスクランブルされて、ＳＩＧＡ  ＣＲＣがエラー状態にあることを確実にするように設定された１ビットのフィールド等を含む。別の実施形態において、ＨＥＷ‐ＳＩＧフィールドは、レガシプロトコルにおいて無効な複数のモードに対応する複数のビットを含むように設計される。
【０３３１】
一実施形態において、方法は通信チャネルを介した送信のための物理層（ＰＨＹ）データユニットを生成するものであって、ＰＨＹデータユニットは、第１の通信プロトコルに準拠する。本方法は、第１の通信デバイスにおいてＰＨＹデータユニットに対するＰＨＹプリアンブルを生成する段階を備え、この段階は、ＰＨＹプリアンブルに信号フィールドおよび信号フィールドの複製を含むように信号フィールドを生成する段階と、第２の通信プロトコルに準拠するが第１の通信プロトコルには準拠しない第２の通信デバイスによってＰＨＹプリアンブルの第１の部分がデコード可能となるようにＰＨＹプリアンブルをフォーマットして、ＰＨＹプリアンブルの第１の部分に基づいてＰＨＹデータユニットの持続時間を決定する段階とを有する。また、本方法は、第１の通信デバイスにおいてＰＨＹプリアンブルおよびＰＨＹペイロードを含むようにＰＨＹデータユニットを生成する段階を備える。
【０３３２】
様々な他の実施形態において本方法は、以下の特徴の２またはそれより多いもののうちの１つ、あるいは任意の好適な組み合せを更に含む。
【０３３３】
信号フィールドは、第２の通信デバイスによりデコード可能なレガシ信号フィールドであり、レガシ信号フィールドは、ＰＨＹプリアンブルの第１の部分に含まれ、レガシ信号フィールドは、ＰＨＹデータユニットの持続時間を示す情報を含む。
【０３３４】
ＰＨＹデータユニットに対するＰＨＹプリアンブルを生成する段階は、第２の通信プロトコルに準拠する更なる信号フィールドを生成する段階と、ＰＨＹプリアンブルの第２の部分に更なる信号フィールドを含める段階とを更に有する。
【０３３５】
ＰＨＹプリアンブルの第２の部分は、第２の通信デバイスによりデコード可能でない。
【０３３６】
ＰＨＹデータユニットに対するＰＨＹプリアンブルを生成する段階は、ＰＨＹプリアンブルの第２の部分に更なる信号フィールドの複製を含める段階を更に有する。
【０３３７】
ＰＨＹデータユニットに対するＰＨＹプリアンブルを生成する段階は、ＰＨＹプリアンブルの第２の部分に更なる信号フィールドの複製を含める段階を更に有する。
【０３３８】
信号フィールドは、第１の信号フィールドであり、ＰＨＹデータユニットに対するＰＨＹプリアンブルを生成する段階は、第２の通信デバイスによりデコード可能な第２の信号フィールドを生成する段階と、ＰＨＹプリアンブルの第１の部分に第２の信号フィールドを含める段階と、ＰＨＹプリアンブルの第２の部分に第１の信号フィールドを含める段階とを更に有し、第２の信号フィールドは、ＰＨＹデータユニットの持続時間を示す情報を含む。
【０３３９】
ＰＨＹプリアンブルの第２の部分は、第２の通信デバイスによりデコード可能でない。
【０３４０】
ＰＨＹデータユニットに対するＰＨＹプリアンブルは、ＰＨＹプリアンブルの第１の部分における複数の直交周波数分割（ＯＦＤＭ）シンボルの間にそれぞれの第１のガードインターバルを含むように生成され、方法は、第１の通信デバイスにおいて、ＰＨＹペイロードにおける複数のＯＦＤＭシンボルの間にそれぞれの第２のガードインターバルを含むようにＰＨＹペイロードを生成する段階を更に備え、各々の第２のガードインターバルは、各々の第１のガードインターバルよりも長い持続時間を有する。
【０３４１】
ＰＨＹデータユニットに対するＰＨＹプリアンブルは、ＰＨＹプリアンブルの第２の部分における複数のＯＦＤＭシンボルの間にそれぞれの第２のガードインターバルを含むように生成される。
【０３４２】
別の実施形態において、第１の通信デバイスは、信号フィールドを生成することと、物理層（ＰＨＹ）プリアンブルに信号フィールドおよび信号フィールドの複製を含めることと、第２の通信プロトコルに準拠するが、第１の通信プロトコルに準拠しない第２の通信デバイスによってＰＨＹプリアンブルの第１の部分がデコード可能となるように、ＰＨＹプリアンブルをフォーマットして、ＰＨＹプリアンブルの第１の部分に基づいてＰＨＹデータユニットの持続時間を決定することとを含めて、第１の通信プロトコルに準拠するＰＨＹデータユニットに対するＰＨＹプリアンブルを生成するように構成された１または複数の集積回路を有するネットワークインターフェースデバイスを備える。また、１または複数の集積回路は、ＰＨＹプリアンブルおよびＰＨＹペイロードを含むＰＨＹデータユニットを生成するように構成される。
【０３４３】
様々な他の実施形態において第１の通信デバイスは、以下の特徴の２またはそれより多いもののうちの１つ、あるいは任意の好適な組み合せを更に含む。
【０３４４】
信号フィールドは、第２の通信デバイスによりデコード可能なレガシ信号フィールドであり、１または複数の集積回路は、ＰＨＹプリアンブルの第１の部分にレガシ信号フィールドを含めるように構成され、レガシ信号フィールドは、ＰＨＹデータユニットの持続時間を示す情報を含む。
【０３４５】
１または複数の集積回路は、第２の通信プロトコルに準拠する更なる信号フィールドを生成し、ＰＨＹプリアンブルの第２の部分に更なる信号フィールドを含めるように構成される。
【０３４６】
ＰＨＹプリアンブルの第２の部分は、第２の通信デバイスによりデコード可能でない。
【０３４７】
１または複数の集積回路は、ＰＨＹプリアンブルの第２の部分に更なる信号フィールドの複製を含めるように構成される。
【０３４８】
１または複数の集積回路は、ＰＨＹプリアンブルの第２の部分に更なる信号フィールドの複製を含めるように構成される。
【０３４９】
信号フィールドは、第１の信号フィールドであり、１または複数の集積回路は、第２の通信デバイスによりデコード可能な第２の信号フィールドを生成し、ＰＨＹプリアンブルの第１の部分に第２の信号フィールドを含めるように構成され、ＰＨＹプリアンブルの第２の部分に第１の信号フィールドを含め、第２の信号フィールドは、ＰＨＹデータユニットの持続時間を示す情報を含む。
【０３５０】
ＰＨＹプリアンブルの第２の部分は、第２の通信デバイスによりデコード可能でない。
【０３５１】
１または複数の集積回路は、ＰＨＹプリアンブルの第１の部分における複数の直交周波数分割（ＯＦＤＭ）シンボルの間にそれぞれの第１のガードインターバルを含むＰＨＹデータユニットに対するＰＨＹプリアンブルを生成し、ＰＨＹペイロードにおける複数のＯＦＤＭシンボルの間にそれぞれの第２のガードインターバルを含むＰＨＹペイロードを生成するように構成され、各々の第２のガードインターバルは、各々第１のガードインターバルよりも長い持続時間を有する。
【０３５２】
１または複数の集積回路は、ＰＨＹプリアンブルの第２の部分における複数のＯＦＤＭシンボルの間にそれぞれの第２のガードインターバルを含むようにＰＨＹプリアンブルを生成するように構成される。
【０３５３】
上記の様々なブロック、動作、および技術の少なくともいくつかは、ハードウェア、複数のファームウェア命令を実行するプロセッサ、複数のソフトウェア命令を実行するプロセッサ、またはこれらの任意の組み合わせを使用して実装され得る。ソフトウェアまたはファームウェア命令を実行するプロセッサを使用して実装される場合、ソフトウェアまたはファームウェア命令は、任意の非一時的で有形のコンピュータ可読媒体、または磁気ディスク、光学ディスク、ランダムアクセスメモリ（ＲＡＭ）、リードオンリメモリ（ＲＯＭ）、フラッシュメモリ、磁気テープ等の媒体に格納され得る。ソフトウェアまたはファームウェア命令としては、１または複数のプロセッサにより実行されると、１または複数のプロセッサに様々な動作を実行させる複数の機械可読命令が挙げられ得る。
【０３５４】
ハードウェアに実装される場合、ハードウェアは、複数のディスクリートコンポーネント、集積回路、特定用途向け集積回路（ＡＳＩＣ）、プログラマブルロジックデバイス（ＰＬＤ）等のうちの１または複数を備え得る。
【０３５５】
本発明は、具体的な複数の例を参照して説明されてきたが、これらは、専ら例示的なものであって、本発明を限定することを意図せず、本発明の範囲を逸脱することなく、複数の変更、追加、および／または消去を開示される実施形態に対して行うことができる。
【図１】
0006464494.tif 000009
【図２Ａ】
0006464494.tif 000010
【図２Ｂ】
0006464494.tif 000011
【図３】
0006464494.tif 000012
【図４】
0006464494.tif 000013
【図５】
0006464494.tif 000014
【図６Ａ】
0006464494.tif 000015
【図６Ｂ】
0006464494.tif 000016
【図７Ａ】
0006464494.tif 000017
【図７Ｂ】
0006464494.tif 000018
【図８】
0006464494.tif 000019
【図９Ａ】
0006464494.tif 000020
【図９Ｂ】
0006464494.tif 000021
【図１０Ａ】
0006464494.tif 000022
【図１０Ｂ】
0006464494.tif 000023
【図１１Ａ】
0006464494.tif 000024
【図１１Ｂ】
0006464494.tif 000025
【図１２Ａ】
0006464494.tif 000026
【図１２Ｂ】
0006464494.tif 000027
【図１３Ａ】
0006464494.tif 000028
【図１３Ｂ】
0006464494.tif 000029
【図１４Ａ】
0006464494.tif 000030
【図１４Ｂ】
0006464494.tif 000031
【図１４Ｃ】
0006464494.tif 000032
【図１５】
0006464494.tif 000033
【図１６】
0006464494.tif 000034
【図１７Ａ】
0006464494.tif 000035
【図１７Ｂ】
0006464494.tif 000036
【図１８Ａ】
0006464494.tif 000037
【図１８Ｂ】
0006464494.tif 000038
【図１９Ａ】
0006464494.tif 000039
【図１９Ｂ】
0006464494.tif 000040
【図２０Ａ】
0006464494.tif 000041
【図２０Ｂ】
0006464494.tif 000042
【図２０Ｃ】
0006464494.tif 000043
【図２０Ｄ】
0006464494.tif 000044
【図２１】
0006464494.tif 000045
【図２２Ａ】
0006464494.tif 000046
【図２２Ｂ】
0006464494.tif 000047
【図２２Ｃ】
0006464494.tif 000048
【図２３】
0006464494.tif 000049
【図２４】
0006464494.tif 000050
【図２５Ａ】
0006464494.tif 000051
【図２５Ｂ】
0006464494.tif 000052
【図２６Ａ】
0006464494.tif 000053
【図２６Ｂ】
0006464494.tif 000054
【図２６Ｃ】
0006464494.tif 000055
【図２７】
0006464494.tif 000056
【図２８】
0006464494.tif 000057
【図２９】
0006464494.tif 000058
【図３０】
0006464494.tif 000059
【図３１】
0006464494.tif 000060
【図３２】
0006464494.tif 000061
【図３３】
0006464494.tif 000062
【図３４】
0006464494.tif 000063
【図３５】
0006464494.tif 000064
【図３６】
0006464494.tif 000065
【図３７】
0006464494.tif 000066
【図３８Ａ】
0006464494.tif 000067
【図３８Ｂ】
0006464494.tif 000068
【図３８Ｃ】
0006464494.tif 000069
【図３８Ｄ】
0006464494.tif 000070
【図３９】
0006464494.tif 000071
【図４０Ａ】
0006464494.tif 000072
【図４０Ｂ】
0006464494.tif 000073
【図４１】
0006464494.tif 000074
【図４２】
0006464494.tif 000075
【図４３】
0006464494.tif 000076